(57)【要約】  ユーザ装備(ＵＥ)が物理ダウンリンク制御チャンネル(ＰＤＣＣＨ)を受信する方法を提供する。前記ＵＥは時間ドメインでのシンボルの個数及び周波数ドメインでのリソースブロック(ＲＢ)の個数を含む第１制御リソースセットに対する設定情報を受信し、第１周波数−連続ＲＢの個数Ｎｂｕｎｄｌｅを示す設定情報を受信し、さらにＮｂｕｎｄｌｅ,１ＲＢの周波数分散ブロック内の第１制御リソースセットでＰＤＣＣＨを受信する。前記ＵＥは前記ＰＤＣＣＨの受信に係る復調基準信号が前記Ｎｂｕｎｄｌｅ,１ＲＢに対して同一なプリコーディングを有することで仮定する。従来の探索空間に比べ、ＵＥがＰＤＣＣＨをデコーディングするために行うチャンネル推定の数を減らすための探索空間を構成する方法がさらに提供される。
2020509662.tif 000002
【特許請求の範囲】
【請求項１】
ＰＤＣＣＨ(ｐｈｙｓｉｃａｌ ｄｏｗｎｌｉｎｋ ｃｏｎｔｒｏｌ ｃｈａｎｎｅｌ)を受信するためのユーザ装備(ＵＥ)の方法であって、
時間ドメインでのシンボルの個数と周波数ドメインでのリソースブロック(ＲＢ)の個数を含む第１制御リソースセットに対する設定情報を受信する段階と、
第１周波数−連続ＲＢの個数Ｎｂｕｎｄｌｅ,１を指示する設定情報を受信する段階と、及び
Ｎｂｕｎｄｌｅ,１ＲＢの周波数分散ブロック内の第１制御リソースセットで第１ＰＤＣＣＨを受信する段階と、を含み、
前記第１ＰＤＣＣＨの受信に係る復調基準信号は前記Ｎｂｕｎｄｌｅ,１ＲＢに対して同一なプリコーディングを有することで仮定されることを特徴とする、方法。
【請求項２】
前記時間ドメインでのシンボルの個数と前記周波数ドメインでのＲＢの個数を含む第２制御リソースセットに対する設定情報を受信する段階と、
第２周波数−連続ＲＢの個数Ｎｂｕｎｄｌｅ,２を示す設定情報を受信する段階と、及び
周波数連続ブロックの個数Ｎｂｕｎｄｌｅ,２ＲＢ内の前記第２制御リソースセットで第２ＰＤＣＣＨを受信する段階と、を含み、
前記第２ＰＤＣＣＨの受信に係る復調基準信号は前記Ｎｂｕｎｄｌｅ,２ＲＢに対して同一なプリコーディングを有することで仮定されることを特徴とする、請求項１に記載の方法。
【請求項３】
前記第１制御リソースセットのすべてのＲＢに対する前記第１ＰＤＣＣＨの受信に係る前記復調基準信号に対して同一なプリコーダーの使用を指示する設定情報を受信する段階と、をさらに含む、請求項１に記載の方法。
【請求項４】
前記時間ドメインでのシンボルの個数と前記周波数ドメインでのＲＢの個数を含む第３制御リソースセットに対する設定情報を受信する段階と、及び
予め決定された個数のＲＢの多数の周波数分散ブロックで前記第３制御リソースセット内の第１システム情報ブロックの受信をスケジューリングする第３ＰＤＣＣＨを受信する段階と、を含み
前記第３ＰＤＣＣＨの受信に係る復調基準信号は予め決定された個数のＲＢに対して同一なプリコーディングを行うことで仮定されることを特徴とする、請求項１に記載の方法。
【請求項５】
第１時間時点(ｔｉｍｅ ｏｃｃａｓｉｏｎ)の間の前記第１制御リソースセットでＰＤＣＣＨを受信するための制１探索空間に対する設定情報を受信する段階と、及び
第２時間時点の間の前記第１制御リソースセットでＰＤＣＣＨを受信するための第２探索空間に対する設定情報を受信する段階と、をさらに含み、
前記第１ＰＤＣＣＨはＵＥ特定ダウンリンク制御情報(ｄｏｗｎｌｉｎｋ ｃｏｎｔｒｏｌ ｉｎｆｏｒｍａｔｉｏｎ:ＤＣＩ)フォーマットを提供し、
前記第１ＰＤＣＣＨの受信に係る前記復調基準信号は前記第１ＰＤＣＣＨが共通探索空間(ｃｏｍｍｏｎ ｓｅａｒｃｈ ｓｐａｃｅ)で受信される時に第１シーケンスによってスクランブリングされ、
前記第１ＰＤＣＣＨの受信に係る前記復調基準信号は前記第１ＰＤＣＣＨがＵＥ−特定探索空間で受信される時第２シーケンスでスクランブリングされ、
前記第１制御リソースセットは
【数１】
2020509662.tif 000252
シンボルを含み、前記ＮｂｕｎｄｌｅＲＢのうちの
【数２】
2020509662.tif 000253
のＲＢは
【数３】
2020509662.tif 000254
シンボルを介して第１ＲＢ上で順次に配置され、前記ＮｂｕｎｄｌｅＲＢのうちの次の
【数４】
2020509662.tif 000255
ＲＢは
【数５】
2020509662.tif 000256
シンボルを介して第２ＲＢ上で順次に配置され、さらに、
前記第２ＲＢのインデックスは前記第１ＲＢのインデックスより１ほど大きいことを特徴とする、請求項１に記載の方法。
【請求項６】
ユーザ装置(ＵＥ)であって、
時間ドメインでのシンボルの個数及び周波数ドメインでのリソースブロック(ＲＢ)の個数を含む第１制御リソースセットに対する設定情報を受信し、
第１周波数−連続ＲＢの個数Ｎｂｕｎｄｌｅを指示する設定情報を受信し、そして
Ｎｂｕｎｄｌｅ,１ＲＢの周波数分散ブロック内の第１制御リソースセットで第１ＰＤＣＣＨを受信する受信機を含み、
前記第１ＰＤＣＣＨの受信に係る復調基準信号は前記Ｎｂｕｎｄｌｅ,１ＲＢに対して同一なプリコーディングを有することで仮定されることを特徴とする、ＵＥ。
【請求項７】
前記受信機は、
前記時間ドメインでのシンボルの個数と前記周波数ドメインでのＲＢの個数を含む第２制御リソースセットに対する設定情報を受信し、
第２周波数−連続ＲＢの個数Ｎｂｕｎｄｌｅ,２を示す設定情報を受信し、
周波数連続ブロックの個数Ｎｂｕｎｄｌｅ,２ＲＢ内の前記第２制御リソースセットで第２ＰＤＣＣＨを受信し、
前記第２ＰＤＣＣＨの受信に係る復調基準信号は前記Ｎｂｕｎｄｌｅ,２ＲＢに対して同一なプリコーディングを有することで仮定されることを特徴とする、請求項６に記載のＵＥ。
【請求項８】
前記受信機は、
前記第１制御リソースセットのすべてのＲＢに対する前記第１ＰＤＣＣＨの受信に係る前記復調基準信号に対して同一なプリコーダーの使用を指示する設定情報を受信することを特徴とする、請求項６に記載のＵＥ。
【請求項９】
前記受信機は、
前記時間ドメインでのシンボルの個数と前記周波数ドメインでのＲＢの個数を含む第３制御リソースセットに対する設定情報を受信し；そして
予め決定された個数のＲＢの多数の周波数分散ブロックで前記第３制御リソースセット内の第１システム情報ブロックの受信をスケジューリングする第３ＰＤＣＣＨを受信し、
前記第３ＰＤＣＣＨの受信に係る復調基準信号は予め決定された個数のＲＢに対して同一なプリコーディングを行うことで仮定されることを特徴とする、請求項６に記載のＵＥ。
【請求項１０】
前記受信機は、
第１時間時点(ｔｉｍｅ ｏｃｃａｓｉｏｎ)の間の前記第１制御リソースセットでＰＤＣＣＨを受信するための制１探索空間に対する設定情報を受信し、そして
第２時間時点の間の前記第１制御リソースセットでＰＤＣＣＨを受信するための第２探索空間に対する設定情報を受信するように構成され、
前記第１ＰＤＣＣＨはＵＥ特定ダウンリンク制御情報(ＤＣＩ)フォーマットを提供し、
前記第１ＰＤＣＣＨの受信に係る前記復調基準信号は前記第１ＰＤＣＣＨが共通探索空間で受信される時に第１シーケンスによってスクランブリングされ、
前記第１ＰＤＣＣＨの受信に係る前記復調基準信号は前記第１ＰＤＣＣＨがＵＥ特定探索空間で受信される時第２シーケンスでスクランブリングされ、
前記第１制御リソースセットは
【数６】
2020509662.tif 000257
シンボルを含み、前記ＮｂｕｎｄｌｅＲＢのうちの
【数７】
2020509662.tif 000258
ＲＢは
【数８】
2020509662.tif 000259
シンボルを介して第１ＲＢ上で順次に配置され、前記ＮｂｕｎｄｌｅＲＢのうちの次の
【数９】
2020509662.tif 000260
ＲＢは
【数１０】
2020509662.tif 000261
シンボルを介して第２ＲＢ上で順次に配置され、さらに
前記第２ＲＢのインデックスは前記第１ＲＢのインデックスより１ほど大きいことを特徴とする、請求項６に記載のＵＥ。
【請求項１１】
基地局(ＢＳ)であって、
時間ドメインでのシンボルの個数と周波数ドメインでのリソースブロック(ＲＢ)の個数を含む第１制御リソースセットに対する設定情報を送信し、
第１周波数−連続ＲＢの個数Ｎｂｕｎｄｌｅを指示する設定情報を送信し、そして
ＮｂｕｎｄｌｅＲＢの周波数分散ブロック内の第１制御リソースセットで第１ＰＤＣＣＨ(ｐｈｙｓｉｃａｌ ｄｏｗｎｌｉｎｋ ｃｏｎｔｒｏｌ ｃｈａｎｎｅｌ)を送信する送信機を含み、
前記第１ＰＤＣＣＨの送信に係る復調基準信号は前記Ｎｂｕｎｄｌｅ,１ＲＢに対して同一なプリコーディングを有することで仮定されることを特徴とする、基地局。
【請求項１２】
前記送信機は、
前記時間ドメインでのシンボルの個数と前記周波数ドメインでのＲＢの個数を含む第２制御リソースセットに対する設定情報を送信し、
第２周波数−連続ＲＢの個数Ｎｂｕｎｄｌｅ,２を示す設定情報を送信し、
周波数連続ブロックの個数Ｎｂｕｎｄｌｅ,２内の前記第２制御リソースセットで第２ＰＤＣＣＨを送信し、
前記第２ＰＤＣＣＨの受信に係る復調基準信号は前記Ｎｂｕｎｄｌｅ,２ＲＢに対して同一なプリコーディングを有することで仮定されることを特徴とする、請求項１１に記載の基地局。
【請求項１３】
前記送信機は、
前記第１制御リソースセットのすべてのＲＢに対する前記第１ＰＤＣＣＨの送信に係る前記復調基準信号に対して同一なプリコーダーの使用を指示する設定情報を送信するように構成される、請求項１１に記載の基地局。
【請求項１４】
前記送信機は、
前記時間ドメインでのシンボルの個数と前記周波数ドメインでのＲＢの個数を含む第３制御リソースセットに対する設定情報を送信し、そして
予め決定された個数のＲＢの多数の周波数分散ブロックで前記第３制御リソースセット内の第１システム情報ブロックの受信をスケジューリングする第３ＰＤＣＣＨを送信するように構成される、請求項１１に記載の基地局。
【請求項１５】
前記送信機は、
第１時間時点の間の前記第１制御リソースセットでＰＤＣＣＨを送信するための制１探索空間に対する設定情報を送信し、そして
第２時間時点の間の前記第１制御リソースセットでＰＤＣＣＨを送信するための第２探索空間に対する設定情報を送信するように構成され、
前記第１制御リソースセットは
【数１１】
2020509662.tif 000262
シンボルを含み、前記ＮｂｕｎｄｌｅＲＢのうちの
【数１２】
2020509662.tif 000263
ＲＢは
【数１３】
2020509662.tif 000264
シンボルを介して第１ＲＢ上で順次に配置され、前記ＮｂｕｎｄｌｅＲＢのうちの次の
【数１４】
2020509662.tif 000265
ＲＢは
【数１５】
2020509662.tif 000266
シンボルを介して第２ＲＢ上で順次に配置され、さらに、
前記第２ＲＢのインデックスは前記第１ＲＢのインデックスより１ほど大きいことを特徴とする、請求項１１に記載の基地局。
【発明の詳細な説明】
【技術分野】
【０００１】
本発明は、一般的に無線通信システムにおける制御チャンネル動作に関する。より具体的に、本開示は無線通信システムにおける送信構造及びフォーマットに関する。
【背景技術】
【０００２】
２０２０年頃、最初商業化が予想される５Ｇ移動通信は産業及び学界の多様な候補技術に対する全世界のすべての技術活動と共に最近モメンタムが増加されている。５Ｇ移動通信の利用可能な候補技術は、既存のセルラー周波数帯域から高周波まで、ビームフォーミング利得を提供して容量増加をサポートするための大規模アンテナ技術(ｍａｓｓｉｖｅ ａｎｔｅｎｎａ ｔｅｃｈｎｏｌｏｇｉｅｓ)、互いに異なる要求事項を有する多様なサービス／アプリケーションを柔軟に収容するための新しい波形(例えば、新しい無線アクセス技術(ｒａｄｉｏ ａｃｃｅｓｓ ｔｅｃｈｎｏｌｏｇｙ、ＲＡＴ)、大規模接続をサポートする新しい多重アクセス方式(ｍｕｌｔｉｐｌｅ ａｃｃｅｓｓ ｓｃｈｅｍｅｓ)などを含む。ＩＴＵ(ｉｎｔｅｒｎａｔｉｏｎａｌ ｔｅｌｅｃｏｍｍｕｎｉｃａｔｉｏｎ ｕｎｉｏｎ)は、２０２０年以後のＩＭＴ(ｉｎｔｅｒｎａｔｉｏｎａｌ ｍｏｂｉｌｅ ｔｅｌｅｃｏｍｍｕｎｉｃａｔｉｏｎｓ)の使用シナリオを向上したモバイル広帯域(ｅｎｈａｎｃｅｄ ｍｏｂｉｌｅ ｂｒｏａｄｂａｎｄ)、ＭＴＣ(ｍａｃｈｉｎｅ ｔｙｐｅ ｃｏｍｍｕｎｉｃａｔｉｏｎｓ)及び超−安全性と低いレイテンシー(ｕｌｔｒａ−ｒｅｌｉａｂｌｅ ａｎｄ ｌｏｗ ｌａｔｅｎｃｙ)通信のような３つの主要グループに分類する。さらに、ＩＴＣは最大データ速度が秒当たり２０ギガビット(ｇｉｇａｂｉｔ ｐｅｒ ｓｅｃｏｎｄ、Ｇｂ／ｓ)、ユーザ経験(ｕｓｅｒ ｅｘｐｅｒｉｅｎｃｅｄ)データ速度が秒当たり１００メガビット(ｍｅｇａｂｉｔ ｐｅｒ ｓｅｃｏｎｄ、Ｍｂ／ｓ)、スペクトラム効率性(ｓｐｅｃｔｒｕｍ ｅｆｆｉｃｉｅｎｃｙ)が３倍向上、時間当り５００キロメートル(ｋｉｌｏｍｅｔｅｒ ｐｅｒ ｈｏｕｒ、ｋｍ／ｈ)のモビリティ(ｍｏｂｉｌｉｔｙ)、１ｍｓレイテンシー(ｌａｔｅｎｃｙ)、１０６ｄｅｖｉｃｅｓ／ｋｍ２の接続密度(ｃｏｎｎｅｃｔｉｏｎ ｄｅｎｓｉｔｙ)、１００倍のネットワークエネルギー効率向上及び１０Ｍｂ／ｓ／ｍ２の地域トラフィック容量(ａｒｅａ ｔｒａｆｆｉｃ ｃａｐａｃｉｔｙ)までサポートされることのような目標要求事項を指定する。
【発明の概要】
【発明が解決しようとする課題】
【０００３】
すべての要求事項を同時に満たす必要はないが、５Ｇネットワーク設計は上述した要求事項の一部を満たす多様な応用を使用ケース別でサポートする柔軟性を提供することができる。
【課題を解決するための手段】
【０００４】
一実施形態で、ユーザ装備(ＵＥ)がＰＤＣＣＨ(ｐｈｙｓｉｃａｌ ｄｏｗｎｌｉｎｋ ｃｏｎｔｒｏｌ ｃｈａｎｎｅｌ)を受信する方法が提供される。前記方法は、時間ドメインでのシンボルの個数と周波数ドメインでのリソースブロック(ＲＢ)の個数を含む第１制御リソースセットに対する設定情報を受信する段階を含む。前記方法は、さらに第１周波数−連続ＲＢの個数 Ｎｂｕｎｄｌｅ,１を示す設定情報を受信する段階を含む。前記方法は、さらにＮｂｕｎｄｌｅ,１ＲＢの周波数分散ブロック内の制御リソースセットで第１ＰＤＣＣＨを受信する段階を含む。前記ＵＥは前記第１ＰＤＣＣＨの受信に係る復調基準信号が前記Ｎｂｕｎｄｌｅ,１ＲＢに対して同一なプリコーディングを有することで仮定する。
【０００５】
他の実施形態で、ユーザ装備(ＵＥ)は時間ドメインでのシンボルの個数及び周波数ドメインでのリソースブロック(ＲＢ)の個数を含む第１制御リソースセットに対する設定情報を受信するように構成される受信機を含む。前記受信機は、さらに第１周波数−連続ＲＢの個数Ｎｂｕｎｄｌｅを示す設定情報を受信するように構成される。前記受信機はさらにＮｂｕｎｄｌｅ,１ＲＢの周波数分散ブロック内の制御リソースセットでＰＤＣＣＨ(ｐｈｙｓｉｃａｌ ｄｏｗｎｌｉｎｋ ｃｏｎｔｒｏｌ ｃｈａｎｎｅｌ)を受信するように構成される。前記受信機は、前記ＰＤＣＣＨの受信に係る復調基準信号が前記Ｎｂｕｎｄｌｅ,１ＲＢに対して同一なプリコーディングを有することで仮定する。
【０００６】
また他の実施形態で、基地局は時間ドメインでのシンボルの個数と周波数ドメインでのリソースブロック(ＲＢ)の個数を含む第１制御リソースセットに対する設定情報を送信するように構成される送信機を含む。前記送信機は、さらに第１周波数−連続ＲＢの個数Ｎｂｕｎｄｌｅを示す設定情報を送信するように構成される。前記送信機は、さらにＮｂｕｎｄｌｅＲＢの周波数分散ブロック内の制御リソースセットでＰＤＣＣＨ(ｐｈｙｓｉｃａｌ ｄｏｗｎｌｉｎｋ ｃｏｎｔｒｏｌ ｃｈａｎｎｅｌ)を送信するように構成される。前記ＰＤＣＣＨの送信に係る復調基準信号は前記Ｎｂｕｎｄｌｅ,１ＲＢに対して同一なプリコーディングを有する。
【０００７】
他の技術的特徴は次の図面、説明及び請求項から当業者に容易に明らかになることができる。
【０００８】
以下の詳細な説明する前に、本特許文書全体にかけて用いられた特定単語及び語句を定義することが有利することができる。用語“結合(ｃｏｕｐｌｅ)”及びこの派生語は２つ以上の要素の間のある間接又は直接通信を示すか、これらの要素が互いに物理的に接触しているか否かを示す。用語“送信(tｒａｎｓｍｉｔ)”、“受信(ｒｅｃｅｉｖｅ)”及び“通信（ｃｏｍｍｕｎｉｃａｔｅ）”及びこの派生語は直接通信及び間接通信のいずれをも含む。用語“含む(ｉｎｃｌｕｄｅ)”及び“構成する(ｃｏｍｐｒｉｓｅ)”及びこの派生語は制限ではない含むことを意味する。用語 “又は(оｒ)”は包括的用語として、及び／又はを意味する。語句“〜と連関された(ａｓｓｏｃｉａｔｅｄ ｗｉｔｈ)”及びこの派生語は〜含む(ｉｎｃｌｕｄｅ)、に含まれて(ｉｎｃｌｕｄｅｄ ｗｉｔｈｉｎ)、〜と結合する(ｉｎｔｅｒｃｏｎｎｅｃｔ ｗｉｔｈ)、を含有する(ｃｏｎｔａｉｎ)、に含有されている(ｂｅ ｃｏｎｔａｉｎｅｄ ｗｉｔｈｉｎ)、〜に接続する(ｃｏｎｎｅｃｔ ｔｏ ｏｒ ｗｉｔｈ)、〜と結合する(ｃｏｕｐｌｅ ｔｏ ｏｒ ｗｉｔｉ)、〜に伝達する(ｂｅ ｃｏｍｍｕｎｉｃａｂｌｅ ｗｉｔｈ)、〜と協力する(ｃｏｏｐｅｒａｔｅ ｗｉｔｈ)、〜をインタリーブする(ｉｎｔｅｒｌｅａｖｅ)、〜を併置する(ｊｕｘｔａｐｏｓｅ)、に近づく(ｂｅ ｐｒｏｘｉｍａｔｅ ｔｏ)、〜バウンディングする(ｂｅ ｂｏｕｎｄ ｔｏ ｏｒ ｗｉｔｈ)、所有する(ｈａｖｅ)、属性を有する(ｈａｖｅ ａ ｐｒｏｐｅｒｔｙ ｏｆ)、〜と関係を持つ(ｈａｖｅ ａ ｒｅｌａｔｉｏｎｓｈｉｐ ｔｏ ｏｒ ｗｉｔｈ)などを意味する。用語“制御機”は少なくとも一つの動作を制御するあるデバイス、システム又はこの一部を意味する。このような制御機はハードウェア又はハードウェアとソフトウェアの組み合せ及び／又はファームウエアで具現されることができる。特定制御機と連関された機能はローカル又は遠隔に中央集中式で処理されたり、或いは分散式で処理されることができる。語句“少なくとも一つ(ａｔ ｌｅａｓｔ ｏｎｅ ｏｆ)”は、項目のリストと共に用いられる場合、羅列された項目中の一つ以上の異なる組み合せが用いられることを意味する。例えば、“Ａ、Ｂ及びＣのうちの少なくとも一つ”は次の組み合せ：Ａ、Ｂ、Ｃ、Ａ及びＢ、Ａ及びＣ、Ｂ及びＣ、及びＡ及びＢ及びＣのうちのいずれか一つを含む。
【０００９】
さらに、後述する多様な機能は一つ以上のコンピューター読取り可能プログラムコードで形成され、コンピューター読取り可能な媒体で具現される一つ以上のコンピュータープログラムのそれぞれにより具現又はサポートされることができる。用語“アプリケーション”及び“プログラム”は一つ以上のコンピュータープログラム、ソフトウェア構成要素、コマンドセット、手続き、関数、客体、クラス、インスタンス、連関データ又は適合したコンピュータープログラム読取り可能なプログラムコードでの具現用から構成されたそれの一部を指称する。語句“コンピューター読取り可能プログラムコード”はソースコード、客体コード及び実行可能コードを含むコンピューターコードの種類を含む。語句“コンピューター読取り可能媒体”はＲОＭ(ｒｅａｄ ｏｎｌｙ ｍｅｍｏｒｙ)、ＲＡＭ(ｒａｎｄｏｍ ａｃｃｅｓｓ ｍｅｍｏｒｙ)、ハードディスクドライブ、コンパクトディスク(ＣＤ)、デジタルビデオディスク(ＤＶＤ)、又は任意の他のタイプのメモリーのようにコンピューターによりアクセスされることができる任意のタイプの媒体を含む。“非一時的”コンピューター読取り可能媒体は有線、無線、光学、一時的な電気的又は他の信号を伝達させる通信リンクを除く。非一時的コンピューター読取り可能媒体はデータが永久的に記憶されることができる媒体、及び再記録可能光ディスク又は消去可能メモリーデバイスのようにデータが記憶され、後で上書きされることができるような媒体を含む。
【００１０】
他の特定単語及び語句に対する定義がこの特許明細書全体にかけて提供される。当業者は大部分の場合ではなくても多数の場合においてこのような定義された従来だけではなくこのような定義された単語及び語句の向後の使用に適用されることができるということを理解しなければならない。
【発明の効果】
【００１１】
本発明は、ＬＴＥ(Ｌｏｎｇ Ｔｅｒｍ Ｅｖｏｌｕｔｉｏｎ)のような第４世代(４Ｇ)通信システムより高いデータレートをサポートするために提供されるｐｒｅ−５Ｇ又は５Ｇ通信システムに関する。本発明の実施形態は進歩された通信システムにおける送信構造及びフォーマットを提供する。
【００１２】
本開示及びこの利点に対するより完全な理解のために、添付された図面と共に取られた次の説明を参照し、図面で同一な図面符号は同一部分を示す。
【図面の簡単な説明】
【００１３】
【図１】本発明の実施形態による例示的な無線ネットワークを示す図面である。
【図２】本発明の実施形態による例示的なｅＮＢを示す図面である。
【図３】本発明の実施形態による例示的なＵＥを示す図面である。
【図４】本発明の実施形態によるＰＤＳＣＨ送信又はＰＤＣＣＨ送信のための例示的なＤＬスロット構造を示す図面である。
【図５】本発明の実施形態によるＰＵＳＣＨ送信又はＰＵＣＣＨ送信のための例示的なＵＬスロット構造を示す図面である。
【図６】本発明の実施形態によるＤＬ送信及びＵＬ送信のための例示的なハイブリッドスロット構造を示す図面である。
【図７】本発明の実施形態によってＯＦＤＭを用いる例示的な送信機構造を示す図面である。
【図８】本発明の実施形態によってＯＦＤＭを用いる例示的な受信機構造を示す図面である。
【図９】本発明の実施形態によるＤＣＩフォーマットに対する例示的なエンコーディングプロセスを示す図面である。
【図１０】本発明の実施形態によってＵＥと共に用いるためのＤＣＩフォーマットに対する例示的なデコーディングプロセスを示す図面である。
【図１１】本発明の実施形態によるそれぞれのＣＣＥアグリゲーションレベルによる例示的な分散ＰＤＣＣＨ送信構造を示す図面である。
【図１２】本発明の実施形態によるそれぞれのＣＣＥアグリゲーションレベルによる例示的なローカリゼーションＰＤＣＣＨ送信構造を示す図面である。
【図１３】本発明の実施形態による復調のために同一なＤＭＲＳを用いる例示的なＰＤＣＣＨ送信及びＰＤＳＣＨ送信を示す図面である。
【図１４】ＵＥが本発明の実施形態によって所定のスロット及びＤＬ制御リソースセットの予め決定されたＲＢで同一なＤＭＲＳプリコーディングを仮定する例示的な動作を示す図面である。
【図１５】本発明の実施形態によるＰＤＳＣＨ送信又はＰＵＳＣＨ送信のための多数の送信方式のうちの一つの送信方式を示すための二進フラッグを含むＤＣＩフォーマットに対する例示的な動作を示す図面である。
【図１６】本発明の実施形態によるＰＤＣＣＨ候補の例示的な入れ子構造を示す図面である。
【図１７】本発明の実施形態による入れ子ＰＤＣＣＨ探索空間構造に対する第１具現例に基づいてＰＤＣＣＨ候補に対するＣＣＥを決定するための例示的なプロセスを示す図面である。
【図１８】本発明の実施形態による入れ子ＰＤＣＣＨ探索空間構造に対する第１具現例の第１接近法に基づいてＰＤＣＣＨ候補に対するＣＣＥの例示的な決定を示す図面である。
【図１９】本発明の実施形態による第２具現例に基づいたＰＤＣＣＨ候補に対するＣＣＥの例示的な決定を示す図面である。
【図２０】本発明の実施形態による第２具現例に基づいたＰＤＣＣＨ候補の例示的なＣＣＥインデックスを示す図面である。
【図２１】本発明の実施形態による制御リソースセット内の例示的な制御リソースサブセットを示す図面である。
【図２２】本発明の実施形態によって入れ子構造で一つ又は２つのＯＦＤＭシンボルにかけているＰＤＣＣＨ候補の例示的なＣＣＥインデックスを示す図面である。
【図２３】本発明の実施形態によるＰＤＣＣＨ候補の昇順に基づいてＰＤＣＣＨ候補でＣＣＥインデックスの入れ子割り当てを示す図面である。
【図２４】本発明の実施形態による多数のＰＤＣＣＨ候補に対するＣＣＥインデックスの制限に基づいてＰＤＣＣＨ候補でＣＣＥインデックスの入れ子割り当てを示す図面である。
【図２５】本発明の実施形態によってＣＳＩ−ＲＳ送信を受信した後のＵＥがＰＤＣＣＨ受信のために構成されたということをＵＥがＮＢにチューニングし直す多数のＮＢでのＣＳＩ−ＲＳ送信例を示す図面である。
【図２６】本発明の実施形態によってＰＤＣＣＨ受信のために構成されたＮＢにチューニングし直す前にＣＳＩ−ＲＳ送信を受信するように構成された各ＮＢでＵＥがチューニングし直す多数のＮＢでの例示的なＣＳＩ−ＲＳ送信を示す図面である。
【図２７】本発明の実施形態によって以上のＵＥに対するＮＢのセットからＮＢのサブセットでＣＳＩ−ＲＳ送信をトリガーするＣＳＩ−ＲＳ−ＲＮＴＩによってＣＲＣがスクランブリングされるＤＣＩフォーマットの例示的なコンテンツを示す図面である。
【図２８】本発明の実施形態によって一つ以上のＵＥに対するＮＢのセットからＮＢのサブセットでＣＳＩ−ＲＳ送信をトリガーしてＣＳＩ報告の送信のためのＰＵＣＣＨリソース及びＴＰＣコマンドを提供するＣＳＩ−ＲＳ−ＲＮＴＩによってスクランブリングされるＣＲＣを有するＤＣＩフォーマットの例示的なコンテンツを示す図面である。
【図２９】本発明の実施形態によってＣＳＩ−ＲＳ送信をトリガーリングするＤＣＩフォーマットに表示されたＰＵＣＣＨリソースに基づいてＣＳＩ報告を伝達するＰＵＣＣＨをＵＥが送信する例示的なＰＵＣＣＨリソース決定を示す図面である。
【図３０】本発明の実施形態によってＵＥがＰＤＣＣＨを受信するように構成されたＮＢのホッピングパターンを示す図面である。
【発明を実施するための形態】
【００１４】
以下に説明される図１乃至図３０、及びこの特許明細書における本開示の原理を説明するために用いられる各種実施形態はただ例示の方法によるものであり、どんな方式でも本開示の範囲を制限することで解釈されてはならない。本開示の原理は任意の適切に構成された無線通信システム又は装置で具現されることができるということを当業者は理解することができるだろう。
【００１５】
次の文献及び標準説明、すなわち、３ＧＰＰ ＴＳ ３６.２１１ｖ１４.１.０、“Ｅ−ＵＴＲＡ、Ｐｈｙｓｉｃａｌ ｃｈａｎｎｅｌｓ ａｎｄ ｍｏｄｕｌａｔｉｏｎ；”３ＧＰＰ ＴＳ ３６.２１２ ｖ１４。１。０、“Ｅ−ＵＴＲＡ、Ｍｕｌｔｉｐｌｅｘｉｎｇ ａｎｄ Ｃｈａｎｎｅｌ ｃｏｄｉｎｇ；”３ＧＰＰ ＴＳ ３６.２１３ ｖ１４.１.０、“Ｅ−ＵＴＲＡ、Ｐｈｙｓｉｃａｌ Ｌａｙｅｒ Ｐｒｏｃｅｄｕｒｅｓ；”３ＧＰＰ ＴＳ ３6.３２１ｖ１４。１。０、“Ｅ−ＵＴＲＡ、Ｍｅｄｉｕｍ Ａｃｃｅｓｓ Ｃｏｎｔｒｏｌ(ＭＡＣ) ｐｒｏｔｏｃｏｌ ｓｐｅｃｉｆｉｃａｔｉｏｎ；”及び３ＧＰＰ ＴＳ ３６。３３１ｖ１４.１.０、“Ｅ−ＵＴＲＡ、Ｒａｄｉｏ Ｒｅｓｏｕｒｃｅ Ｃｏｎｔｒｏｌ(ＲＲＣ)Ｐｒｏｔｏｃｏｌ Ｓｐｅｃｉｆｉｃａｔｉｏｎ。”は本明細書で完全に説明されたように参照として本開示に統合される。
【００１６】
以下の図１乃至図４ｂではＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)又はＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)通信技術を用いて無線通信システムで具現される多様な実施形態に対して説明する。図１乃至図３の説明は相違する実施形態が具現されることができる方式に対する物理的又は構造的制限を意味しない。本開示の相違する実施形態は任意の適切に構成された通信システムに具現されることもできる。
【００１７】
図１は、本開示の実施形態による、例示的無線ネットワークを示す図面である。図１に示された無線ネットワークの実施形態は、ただ説明のためのものである。無線ネットワーク１００に対する他の実施形態が本開示の範囲を逸脱せず範囲内で用いられることができる。
【００１８】
図１に示されたように、無線ネットワーク１００はｅＮＢ１０１、ｅＮＢ１０２、及びｅＮＢ１０３を含む。ｅＮＢ１０１は、ｅＮＢ１０２及びｅＮＢ１０３と通信する。さらに、ｅＮＢ１０１は少なくとも一つのネットワーク１３０、例えば、インターネット、専用ＩＰ(Ｉｎｔｅｒｎｅｔ Ｐｒｏｔｏｃｏｌ)ネットワーク、又は他のデータネットワークとも通信する。
【００１９】
ｅＮＢ１０２は、ｅＮＢ１０２のカバレッジ領域１２０内にある第１複数のユーザ装備(ＵＥ)に、ネットワーク１３０への無線広帯域アクセスを提供する。第１複数のＵＥは中小企業(ＳＢ)に位置することができるＵＥ１１１；大企業(Ｅ)に位置することができるＵＥ１１２；ワイファイホットスポット(ＨＳ)に位置することができるＵＥ１１３；第１住居地域(Ｒ)に位置することができるＵＥ１１４；第２住居地域(Ｒ)に位置することができるＵＥ１１５；及び携帯電話、無線ラップトップ、無線ＰＤＡなどのようなモバイル装置(Ｍ)であれば良いＵＥ１１６を含む。ｅＮＢ１０３は、ｅＮＢ１０３のカバレッジ領域１２５内にある第２複数のＵＥに、ネットワーク１３０への無線広帯域アクセスを提供する。第２複数のＵＥはＵＥ１１５及びＵＥ１１６を含む。いくつかの実施形態で、ｅＮＢ(１０１−１０３)のうちのの一つ以上のｅＮＢは５Ｇ、ＬＴＥ、ＬＴＥ−Ａ、ＷｉＭＡＸ、ＷｉＦｉ又は他の無線通信技術を用いて互い間に及びＵＥ(１１１−１１６)と通信することができる。
【００２０】
ネットワークタイプによって“基地局”又は“ＢＳ”という用語はネットワークに無線アクセスを提供するように構成されたコンポーネント(又はコンポーネントコレクション)、例えば、送信ポイント(ＴＰ)、送−受信ポイント(ＴＲＰ)、向上した基地局(ｅＮｏｄｅＢ又はｅＮＢ)、５Ｇ基地局(ｇＮＢ)、マクロセル、フェムトセル、ＷｉＦｉアクセスポイント(ＡＰ)又はその他の無線可能装置を指称することができる。基地局は一つ以上の無線通信プロトコル、例えば、５Ｇ ３ＧＰＰ新しい無線インターフェース／アクセス(ＮＲ)、ＬＴＥ(ｌｏｎｇ ｔｅｒｍ ｅｖｏｌｕｔｉｏｎ)、ＬＴＥ−Ａ(ＬＴＥ−ａｄｖａｎｃｅｄ)、ＨＳＰＡ(ｈｉｇｈ ｓｐｅｅｄ ｐａｃｋｅｔ ａｃｃｅｓｓ)、Ｗｉ−Ｆｉ８０２．１１ａ／ｂ／ｇ／ｎ／ａｃなどによって無線アクセスを提供することができる。便宜上、用語“ＢＳ”及び“ＴＲＰ”は本特許明細書で遠隔端末に対する無線アクセスを提供するネットワークインフラストラクチャーを示すために相互交換的に用いられる。さらに、ネットワークタイプによって、“ユーザ装備”又は“ＵＥ”という用語は“移動局”、“加入者局”、“遠隔端末”、“無線端末”、“端末”、“受信ポイント”又は “ユーザ装置”のような任意のコンポーネントを指称することができる。便宜上、用語“ユーザ装備”及び“ＵＥ”は、ＵＥが移動装置(例えば、携帯電話機又はスマートフォン)でも一般的に考慮される固定装置(例えば、デスクトップコンピューター又はベンディングマシン)でも、ＢＳに無線にアクセスする遠隔無線装備を指称することで本特許明細書では用いられる。
【００２１】
点線は、ただ例示及び説明の目的にほぼ円型で示したカバレッジ領域(１２０及び１２５)の大略的な範囲を示す。ｅＮＢと連関されたカバレッジ領域、例えば、カバレッジ領域(１２０及び１２５)はｅＮＢの構成、及び自然及び人工障害物に係る無線環境の変化によって、不規則な形態を含む他の形態を有することができることを明確に理解しなければならない。
【００２２】
以下、詳細に説明されるように、ＵＥ(１１１−１１６)のうちの一つ以上は進歩された無線通信システムでのＰＵＣＣＨに対する効率的なＣＳＩ報告のために回路、プログラム又はこれらの組み合せを含む。特定実施形態で、ｅＮＢ(１０１−１０３)のうちの一つ以上は進歩された無線通信システムでＰＵＣＣＨに対する効率的なＣＳＩ報告を受信するための回路、プログラム又はこれらの組み合せを含む。
【００２３】
図１が無線ネットワークの一実施形態を示すが、多様な変化が図１に対して成ることができる。例えば、無線ネットワークは任意の適切な配列で任意の個数のｅＮＢ及び任意の個数のＵＥを含むことができる。さらに、ｅＮＢ１０１は任意の個数のＵＥと直接通信し、このＵＥにネットワーク１３０への無線広帯域アクセスを提供することができる。これと類似に、各ｅＮＢ(１０２−１０３)はネットワーク１３０と直接通信し、ＵＥにネットワーク１３０への直接無線広帯域アクセスを提供することができる。また、ｅＮＢ１０１、１０２、及び／又は１０３は外部電話ネットワーク又は他のタイプのデータネットワークのような他の又は追加の外部ネットワークへのアクセスを提供することができる。
【００２４】
図２は、本発明の実施形態による、例示的ｅＮＢ１０２を示す図面である。図２に示されたｅＮＢ１０２の実施形態は、ただ説明のためのことであり、図１のｅＮＢ(１０１及び１０３)は同一又は類似の構成を有することができる。しかし、ｅＮＢは各種の多様な構成からなり、図２はｅＮＢに対する任意の特定具現で本発明の範囲を制限しない。
【００２５】
図２に示されたように、ｅＮＢ１０２は複数のアンテナ(２０５ａ−２０５ｎ)、複数のＲＦ送受信部(２１０ａ−２１０ｎ)、送信(ＴＸ)処理回路２１５、及び受信(ＲＸ)処理回路２２０を含む。さらに、ｅＮＢ１０２はコントローラー／プロセッサ２２５、メモリー２３０、バックホール又はネットワークインターフェース２３５を含む。
【００２６】
ＲＦ送受信部(２１０ａ−２１０ｎ)は、アンテナ(２０５ａ−２０５ｎ)から、ネットワーク１００内でＵＥによって送信される信号のような内向(ｉｎｃｏｍｉｎｇ)ＲＦ信号を受信する。ＲＦ送受信部(２１０ａ−２１０ｎ)は内向ＲＦ信号をダウン変換(ｄｏｗｎ−ｃｏｎｖｅｒｔ)し、ＩＦ又は基底帯域信号を生成する。ＩＦ又は基底帯域信号は、基底帯域又はＩＦ信号をフィルタリングし、デコーディングし、及び／又はデジタル化することによって処理された基底帯域信号を生成するＲＸ処理回路２２０で送信される。ＲＸ処理回路２２０はこの処理された基底帯域信号を、追加の処理のためにコントローラー／プロセッサ２２５に送信する。
【００２７】
ＴＸ処理回路２１５は、コントローラー／プロセッサ２２５からアナログ又はデジタルデータ(例えば、音声データ、ウェブデータ、電子メール、又は双方向ビデオゲームデータ)を受信する。ＴＸ処理回路２１５は、外向(ｏｕｔｇｏｉｎｇ)基底帯域データをエンコーディング、マルチプレクシング、及び／又はデジタル化し、処理された基底帯域又はＩＦ信号を生成する。ＲＦ送受信部(２１０ａ−２１０ｎ)はＴＸ処理回路２１５から、外向処理された基底帯域又はＩＦ信号を受信し、その基底帯域又はＩＦ信号を、アンテナ(２０５ａ−２０５ｎ)を介して送信されるＲＦ信号で上向き変換する。
【００２８】
コントローラー／プロセッサ２２５はｅＮＢ１０２の全般的な動作を制御する一つ以上のプロセッサ又は他の処理装置を含むことができる。例えば、コントローラー／プロセッサ２２５は、よく知られた原理によってＲＦ送受信部(２１０ａ−２１０ｎ)、ＲＸ処理回路２２０、及びＴＸ処理回路２１５によって順方向チャンネル信号の受信及び逆方向チャンネル信号の送信を制御することができる。コントローラー／プロセッサ２２５はより高級の無線通信機能のような追加機能もサポートすることができる。例えば、コントローラー／プロセッサ２２５は複数のアンテナ(２０５ａ−２０５ｎ)からの外向信号が望む方向に効果的に操るために異なるように加重処理されるビームフォーミング又は志向性ラウティング動作をサポートすることができる。多様な他の機能のうちの任意の機能がコントローラー／プロセッサ２２５によってｅＮＢ１０２でサポートされることができる。
【００２９】
また、コントローラー／プロセッサ２２５はメモリー２３０に常在するプログラム及び他のプロセス、例えば、ＯＳを行うことができる。コントローラー／プロセッサ２２５は実行プロセスによる要求によりデータをメモリー２３０内部又は外部に移動させることができる。
【００３０】
また、コントローラー／プロセッサ２２５はバックホール又はネットワークインターフェース２３５にカップリングされる。バックホール又はネットワークインターフェース２３５は、ｅＮＢ１０２がバックホール接続を介して、或いはネットワークを介して他の装置又はシステムと通信することができるようにする。インターフェース２３５は任意の適切な有線又は無線接続を通じる通信をサポートすることができる。例えば、ｅＮＢ１０２がセルラー通信システム(例えば、５Ｇ、ＬＴＥ、又はＬＴＥ−Ａをサポートすること)の一部として具現される場合、インターフェース２３５は、ｅＮＢ１０２が有線又は無線バックホール接続を介して他のｅＮＢと通信することが可能にすることができる。ｅＮＢ１０２がアクセスポイントとして具現される場合、インターフェース２３５は、ｅＮＢ１０２が有線又は無線ローカル領域ネットワークを介して、或いは有線又は無線接続を介してより大きいネットワーク(例えば、インターネット)で送信することを可能にすることができる。インターフェース２３５は有線又は無線連結、例えば、イーダーネッ又はＲＦ送受信部を通じる通信をサポートする任意の適切な構造を含む。
【００３１】
メモリー２３０は、コントローラー／プロセッサ２２５にカップリングされる。メモリー２３０の一部はＲＡＭを含むことができ、メモリー２３０の他の一部はフラッシュメモリー又は他のＲＯＭを含むことができる。
【００３２】
図２がｅＮＢ１０２の一例を示されているが、多様な変化が図２に対して成ることができる。例えば、ｅＮＢ１０２は図２に示した各コンポーネントに対する任意の個数を含むことができる。一特定例として、アクセスポイントは多数のインターフェース２３５を含むことができ、コントローラー／プロセッサ２２５は相違するネットワーク住所の間でデータをラウティングするラウティング機能をサポートすることができる。他の特定例として、単一インストンスのＴＸ処理回路２１５及び単一インスタンスのＲＸ処理回路２２０を含むことで図示されているが、ｅＮＢ１０２はそれぞれに対する複数のインスタンスを含むことができる(例えば、ＲＦ送受信機当たり一つ)。さらに、図２の各種コンポーネントが組み合せるか、より細分化されるか、省略されることができ、特定必要により追加のコンポーネントが付加されることもできる。
【００３３】
図３は、本発明の実施形態による、例示的ＵＥ１１６を示す図面である。図３に示されたＵＥ１１６の実施形態はただ説明のためのもので、図１のＵＥ(１１１−１１５)は同一又は類似の構成を有することができる。しかし、ＵＥは各種の多様な構成からなり、図３はＵＥに対する任意の特定具現で本開示の範囲を制限しない。
【００３４】
図３に示されたように、ＵＥ１１６はアンテナ３０５、無線周波数(ｒａｄｉｏ ｆｒｅｑｕｅｎｃｙ、ＲＦ)送受信機３１０、ＴＸ処理回路３１５、マイクロフォン３２０、及び受信(ＲＸ)処理回路３２５を含む。さらに、ＵＥ１１６はスピーカー３３０、プロセッサ３４０、入力／出力(Ｉ／Ｏ)インターフェース(ＩＦ)３４５、タッチスクリーン３５０、ディスプレー３５５)、及びメモリー３６０を含む。メモリー３６０はＯＳ３６１及び一つ以上のアプリケーション３６２を含む。
【００３５】
ＲＦ送受信機３１０はネットワーク１００のｅＮＢによって送信される内向ＲＦ信号をアンテナ３０５から受信する。ＲＦ送受信機３１０は内向ＲＦ信号をダウン−変換し、中間周波数(ｉｎｔｅｒｍｅｄｉａｔｅ ｆｒｅｑｕｅｎｃｙ、ＩＦ)又は基底帯域信号を生成する。ＩＦ又は基底帯域信号は、その基底帯域又はＩＦ信号をフィルタリングし、デコーディングし、及び／又はデジタル化することによって処理された基底帯域信号を生成するＲＸ処理回路３２５に送信される。ＲＸ処理回路３２５はその処理された基底帯域信号を、スピーカー３３０で送信されたり(例えば、音声データ)、又は追加処理のためにプロセッサ３４０で送信する(例えば、ウェブブラウジングデータ)。
【００３６】
ＴＸ処理回路３１５は、マイクロフォン３２０からアナログ又はデジタル音声データを受信するか、又はプロセッサ３４０から他の外向基底帯域データ(例えば、ウェブデータ、電子メール、又は双方向ビデオゲームデータ)を受信する。ＴＸ処理回路３１５はその外向基底帯域データをエンコーディング、マルチプレクシング、及び／又はデジタル化し、処理された基底帯域又はＩＦ信号を生成する。ＲＦ送受信機３１０はＴＸ処理回路３１５から外向処理された基底帯域又はＩＦ信号を受信し、その基底帯域又はＩＦ信号を、アンテナ３０５を介して送信されるＲＦ信号で上向き変換する。
【００３７】
プロセッサ３４０は、一つ以上のプロセッサ又は他の処理装置を含むことができ、メモリー３６０に記憶されたＯＳ３６１を行うことによってＵＥ１１６の全般的な動作を制御することができる。例えば、プロセッサ３４０はよく知られた原理によってＲＦ送受信機３１０、ＲＸ処理回路３２５、及びＴＸ処理回路３１５によって順方向チャンネル信号の受信及び逆方向チャンネル信号の送信を制御することができる。いくつかの実施形態で、プロセッサ３４０は少なくとも一つのマイクロプロセッサー又はマイクロコントローラーを含む。
【００３８】
プロセッサ３４０はさらにビーム管理のためのプロセスのようにメモリー３６０に常在する他のプロセス及びプログラムを行うことができる。プロセッサ３４０は実行プロセスによる要求に応じてメモリー３６０内部又は外部でデータを移動することができる。いくつかの実施形態で、プロセッサ３４０はＯＳ３６１に基づいて、又はｅＮＢ又はオペレーターから受信された信号によってアプリケーション３６２を行うように構成される。さらに、プロセッサ３４０は、ラップトップコンピューター及び携帯用コンピューターのような他の装置に接続される能力をＵＥ１１６に提供するＩ／Ｏインターフェース３４５にカップリングされている。Ｉ／Ｏインターフェース３４５はこの周辺機器とプロセッサ３４０間の通信経路である。
【００３９】
また、プロセッサ３４０はタッチスクリーン３５０及びディスプレー３５５にカップリングされる。ＵＥ１１６のオペレーターはタッチスクリーン３５０を用いてＵＥ１１６にデータを入力することができる。ディスプレー３５５は例えば、ウェブサイトからのテキスト及び／又は少なくとも制限されたグラフィックをレンダリングすることができる液晶表示装置、発光ダイオードディスプレー、又は他のディスプレーであれば良い。
【００４０】
メモリー３６０は、プロセッサ３４０にカップリングされる。メモリー３６０の一部はランダムアクセスメモリー(ｒａｎｄｏｍ ａｃｃｅｓｓ ｍｅｍｏｒｙ、ＲＡＭ)を含むことができ、メモリー３６０の他の一部はフラッシュメモリー又は他の読み出し専用メモリー(ｒｅａｄ−ｏｎｌｙ ｍｅｍｏｒｙ、ＲＯＭ)を含むことができる。
【００４１】
図３がＵＥ１１６の一実施形態を示されているが、多様な変化が図３に対して成ることができる。例えば、図３の各種コンポーネントは組み合せたり、より細分化されたり、省略されることができ、特定必要により追加コンポーネントが付加されることもできる。一実施形態の特定例として、プロセッサ３４０は複数のプロセッサ、例えば一つ以上の中央処理ユニット(ＣＰＵ)ら及び一つ以上のグラフィック処理ユニット(ＧＰＵ)で分割されることができる。また、図３がモバイル電話機やスマートフォンのように構成されたＵＥ１１６を示しているが、ＵＥは他のタイプのモバイル又は固定装置として動作するように構成されることもできる。
【００４２】
本発明は一般的に無線通信システムに関し、より詳細するようにＰＤＣＣＨ受信信頼度を向上させて関連されたシグナリングオーバーヘッドを減少させることに関する。通信システムは基地局又は一つ以上の送信ポイントからＵＥへの送信を示すダウンリンク(ＤＬ)及びＵＥから基地局への又は一つ以上の受信ポイントへの送信を示すアップリンク(ＵＬ)を含む。
【００４３】
４Ｇ(４ｔｈ ｇｅｎｅｒａｔｉｏｎ)通信システム商用化以後の増加趨勢にある無線データトラフィック需要を満たすため、改善した５Ｇ通信システム又はｐｒｅ−５Ｇ通信システムを開発するための努力がなされている。このような理由で、５Ｇ通信システム又はｐｒｅ−５Ｇ通信システムは“Ｂｅｙｏｎｄ４Ｇネットワーク”又は“ポスト(Ｐｏｓｔ)ＬＴＥシステム”と呼ばれられている。より高いデータ送信率を達成するため、５Ｇ通信システムは超高周波(ｍｍＷａｖｅ)帯域(例えば、２８ＧＨｚ帯域又は６０ＧＨｚ帯域)での具現が考慮されている。無線波の電波損失を減らして送信距離をふやすために、５Ｇ通信システムではビームフォーミング(ｂｅａｍｆｏｒｍｉｎｇ)、巨大配列多重入出力(ｍａｓｓｉｖｅ ＭＩＭＯ)、全次元多重入出力(Ｆｕｌｌ Ｄｉｍｅｎｓｉｏｎａｌ ＭＩＭＯ、ＦＤ−ＭＩＭＯ)、アレイアンテナ(ａｒｒａｙ ａｎｔｅｎｎａ)、アナログビームフォーミング(ａｎａｌｏｇ ｂｅａｍ ｆｏｒｍｉｎｇ)、及び大規模アンテナ(ｌａｒｇｅ ｓｃａｌｅ ａｎｔｅｎｎａ)技術が論議されている。さらに、システムネットワーク改善のために、５Ｇ通信システムでは改善した小型セル(ａｄｖａｎｃｅｄ ｓｍａｌｌ ｃｅｌｌ)、クラウド無線アクセスネットワーク(ｃｌｏｕｄ ｒａｄｉｏ ａｃｃｅｓｓ ｎｅｔｗｏｒｋ、ｃｌｏｕｄ ＲＡＮ)、超高密度ネットワーク(ｕｌｔｒａ−ｄｅｎｓｅ ｎｅｔｗｏｒｋ)、Ｄ２Ｄ(ｄｅｖｉｃｅ−ｔｏ−ｄｅｖｉｃｅ)通信、無線バックホール(ｗｉｒｅｌｅｓｓ ｂａｃｋｈａｕｌ)、移動ネットワーク、協力通信、ＣｏＭＰ(Ｃｏｏｒｄｉｎａｔｅｄ Ｍｕｌｔｉ−Ｐｏｉｎｔｓ)、及び受信端干渉除去などの技術開発が成っている。５Ｇシステムでは、進歩されたコーディング変調(ａｄｖａｎｃｅｄ ｃｏｄｉｎｇ ｍｏｄｕｌａｔｉｏｎ、ＡＣＭ)技術であるＦＱＡＭ(ｈｙｂｒｉｄ ｆｒｅｑｕｅｎｃｙ ｓｈｉｆｔ ｋｅｙｉｎｇ ａｎｄ ｑｕａｄｒａｔｕｒｅ ａｍｐｌｉｔｕｄｅ ｍｏｄｕｌａｔｉｏｎ)及びＳＷＳＣ(ｓｌｉｄｉｎｇ ｗｉｎｄｏｗ ｓｕｐｅｒｐｏｓｉｔｉｏｎ ｃｏｄｉｎｇ)と、進歩されたアクセス技術であるＦＢＭＣ(ｆｉｌｔｅｒ ｂａｎｋ ｍｕｌｔｉ ｃａｒｒｉｅｒ)、ＮＯＭＡ(ｎｏｎ−ｏｒｔｈｏｇｏｎａｌ ｍｕｌｔｉｐｌｅ ａｃｃｅｓｓ)、及びＳＣＭＡ(ｓｐａｒｓｅ ｃｏｄｅ ｍｕｌｔｉｐｌｅ ａｃｃｅｓｓ)などが開発されている。
【００４４】
ＤＬシグナリング又はセル上のＵＬシグナリングのための時間ユニットはスロットと呼ばれ、これは一つ以上のスロットシンボルを含むことができる。スロットシンボルが追加時間ユニットとして用いられることもできる。周波数(又は帯域幅(ＢＷ))ユニットはリソースブロック(ＲＢ)で指称される。一つのＲＢは多数のサブ−キャリア(ＳＣ)を含む。例えば、スロットは０．５ミリ秒又は１ミリ秒の長続き時間を持つことができ、それぞれ７個のシンボル又は１４個のシンボルを含むことができ、ＲＢは１８０ＫＨｚのＢＷを持つことができる１５ＫＨｚ又は６０ＫＨｚのＳＣの間の間隔を持つ１２個のＳＣを含むことができる。
【００４５】
ＤＬ信号は情報内容を伝達するデータ信号、ＤＬ制御情報(ＤＣＩ)を伝達する制御信号及びパイロット信号とも知られた基準信号(ＲＳ)を含む。ｇＮＢはそれぞれの物理ＤＬ共有チャンネル(ＰＤＳＣＨ)又は物理ＤＬ制御チャンネル(ＰＤＣＣＨ)を介してデータ情報又はＤＣＩを送信することができる。ｇＮＢはチャンネル状態情報ＲＳ(ＣＳＩ−ＲＳ)及び復調ＲＳ(ＤＭＲＳ)を含む多数のＲＳタイプのうちの一つ以上を送信することができる。ＣＳＩ−ＲＳはＵＥらがチャンネル状態情報(ＣＳＩ)を測定するように意図される。ＤＭＲＳはそれぞれのＰＤＣＣＨ又はＰＤＳＣＨのＢＷだけで送信され、ＵＥはＤＭＲＳを用いてデータ又は制御情報を復調することができる。
【００４６】
図４は、本発明の実施形態によるＰＤＳＣＨ送信又はＰＤＣＣＨ送信のための例示的なＤＬスロット構造４００を示す図面である。図４に示されたＤＬスロット構造４００の実施形態はただ説明のためのことである。図４に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
図４に示されたように、スロット４１０は
【００４７】
【数１】
2020509662.tif 000003
【００４８】
個のシンボル４２０を含み、ここでｇＮＢがデータ情報、ＤＣＩ又はＤＭＲＳを送信する。ＤＬシステムＢＷは
【００４９】
【数２】
2020509662.tif 000004
【００５０】
個のＲＢを含む。それぞれのＲＢは
【００５１】
【数３】
2020509662.tif 000005
【００５２】
個のＳＣを含む。例えば、
【００５３】
【数４】
2020509662.tif 000006
【００５４】
である。ＵＥはＰＤＳＣＨ送信ＢＷにおいて総
【００５５】
【数５】
2020509662.tif 000007
【００５６】
個のＳＣ４３０に対してＭＰＤＳＣＨ個のＲＢを割り当てられる。ＤＣＩを伝達するＰＤＣＣＨは実質的にＤＬシステムＢＷを介してスプレッドされる制御チャンネル要素(ｃｏｎｔｒｏｌ ｃｈａｎｎｅｌ ｅｌｅｍｅｎｔ、ＣＣＥ)を介して送信される。例えば、ＤＣＩ及びＤＭＲＳを送信するために第１スロットシンボル４４０がｇＮＢによって用いられることができる。第２スロットシンボル４５０はＤＣＩ又はデータ又はＤＭＲＳを送信するためにｇＮＢによって用いられることができる。残りスロットシンボル４６０はＰＤＳＣＨ、各ＰＤＳＣＨに係るＤＭＲＳ及びＣＳＩ−ＲＳを送信するためにｇＮＢによって用いられることができる。一部スロットで、ｇＮＢはさらに同期信号及びシステム情報を送信することができる。
【００５７】
ＵＬ信号はさらに情報内容を伝達するデータ信号、ＵＬ制御情報(ＵＬ ｃｏｎｔｒｏｌ ｉｎｆｏｒｍａｔｉｏｎ、ＵＣＩ)を伝達する制御信号及びＲＳを含む。ＵＥはそれぞれのＰＵＳＣＨ(ｐｈｙｓｉｃａｌ ＵＬ ｓｈａｒｅｄ ｃｈａｎｎｅｌ)又はＰＵＣＣＨ(ｐｈｙｓｉｃａｌ ＵＬ ｃｏｎｔｒｏｌ ｃｈａｎｎｅｌ)を介してデータ情報又はＵＣＩを送信する。ＵＥがデータ情報とＵＣＩを同時に送信する場合、ＵＥはＰＵＳＣＨでいずれをも多重化するか、或いはそれぞれのＰＵＳＣＨ及びＰＵＣＣＨで個別的に送信することができる。ＵＣＩはＵＥによるデータ送信ブロック(ｔｒａｎｓｐｏｒｔ ｂｌｏｃｋ、ＴＢ)の正確な又は不正確な検出を示すＨＡＲＱ−ＡＣＫ(ｈｙｂｒｉｄ ａｕｔｏｍａｔｉｃ ｒｅｐｅａｔ ｒｅｑｕｅｓｔ ａｃｋｎｏｗｌｅｄｇｅｍｅｎｔ)情報、ＵＥが自分のバッファーにデータを有しているか否かを示すスケジューリングリクエスト(ｓｃｈｅｄｕｌｉｎｇ ｒｅｑｕｅｓｔ、ＳＲ)、及びｇＮＢにＵＥに対するＰＤＳＣＨ又はＰＤＣＣＨ送信用の適切なパラメーターを選択することができるＣＳＩ報告を含む。
【００５８】
ＵＥからのＣＳＩ報告はＵＥが予め決定されたブロックエラーレート(ｂｌｏｃｋ ｅｒｒｏｒ ｒａｔｅ、ＢＬＥＲ)(例えば、１０％ＢＬＥＲ)を有するデータＴＢを検出するように最大変調及びコーディング方式(ｍｏｄｕｌａｔｉｏｎ ａｎｄ ｃｏｄｉｎｇ ｓｃｈｅｍｅ、ＭＣＳ)をｇＮＢに通知するチャンネル品質インジケーター(ｃｈａｎｎｅｌ ｑｕａｌｉｔｙ ｉｎｄｉｃａｔｏｒ、ＣＱＩ)、ｇＮＢにＵＥでシグナリングをプリコーディングする方法を通知するプリコーディングマトリックスインジケーター(ｐｒｅｃｏｄｉｎｇ ｍａｔｒｉｘ ｉｎｄｉｃａｔｏｒ、ＰＭＩ)、及びＰＤＳＣＨに対する送信ランクを示すランクインジケーター(ｒａｎｋ ｉｎｄｉｃａｔｏｒ、ＲＩ)を含むことができる。ＵＬ ＲＳはＤＭＲＳ及びサウンディングＲＳ(ｓｏｕｎｄｉｎｇ ＲＳ、ＳＲＳ)を含む。ＤＭＲＳはそれぞれのＰＵＳＣＨ又はＰＵＣＣＨ送信のＢＷだけで送信される。ｇＮＢはそれぞれのＰＵＳＣＨ又はＰＵＣＣＨで情報を復調するためにＤＭＲＳを用いることができる。ＳＲＳはｇＮＢにＵＬ ＣＳＩを提供し、ＴＤＤ又はフレキシブルデュプレックスシステムにおいてＤＬ送信のためのＰＭＩをさらに提供するためにＵＥによって送信される。ＵＬ ＤＭＲＳ又はＳＲＳ送信はＺａｄｏｆｆ−Ｃｈｕ(ＺＣ)シーケンス、又は一般的には、ＣＡＺＡＣシーケンスの送信を基づくことができる。
【００５９】
図５は、本発明の実施形態によるＰＵＳＣＨ送信又はＰＵＣＣＨ送信のための例示的なＵＬスロット構造５００を示す図面である。図５に示されたＵＬスロット構造５００の実施形態はただ説明のためのことである。図５に示されたこのコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
図５に示すように、スロット５１０は
【００６０】
【数６】
2020509662.tif 000008
【００６１】
個のシンボル５２０を含み、ここでＵＥがＤＭＲＳ５３０を送信する一つのシンボルを含むデータ情報、ＵＣＩ又はＲＳを送信する。ＵＬシステムＢＷは
【００６２】
【数７】
2020509662.tif 000009
【００６３】
個のＲＢを含む。それぞれのＲＢは
【００６４】
【数８】
2020509662.tif 000010
【００６５】
個のＳＣを含む。ＵＥはＰＵＳＣＨ送信ＢＷ(“Ｘ”＝“Ｓ”)又はＰＵＣＣＨ送信ＢＷ(“Ｘ”＝“Ｃ”)において総
【００６６】
【数９】
2020509662.tif 000011
【００６７】
個のＳＣ５４０に対してＭＰＵＸＣＨ個のＲＢを割り当てられる。最後の一つ以上のスロットシンボルは一つ以上のＵＥからＰＵＣＣＨ送信又はＳＲＳ送信を多重化するのに用いられることができる。
【００６８】
ハイブリッドスロットは特別ＳＦと類似に、ＤＬ送信のためのシンボル、ガードピリオド(ｇｕａｒｄ ｐｅｒｉｏｄ、ＧＰ)のための一つ以上のシンボル、及びＵＬ送信のためのシンボルを含む。例えば、ＤＬ送信のためのシンボルはＰＤＣＣＨ及びＰＤＳＣＨ送信を伝達することができ、ＵＬ送信のためのシンボルはＰＵＣＣＨ送信を伝達することができる。例えば、ＤＬ送信のためのシンボルはＰＤＣＣＨ送信を伝達することができ、ＵＬ送信のためのシンボルはＰＵＳＣＨ及びＰＵＣＣＨ送信を伝達することができる。
【００６９】
図６は、本発明の実施形態によるＤＬ送信及びＵＬ送信のための例示的なハイブリッドスロット構造６００を示す図面である。図６に示されたハイブリッドスロット構造６００の実施形態はただ説明のためのことである。図６に示されたコンポーネントのうちのの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【００７０】
図６に示されたように、スロット６１０はそれぞれのＰＤＣＣＨ６３０でのＤＣＩ送信及びＤＭＲＳのためのシンボル、それぞれのＰＤＳＣＨ６４０でのデータ送信のための４個のシンボル、ＵＥがＤＬ受信でＵＬ送信で転換するためのガード時間を提供するＧＰシンボル６５０、及びＰＵＣＣＨ６６０でＵＣＩを送信するためのＵＬシンボルを含む多数のシンボル６２０で構成される。一般的に、ハイブリッドスロットのＤＬシンボルとＵＬシンボル間の任意の分割はスロットの第２シンボルでスロットの最後のシンボルまでのＧＰシンボルの位置をスライディングさせることによって可能である。ＧＰは一つのスロットシンボルよりさらに短くでも良く、さらに短いシンボルデュレーションを有するＤＬ送信又はＵＬ送信のために追加の時間のデュレーションが用いられることができる。ＧＰシンボルはスロット構造に明示的に含まれる必要がなく、実際においてはこのようなシンボルでＵＥに対する送信又はＵＥからの送信をスケジューリングしないことによってｇＮＢスケジューラから提供されることができる。
【００７１】
ＤＬ送信及びＵＬ送信はＤＦＴ−スプレッド−ＯＦＤＭ(ＤＦＴ−ｓｐｒｅａｄ−ＯＦＤＭ)と知られたＤＦＴプリコーディングを用いる変形を含むＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)波形を基盤とすることができる。
【００７２】
図７は、本発明の実施形態によるＯＦＤＭを用いる例示的な送信機構造７００を示す図面である。図７に示された送信機構造７００の実施形態はただ説明のためのことである。図７に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【００７３】
図７に示されたように、ＤＣＩビット又はデータビット７１０のような情報ビットがエンコーダー７２０によってエンコーディングされ、レートマッチャー７３０によって割り当てられた時間／周波数リソースにレートマッチングされ、変調器７４０によって変調される。以後、変調されたエンコーディングシンボル及びＤＭＲＳ又はＣＳＩ−ＲＳ７５０がＳＣマッピングユニット７６５によってＳＣ７６０にマッピングされ、フィルター７７０によって高速のフーリエ変換(ｉｎｖｅｒｓｅ ｆａｓｔ Ｆｏｕｒｉｅｒ ｔｒａｎｓｆｏｒｍ、ＩＦＦＴ)が行われ、ＣＰ挿入ユニット７８０によってサイクリックプレフィックス(ＣＰ)が追加され、さらに結果信号がフィルター７９０によってフィルタリングされた後に無線周波数(ＲＦ)ユニット７９５によって送信される。
【００７４】
図８は、本発明の実施形態によるＯＦＤＭを用いる例示的な受信機構造８００を示す図面である。図８に示された受信機構造８００の実施形態はただ説明のためのことである。図８に示されたこのコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【００７５】
図８に示されたように、受信された信号８１０がフィルター８２０によってフィルタリングされ、ＣＰ除去ユニットがＣＰ８３０を除去し、フィルター８４０が高速フーリエ変換(ＦＦＴ)を適用し、ＳＣデ−マッピングユニット８５０がＢＷ選択器ユニット８５５によって選択されたＳＣをデ−マッピングし、受信されたシンボルがチャンネル推定器及び復調器ユニットによって復調され、レートデ−マッチャー８７０がレートマッチングを復元し、さらにデコーダー８８０は結果ビットをデコーディングして情報ビット８９０を提供する。
【００７６】
ＵＥは一般的にスロット内の多数のＤＣＩフォーマットをデコーディングするためにそれぞれの潜在的ＰＤＣＣＨ送信に対する多数の候補位置をモニタリングする。ＤＣＩフォーマットはＵＥがＤＣＩフォーマットの正確な検出を確認するためにＣＲＣ(ｃｙｃｌｉｃ ｒｅｄｕｎｄａｎｃｙ ｃｈｅｃｋ)ビットを含む。ＤＣＩフォーマットタイプはＣＲＣビットをスクランブルする無線ネットワーク臨時識別子(ｒａｄｉｏ ｎｅｔｗｏｒｋ ｔｅｍｐｏｒａｒｙ ｉｄｅｎｔｉｆｉｅｒ、ＲＮＴＩ)によって識別される。単一のＵＥに対するＰＤＳＣＨ又はＰＵＳＣＨをスケジューリングするＤＣＩフォーマットの場合、ＲＮＴＩはセルＲＮＴＩ(Ｃ−ＲＮＴＩ)であっても良く、ＵＥ識別子として作用することができる。
【００７７】
システム情報(ｓｙｓｔｅｍ ｉｎｆｏｒｍａｔｉｏｎ、ＳＩ)を伝達するＰＤＳＣＨをスケジューリングするＤＣＩフォーマットの場合、ＲＮＴＩはＳＩ−ＲＮＴＩであっても良い。ランダムアクセス応答(ｒａｎｄｏｍ ａｃｃｅｓｓ ｒｅｓｐｏｎｓｅ、ＲＡＲ)を提供するＰＤＳＣＨをスケジューリングするＤＣＩフォーマットの場合、ＲＮＴＩはＲＡ−ＲＮＴＩであれば良い。ＵＥのグループにＴＰＣコマンドを提供するＤＣＩフォーマットの場合、ＲＮＴＩはＴＰＣ−ＰＵＳＣＨ−ＲＮＴＩ又はＴＰＣ−ＰＵＣＣＨ−ＲＮＴＩであれば良い。各ＲＮＴＩタイプはＲＲＣシグナリングのような上位階層シグナリングを介してＵＥに構成されることができる。ＵＥに対するＰＤＳＣＨ送信をスケジューリングするＤＣＳフォーマットはさらにＤＬ ＤＣＩフォーマット又はＤＬ割り当てでも指称され、ＵＥからのＰＵＳＣＨ送信をスケジューリングするＤＣＩフォーマットはさらにＵＬ ＤＣＩフォーマット又はＵＬグラントでも指称される。
【００７８】
図９は、本発明の実施形態によるＤＣＩフォーマットに対する例示的なエンコーディングプロセス９００を示す図面である。図９に示されたエンコーディングプロセス９００の実施形態はただ説明のためのことである。図９に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【００７９】
図９に示されたように、ｇＮＢはそれぞれのＰＤＣＣＨで各ＤＣＩフォーマットを個別的にエンコーディングして送信する。適用可能な場合、ＤＣＩフォーマットが意図されたＵＥに対するＲＮＴＩがＵＥにＤＣＩフォーマットを識別することができるようにするためにＤＣＩフォーマットコードワードのＣＲＣをマスキングする。例えば、ＣＲＣ及びＲＮＴＩは１６ビットを含むことができる。そうではなくて、ＲＮＴＩがＤＣＩフォーマットに含まれない場合、ＤＣＩフォーマットタイプインジケーターフィールドがＤＣＩフォーマットに含まれることができる。(非−コーディングされた)ＤＣＩフォーマットビット９１０のＣＲＣがＣＲＣ計算ユニット９２０を用いて決定され、また、ＣＲＣビットとＲＮＴＩビット９４０間のＸＯＲ(ｅｘｃｌｕｓｉｖｅ ＯＲ)演算ユニット９３０を用いてＣＲＣがマスキングされる。ＸＯＲ演算はＸＯＲ(０,０ ＝ ０、ＸＯＲ(０,１) ＝１、ＸＯＲ(１,０ ＝１、ＸＯＲ(１,１) ＝０と定義される。マスキングされたＣＲＣビットＣＲＣ追加ユニット９５０を用いてＤＣＩフォーマット情報ビットに追加される。エンコーダー９６０がチャンネルコーディング(例えば、テイル−バイティングコンボリューションコーディング又はポーラーコーディング)を行った以後に、レートマッチャー９７０による割り当てられたリソースに対するレートマッチングが後を付けるようになる。インターリービング及び変調ユニット９８０がＱＰＳＫのようなインターリービング及び変調を適用し、出力制御信号９９０が送信される。
【００８０】
図１０は、本発明の実施形態によるＵＥと共に用いるためのＤＣＩフォーマットに対する例示的なデコーディングプロセス１０００を示す図面である。図１０に示されたデコーディングプロセス１０００の実施形態はただ説明のためのことである。図１０に示されたこのコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【００８１】
図１０に示されたように、受信された制御信号１０１０は復調器及びデ−インタリバー１０２０によって復調及びデ−インターリービングされる。ｇＮＢ送信機で適用されたレートマッチングがレートマッチャー１０３０によって復元され、結果ビットがデコーダー１０４０によってデコーディングされる。デコーディング以後に、ＣＲＣ抽出器１０５０がＣＲＣビットを抽出してＤＣＩフォーマット情報ビット１０６０を提供する。ＤＣＩフォーマット情報拗るＲＮＴＩ(１０８０(適用可能な場合)を用いたＸＯＲ演算によってデ−マスキングされ(１０７０)、さらにＣＲＣチェックがユニット１０９０によって行われる。ＣＲＣチェックが成功すれば(チェックサムが０である)、ＤＣＩフォーマット情報ビットが有効なことで見なされる。ＣＲＣチェックが成功することができなければ、ＤＣＩフォーマット情報ビットは有効ではないことで見なされる。
【００８２】
ＰＤＣＣＨ送信はＲＢ及び制御リソースセットのシンボルからなる。ＵＥは一つ又は多数の制御リソースセットに対するＲＢ及びシンボルから構成されることができる。ＰＤＣＣＨは一つ又は多数の制御チャンネル要素(ｃｏｎｔｒｏｌ ｃｈａｎｎｅｌ ｅｌｅｍｅｎｔ、ＣＣＥ)のアグリゲーショを用いて送信される。ＤＣＩフォーマットのエンコーディングされて変調されたシンボルのブロックがＰＤＣＣＨ送信のために割り当てられたＣＣＥの一部である連関されたアンテナポート上の、ＳＣインデックスｋ及びスロットシンボルｌを介してリソース要素(ｋ、ｌ)に順次にマッピングされる。ＰＤＣＣＨ送信は周波数に分配されることができ、その後にインターリービングされたＰＤＣＣＨ送信で指称されるか、又は周波数でローカル化されることができ、その後に非−インターリービングされたＰＤＣＣＨ送信に指称される。
【００８３】
例えば、ｌ∈{０，１}である。ＰＤＣＣＨ探索空間はＵＥに共通的なことであっても良く、又はＵＥがｎＲＮＴＩであるＣ−ＲＮＴＩから構成される場合、ＵＥに特定的なことであれば良い。例えば、共通探索空間の場合、２個のＣＣＥアグリゲーションレベルＬ＝４及びＬ＝８に対してＹｋが０と設定される一方、ＣＣＥアグリゲーションレベルＬでのＵＥ特定探索空間
【００８４】
【数１０】
2020509662.tif 000012
【００８５】
の場合、変数Ｙｋは
【００８６】
【数１１】
2020509662.tif 000013
【００８７】
により定義され、ここで
【００８８】
【数１２】
2020509662.tif 000014
【００８９】
Ａ＝３９８２７、Ｄ＝６５５３７で、ｋはスロット番号である。例えば、Ｌ個のＣＣＥのセットレベルの場合、ＮＣＣＥ,ｋＣＣＥを含むサブフレームｋでのＰＤＣＣＨ候補ｍに対するＣＣＥの位置は
【００９０】
【数１３】
2020509662.tif 000015
【００９１】
として決定されることができる。ＵＥがＣ−ＲＮＴＩから構成されない場合、探索空間はすべてのＵＥに共通である。
【００９２】
ＰＤＣＣＨ送信の設計で重要な目的はそれぞれの信頼性を向上させることである。これは周波数ダイバーシティー又はビームフォーミングサポート、正確なチャンネル推定の可能、向上したカバレッジ及びＤＣＩフォーマット大きさの最小化を含む多くのメカニズムを介して達成されることができる。一つ以上のＵＥに対するデータ送信又は一つ以上のＵＥからのデータ送信をスケジューリングするＤＣＩフォーマットを伝達するＰＤＣＣＨのデコーディングが不正確な可能性が低いから、ＰＤＣＣＨ送信に対する信頼度が向上し、より少ないリソースの用いられる必要があるからＰＤＣＣＨ送信に対するオーバーヘッドが減少されることによって多いリソースがデータ送信に用いられることができるようにする。さらに、ＤＣＩフォーマットは連関されたペイ・ロードを最小化しながら送信モードの動的スイッチングを可能にすることができる。
【００９３】
ＰＤＣＣＨ送信はさらに減少されたレイテンシー及び向上した受信信頼度でＰＤＳＣＨ送信をスケジューリングする必要がある。これは通常的にＰＤＣＣＨ及びＰＤＳＣＨ送信が少ない数のシンボルを通じるので、ＰＤＳＣＨ送信が小さい送信ブロック大きさを伝達し、ＰＤＣＣＨが材料オーバーヘッドを示すことができることを意味する。このような場合、ＰＤＣＣＨ復調に用いられるＤＭＲＳのＰＤＳＣＨ復調のために再使用可能にすることによってＰＤＣＣＨ送信に係るオーバーヘッドを最小化することが重要である。
【００９４】
ｇＮＢと通信するＵＥはｇＮＢとの信頼性ある通信を維持するように時間トラッキング(ｔｉｍｅ ｔｒａｃｋｉｎｇ)及び周波数トラッキング(ｆｒｅｑｕｅｎｃｙ ｔｒａｃｋｉｎｇ)を行わなければならない。通常的に、これはＵＥが時間トラッキング及び周波数トラッキングのために用いることができるＲＳを送信するｇＮＢによって達成される。このようなＲＳの送信に係るオーバーヘッドを最小化するため、ＲＳは連続的に(さらに周期的でも)送信されなく、ＲＳはＰＤＣＣＨ復調に用いられるＤＭＲＳのような他の機能にもさらに用いられるＲＳであることが好ましい。
【００９５】
したがって、強化されたチャンネル推定で周波数ダイバーシティーを可能にするＰＤＣＣＨ送信を設計する必要がある。ビームフォーミング及び強化されたチャンネル推定ができるようにするＰＤＣＣＨ送信を設計する必要がある。ＰＤＣＣＨ送信及びＰＤＳＣＨ送信の復調のためにＤＭＲＳ再使用ができるようにする必要がある。さらに、共通探索空間でＰＤＣＣＨ送信のために構成可能なＣＣＥアグリゲーションレベルを可能にする必要もある。最後に、時間トラッキング及び周波数トラッキング及びＰＤＣＣＨ送信の復調のためにＤＭＲＳ再使用すべきまた他の必要がある。
【００９６】
一部実施形態で、周波数ダイバーシティー及び強化されたチャンネル推定ができるようにするためにそれぞれのアグリゲーションレベルに依存する分散型ＰＤＣＣＨ送信のためのＣＣＥ構造が考慮される。小さいＣＣＥアグリゲーションレベルの使用は通常的に比較的高いＳＩＮＲを経験するＵＥに係る一方、大きいＣＣＥアグリゲーションレベルの使用は通常的に比較的低いＳＩＮＲを経験するＵＥに係る。チャンネル推定正確度はＳＩＮＲに対する依存性が強く、ＳＩＮＲが低いほどチャンネル推定正確度が劣り、不正確なチャンネル推定によるＰＤＣＣＨ受信信頼も低下が大きくなる。反対に、周波数ダイバーシティーはＰＤＣＣＨ送信構造の特性でＳＩＮＲに依存しない。したがって、設計目的は十分な周波数ダイバーシティーを可能にする同時に関連されたＰＤＣＣＨ送信に対するＣＣＥアグリゲーションレベルが増加するによってチャンネル推定の正確性を増加させることができるようにすることである。通常的に、約２又は４オーダー(ｏｒｄｅｒ)の周波数ダイバーシティーはチャンネル媒体によって提供されるほとんどすべての周波数ダイバーシティー利得を捕捉するに十分である。
【００９７】
以下の説明では一つのＣＣＥが４個のＲＢを含むことで仮定するが６個のＲＢのような他の数のＲＢも適用されることができる。一つのＣＣＥ又は４個のＲＢを含む周波数分散ＰＤＣＣＨ送信に対して、それぞれのＲＢが周波数で分散することができ、周波数で隣接しない。これはＰＤＣＣＨ送信が、チャンネル媒体が提供することができるほとんどすべての周波数ダイバーシティー利得を捕捉することができるようにするが、チャンネル推定のために用いられるＤＭＲＳはそれぞれのＲＢ内に限定される必要があり、ＵＥが周波数分散したＲＢにかけて獲得されたチャンネル推定値をフィルタリングすることが一般的に有利ではない。ＲＢはリソース要素グループ(ｒｅｓｏｕｒｃｅ ｅｌｅｍｅｎｔ ｇｒｏｕｐ、ＲＥＧ)に相応する。
【００９８】
２個のＣＣＥ又は８個のＲＢを含む周波数分散ＰＤＣＣＨ送信の場合、周波数で４対のＲＢを分散させることによってチャンネル推定が向上することができる。すると、２個のＣＣＥを含むＰＤＣＣＨ候補を復調する場合、ＵＥはチャンネル推定のそれぞれの信頼度を向上させるために、各対のＲＢで同一なＤＭＲＳプリコーディングを仮定し、ＲＢ対でＤＭＲＳをフィルタリングすることができる。これと類似に、それぞれ１６個又は３２個のＲＢに対応する、４個のＣＣＥ又は８個のＣＣＥを含む周波数分散ＰＤＣＣＨ送信の場合、４個のＲＢブロック又は８個のＲＢブロックで送信が成ることができる(３２個のＲＢより大きい送信帯域幅を仮定した４個の個別周波数位置)。
【００９９】
すると、ＵＥはＲＢのそれぞれのブロック内でＤＭＲＳをフィルタリングすることができ、チャンネル推定のそれぞれの信頼性を向上させることができ、関連するＰＤＣＣＨ送信がチャンネル媒体からすべての周波数ダイバーシティー利得を得ることができる。さらに、周波数分散ＰＤＣＣＨ送信は一つのＣＣＥのアグリゲーションレベルから開始してＲＢのブロックからなることができる。例えば、ＣＣＥが６個のＲＢを含む場合、ＵＥに対するＣＣＥの一つのＣＣＥのアグリゲーションレベルを有するＰＤＣＣＨ送信が、ＵＥに対するＰＤＣＣＨ送信のために構成されたＤＬシステム帯域幅で２個のＲＢの３個の周波数不連続的なブロックを介して２個のＲＢブロックからなることができる。
一般的に、
【０１００】
【数１４】
2020509662.tif 000016
【０１０１】
個を含むＣＣＥの場合、ＵＥは周波数連続ＲＢのブロックを形成するＮｂｕｎｄｌｅ個のＲＢで上位階層によって構成されることができ、分散したＣＣＥ−対−ＲＢマッピングが総
【０１０２】
【数１５】
2020509662.tif 000017
【０１０３】
個の周波数分散ブロックＮｂｕｎｄｌｅＲＢに対するＮｂｕｎｄｌｅＲＢブロックからなることができる。例えば、一つのシンボルを含む制御リソースセット、
【０１０４】
【数１６】
2020509662.tif 000018
【０１０５】
及びＮｂｕｎｄｌｅ＝２の場合、
【０１０６】
【数１７】
2020509662.tif 000019
【０１０７】
周波数分散ブロックが存在し、
【０１０８】
【数１８】
2020509662.tif 000020
【０１０９】
及びＮｂｕｎｄｌｅ＝６、
【０１１０】
【数１９】
2020509662.tif 000021
【０１１１】
の場合、Ｎｂｕｎｄｌｅ＝６ 周波数連続ＲＢの一つのブロックだけが存在する。与えられたＤＭＲＳアンテナポートがＲＢの場合、ＵＥは同一なプリコーダーがＲＢのバンドル内のすべてのＲＢに適用されることで仮定することができる。さらに、ＲＢバンドルは
【０１１２】
【数２０】
2020509662.tif 000022
【０１１３】
より大きくなることができる。
これは、例えば共通探索空間(ｃｏｍｍｏｎ ｓｅａｒｃｈ ｓｐａｃｅ、ＣＳＳ)での、ＵＥ共通ＰＤＣＣＨの送信に有用することができ、ここでＤＭＲＳはＵＥに共通的なことであれば良い。例えば、Ｎｔｏｔａｌ個のＲＢのＢＷにかけている制御リソースセットでのＰＤＣＣＨ送信の場合、ＵＥはＮｔｏｔａｌ、又はＮｔｏｔａｌ／２又はＮｔｏｔａｌ／４であれば良い多数のＲＢに対して同一なＤＭＲＳプリコーディングを仮定するように構成されることができる。これはＵＥがより多い数のＲＢに対してＤＭＲＳをフィルタリングしてチャンネル推定を改善することができるようにする。
【０１１４】
ＣＳＳの場合、Ｎｂｕｎｄｌｅはシステム動作で予め定義されるか又はマスター情報ブロック(ＭＩＢ)又はセカンダリーシステム情報ブロック(ＳＩＢ)のようなブロードキャストシステム情報によってシグナリングされることがある。例えば、第１ＳＩＢの送信をスケジューリングする ＰＤＣＣＨはシステム動作で予め決定されたバンドル大きさを有することができる一方、第２ＳＩＢ又はＲＡＲの送信をスケジューリングするＰＤＣＣＨは第１ＳＩＢでシグナリングされるバンドル大きさを有することができる。
【０１１５】
ＣＣＥは一つのＯＦＤＭシンボルを介して送信されることができる。ＰＤＣＣＨ送信のためにより大きいＣＣＥアグリゲーションレベルを用い、ＯＦＤＭシンボルを介してそれぞれのＣＣＥを分散させることによって、必要な場合、カバレッジ強化が得られることができる。例えば、スロット内に
【０１１６】
【数２１】
2020509662.tif 000023
【０１１７】
個のＯＦＤＭシンボルを含むＤＬ制御リソースセット及びＬ個のＣＥのアグリゲーションレベルに対応するＰＤＣＣＨ候補に対し、ＣＣＥｉ、ｉ＝ ０，…，Ｌ−１が周波数優先ＲＥＧ−対−ＣＣＥマッピングの場合に
【０１１８】
【数２２】
2020509662.tif 000024
【０１１９】
で決定されるインデックスを有するＯＦＤＭシンボルに位置されることができる。
【０１２０】
【数２３】
2020509662.tif 000025
【０１２１】
個のＲＢを含むＤＬ制御リソースセットに対し、第１ＲＢのブロックはインデックス
【０１２２】
【数２４】
2020509662.tif 000026
【０１２３】
を有するＲＢで開始されることができ、第２ＲＢのブロックはインデックス
【０１２４】
【数２５】
2020509662.tif 000027
【０１２５】
を有するＲＢで開始されることができ、第３ＲＢのブロックはインデックス
【０１２６】
【数２６】
2020509662.tif 000028
【０１２７】
を有するＲＢで開始されることができ、第４ＲＢのブロックはインデックス
【０１２８】
【数２７】
2020509662.tif 000029
【０１２９】
を有するＲＢで開始されることができ、ここで、Ｏは例えば、ＵＥに対するＣ−ＲＮＴＩから決定されることができるかｇＮＢによる上位階層シグナリングを用いて明示的に構成されるか、又はＰＤＣＣＨが送信されるセルのアイデンティティーによって決定されることができるＵＥ特定オフセット又はセル特定オフセットである。
【０１３０】
図１１は、本発明の実施形態によるそれぞれのＣＣＥアグリゲーションレベルに依存する例示的な分散ＰＤＣＣＨ送信構造１１００を示す図面である。図１１に示された分散ＰＤＣＣＨ送信構造１１００の実施形態はただ説明のためのことである。図１１に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０１３１】
４個のＲＢを含む一つのＣＣＥのアグリゲーションレベルを有するＰＤＣＣＨ送信の場合、ＲＢは単一ＲＢごとに周波数で分散される(１１１０)。２個のＣＣＥのアグリゲーションレベル及びＣＣＥの時間優先マッピングを有するＰＤＣＣＨ送信の場合、それぞれの８個のＲＢは、ＲＢのブロック中の第１ＲＢは第１ＣＣＥのための第１ＯＦＤＭシンボル上に存在してＲＢのブロック中の第２ＲＢは第２ＣＣＥのための第２ＯＦＤＭシンボル上に存在する２個の隣接したＲＢのブロックで周波数が分散する(１１２０)。
【０１３２】
２個のＣＣＥのアグリゲーションレベル及びＣＣＥの周波数優先マッピングを有するＰＤＣＣＨ送信の場合、それぞれの８個のＲＢは、ＲＢのブロックそれぞれが同一なＯＦＤＭシンボル上に存在する２個の接したＲＢのブロックで周波数が分散する(１１３０)。類似の構造が２個のＣＣＥより大きいＣＣＥアグリゲーションレベルを有するＰＤＣＣＨ送信に適用されることができる。時間優先第１マッピングにおいて、例えば、４個のＣＣＥのアグリゲーションレベルをマッピングするための２個のＯＦＤＭシンボルがある場合のようにＣＣＥアグリゲーションレベルに対するＣＣＥより少ないＯＦＤＭシンボルがある場合、ラップアラウンド(ｗｒａｐ ａｒｏｕｎｄ)がＣＣＥのマッピングに適用されることができる(１１４０)。
【０１３３】
図１１のＣＣＥのＲＢに対するマッピングはＣＣＥを形成する論理ドメイン内の隣接した(連続的な)ＲＢインデックスから物理的ドメイン内の分散した(非連続的な)ＲＢのインデックスを獲得するためにＯＦＤＭシンボルごとに対するＲＢのインターリービングを考慮する。そうではなく、インターリービングがＯＦＤＭシンボルごとに対したことではなく代りに２つのＯＦＤＭシンボルにかけている場合には、与えられたＣＣＥに対するＲＢをただ一つのＯＦＤＭシンボル内に位置させることが可能ではないだろう。
【０１３４】
ＯＦＤＭシンボルに対する相違するＣＣＥのマッピングが相違するＰＤＣＣＨ送信タイプに対して構成されることができる。例えば、時間優先マッピングがビームフォーミングＰＤＣＣＨ送信のローカリゼーションを最大化して連関されたプリコーディング利得を最大化するためにＵＥに対するビームフォーミングローカリゼーションＰＤＣＣＨ送信に適用されることができる一方、時間優先マッピングが周波数ダイバーシティー利得を最大化するために送信機アンテナダイバーシティーを用いる周波数分散ＰＤＣＣＨ送信に適用されることができる。
【０１３５】
４個のＲＢ及び時間優先ＣＣＥ−対−ＲＥＧマッピングを含む一つのＣＣＥのアグリゲーションレベルを有するＰＤＣＣＨ送信の場合、ＲＥＧバンドルのＲＢは優先ＯＦＤＭシンボルごとに時間分散する。ＤＬ制御リソースセットがＬ個のＣＣＥのアグリゲーションレベルに対してＲＢ数
【０１３６】
【数２８】
2020509662.tif 000030
【０１３７】
より小さい
【０１３８】
【数２９】
2020509662.tif 000031
【０１３９】
ＯＦＤＭシンボルを有する場合、ＮｂｕｎｄｌｅＲＢに対して時間ドメインでラップアラウンドが適用され、
【０１４０】
【数３０】
2020509662.tif 000032
【０１４１】
ＲＢは第１ＯＦＤＭシンボルで第１ＲＢと隣接し、
【０１４２】
【数３１】
2020509662.tif 000033
【０１４３】
ＲＢは第１ＯＦＤＭシンボルで第２ＲＢと隣接し、
【０１４４】
【数３２】
2020509662.tif 000034
【０１４５】
ＲＢは第２ＯＦＤＭで第１ＲＢと隣接し、その他これと同様である。一般的には、
【０１４６】
【数３３】
2020509662.tif 000035
【０１４７】
ＲＢがｑ ＯＦＤＭシンボルでｐ−１ＲＢに隣接している。
図１２は、本発明の実施形態によるそれぞれのＣＣＥアグリゲーションレベルに依存する例示的なローカリゼーションＰＤＣＣＨ送信構造１２００を示す図面である。図１２に示されたローカリゼーションＰＤＣＣＨ送信構造１２００の実施形態はただ説明のためのことである。図１２に示された一つ以上の構成要素は注目された機能を行うように構成された特殊回路に具現されることができるか、一つ以上の構成要素は言及になった機能を行うための命令を行う一つ以上のプロセッサによって具現されることができる。他の実施形態が本発明の範囲を逸脱せず用いられる。
図１２に示されたように、ＤＬ制御リソースセットが
【０１４８】
【数３４】
2020509662.tif 000036
【０１４９】
シンボルを含み(１２１０)、さらにＰＤＣＣＨ送信が４個のＲＢを含む一つのＣＣＥのアグリゲーションレベルを有する場合、第１及び第 ３ＲＢが第１ＯＦＤＭシンボル上から周波数連続的にマッピングされ、第２及び第４ＲＢがそれぞれのＰＤＣＣＨ候補に対する第２ＯＦＤＭシンボル上から周波数連続的にマッピングされる。ＤＬ制御リソースセットが
【０１５０】
【数３５】
2020509662.tif 000037
【０１５１】
シンボルを含み(１２２０)、さらにＰＤＣＣＨ送信が４個のＲＢを含む一つのＣＣＥのアグリゲーションレベルを有する場合、第１、第２、第３及び第４ＲＢがそれぞれ第１、第２、第３及び第４ＯＦＤＭシンボル上の同一なＲＢインデックスにマッピングされる。ＰＤＣＣＨ候補は周波数分散する。
【０１５２】
図１１又は図１２のようなＣＣＥマッピングは相違する帯域幅受信能力を有するＵＥの同一な帯域幅での共存及び同一なＤＬ制御リソースセットで共通探索空間とＵＥ特定探索空間の共存を許容することができる。
【０１５３】
ＵＥはスロットの相違するシンボルで、或いは相違するスロットでの、相違する探索空間に関連された、相違するＤＬ制御リソースセットをモニタリングするように構成されることができる。この構成はＵＥグループ共通上位階層シグナリングによって又はＵＥ特定上位階層シグナリングによって成ることができる。例えば、ＵＥはスロットの第１一つ以上のシンボルで共通探索空間に係る第１ＤＬ制御リソースセットをモニタリングするように構成されることができ、スロットの第２一つ以上のシンボルで(例えば、スロットの第１一つ以上のシンボルの後)ＵＥ特定探索空間に係る第２ＤＬ制御リソースセットをモニタリングするように構成されることができる。
【０１５４】
例えば、ＵＥはスロットの第１一つ以上のシンボルで第１共通探索空間に係る第１ＤＬ制御リソースセットをモニタリングするように構成されることができ、スロットの第２一つ以上のシンボルで(例えば、スロットの第１一つ以上のシンボルの直ちに後)第２共通探索空間に係る第２ＤＬ制御リソースセットをモニタリングするように個別的に構成されることができる。例えば、ＵＥはスロットの第１一つ以上のシンボルで、例えば、第１ビームからの送信のために、第１ＵＥ特定探索空間に係る第１ＤＬ制御リソースセットをモニタリングするように構成されることができ、スロットの第２一つ以上のシンボルで(例えば、スロットの第１一つ以上のシンボルの直ちに後)第２ビームからの送信のために第２ＵＥ特定探索空間に係る第２ＤＬ制御リソースセットをモニタリングするように構成されることができる。
【０１５５】
例えば、ＵＥはスロットのピリオド内の第１個数のスロットで共通探索空間に係る、ＰＤＣＣＨ候補のようなパラメーター又は分散又はローカリゼーションＰＤＣＣＨ送信のような送信方式に従って第１ＤＬ制御リソースセットをモニタリングし、さらにスロットのピリオド内の第２個数のスロットでＵＥ特定探索空間に係るパラメーターによって第１ＤＬ制御リソースセットをモニタリングするように構成されることができる。スロットのピリオドは１０スロット又は２０スロットのようにシステム操作で決定されることができるか、又はＵＥグループ共通又はＵＥ特定上位階層シグナリングによってＵＥに対して構成されることができる。ＵＥによる探索空間のモニタリングはＵＥが探索空間でそれぞれのＣＣＥを用いてＰＤＣＣＨ候補に対するデコーディング動作を行うことを意味する。
【０１５６】
ＵＥは共通探索空間及びＵＥ特定探索空間層でＵＥ特定ＤＣＩフォーマットをモニタリングすることができる。このような機能ができるようにするために、ＵＥは関連する探索空間タイプ(共通又はＵＥ特定)によって制御リソースセットでＵＥ特定ＤＣＩフォーマットの受信のためのパラメーターを調整することができる。例えば、ＰＤＣＣＨでＵＥ特定ＤＣＩフォーマット送信に係ったＤＭＲＳの送信をスクランブリングするシーケンスは、その送信が共通探索空間で成り立つ場合第１スクランブリングシーケンスであることができ、その送信がＵＥ特定探索空間で成る場合、第 ２スクランブリングシーケンスであれば良い。例えば、ＲＢでＭＲＳ送信のために用いられるサブ−キャリアの数は共通探索空間での第１値及びＵＥ特定探索空間での第２値を有することができる。例えば、分散ＰＤＣＣＨ送信のための送信アンテナダイバーシティーのような第１送信方式は共通探索空間でのＤＣＩフォーマット受信に係ることができ、ローカリゼーションＰＤＣＣＨ送信のためのプリコーディング／ビームフォーミングのような第２送信方式はＵＥ特定探索空間でのＤＣＩフォーマット受信に係ることができる。
【０１５７】
ＵＥはさらに第１周期を有する第１探索空間及び第２周期を有する第２探索空間をモニタリングするように構成されることができる。例えば、第１探索空間は共通探索空間であることができ、周期は５個のスロットであることができ、第２探索空間はＵＥ特定探索空間であれば良く、周期は一つのスロットであれば良い。例えば、第１探索空間は第１ＵＥ特定探索空間であることができ、与えることは一つのスロットであることができ、第２探索空間は第２ＵＥ特定探索空間であることができ、周期はスロットの１／５又は１／２となることができる。したがって、ＵＥが一定時間ピリオド間の行うことができるデコーディング動作の数はＵＥが当該ピリオド間モニタリングする探索空間の数に依存することができる。
【０１５８】
例えば、ＵＥが共通探索空間をモニタリングしない時間ピリオドでは、関連されるＰＤＣＣＨデコーディング動作がＵＥ特定探索空間をモニタリングするために用いられることができる。ＵＥ特定探索空間に対する少なくても一部ＣＣＥアグリゲーションレベルに対するＰＤＣＣＨ候補の数は、ＵＥが共通探索空間をモニタリングしない時間ピリオドでより大きくなることができる。例えば、ＵＥがより長い周期に係るＵＥ特定探索空間をモニタリングしない時間ピリオドでは、対応するＰＤＣＣＨデコーディング動作が、より短い周期に係るＵＥ特定探索空間をモニタリングすることに割り当てられることができる。より短いモニタリング周期を有するＵＥ特定探索空間に対する少なくても一部ＣＣＥアグリゲーションレベルに対するＰＤＣＣＨ候補の数は、ＵＥがより長いモニタリング周期を有するＵＥ特定探索空間をモニタリングしない時間ピリオドでより大きくなることができる。
【０１５９】
それぞれのサービングセルにおいて、上位階層シグナリングはＰ個の制御リソースセットでＵＥを構成する。制御リソースセットｐに対して(０≦ｐ＜Ｐ)、この構成は次を含むことができる：サブキャリア間隔及びＣＰ長さ；上位階層パラメーターＣＯＲＥＳＥＴ−ｓｔａｒｔ−ｓｙｍｂによって提供される第１シンボルインデックス；上位階層パラメーター[ＣＯＲＥＳＥＴ−ｔｉｍｅ−ｄｕｒａｔｉｏｎ]によって提供される連続的なシンボルの数；上位階層パラメーターＣＯＲＥＳＥＴ−ｆｒｅｑ−ｄｏｍによって提供されるリソースブロックのセット；上位階層パラメーターＣＯＲＥＳＥＴ−ｔｒａｎｓ−ｔｙｐｅによって提供されるＣＣＥ−対−ＲＥＧマッピング；及び／又はインターリービングされたＣＣＥ−対−ＲＥＧマッピングの場合、上位階層パラメーターＣＯＲＥＳＥＴ−ＲＥＧ−ｂｕｎｄｌｅ−ｓｉｚｅによって提供されるＲＥＧバンドル大きさ；上位階層パラメーターＣＯＲＥＳＥＴ−ＣＣＥ−ＲＥＧ−ｍａｐｐｉｎｇ−ｔｙｐｅによって提供されるＰＤＣＣＨ送信が分散型であるか、又はローカリゼーション型である否か、或いは上位階層パラメーター[ＣＯＲＥＳＥＴ−ＱＣＬ−ＣｏｎｆｉｇＩｄ]によって提供されるアンテナポートＱＣＬ(ｑｕａｓｉ−ｃｏｌｌｏｃａｔｉｏｎ)。
【０１６０】
ＵＥがＰＤＣＣＨをモニタリングするように構成された各サービングセル及び各ＤＣＩフォーマットに対して、ＵＥは制御リソースセットに対する次のような連関で構成される：上位階層パラメーターＤＣＩ−ｔｏ−ＣＯＲＥＳＥＴ−ｍａｐによる制御リソースセットのセット；上位階層パラメーターＣＯＲＥＳＥＴ−ｃａｎｄｉｄａｔｅｓ−ＤＣＩによる制御リソースセットのセット内の制御リソースセットごとに対するＣＣＥアグリゲーションレベルＬ当たりＰＤＣＣＨ候補の数；及び／又は非−ＤＲＸモード動作で、上位階層パラメーターＣＯＲＥＳＥＴ−ｍｏｎｉｔｏｒ−ｐｅｒｉｏｄ−ＤＣＩによって制御リソースセットのセット内の制御リソースセットごとに対するｋｐシンボルのモニタリング周期。
それぞれの制御リソースセットは
【０１６１】
【数３６】
2020509662.tif 000038
【０１６２】
がモニタリングピリオドｋｐでの制御リソースセットｐ内のＣＣＥの受忍０から
【０１６３】
【数３７】
2020509662.tif 000039
【０１６４】
まで番号が付けられたＣＣＥのセットを含む。モニタリングピリオドはシステムフレーム番号の数、システムフレーム番号サイクル又は４０ミリ秒のような予め決定されたデュレーションのような、予め決定された時間ピリオド内で(モジュールで)インデクシングされることができる。
ＵＥがモニタリングするＰＤＣＣＨ候補のセットはＰＤＣＣＨ ＵＥ特定探索空間の観点で定義される。ＣＣＥアグリゲーションレベルＬでのＰＤＣＣＨ ＵＥ特定探索空間
【０１６５】
【数３８】
2020509662.tif 000040
【０１６６】
(例えば、Ｌ∈｛１，２，４，８，１６｝)はＣＣＥアグリゲーションレベルＬに対するＰＤＣＣＨ候補のセットによって定義される。
ＵＥが上位階層パラメーターｃｉｆ−ＩｎＳｃｈｅｄｕｌｉｎｇＣｅｌｌから構成されると、キャリアインジケーターフィールド値はｃｉｆ−ＩｎＳｃｈｅｄｕｌｉｎｇＣｅｌｌに対応する。
【０１６７】
ＵＥがＵＥ特定探索空間でＰＤＣＣＨ候補をモニタリングするサービングセルに対して、ＵＥがキャリアインジケーターフィールドから構成されていなければ、ＵＥはキャリアインジケーターフィールドなしにＰＤＣＣＨ候補をモニタリングする。ＵＥがＵＥ特定探索空間でＰＤＣＣＨ候補をモニタリングするサービングセルに対し、ＵＥがキャリアインジケーターフィールドで構成されていると、ＵＥはキャリアインジケーターフィールドでＰＤＣＣＨ候補をモニタリングする。
【０１６８】
制御リソースセットｐ及びＤＣＩフォーマットＡに対して(例えば、Ｐ＝２制御リソースセットに対して)、キャリアインジケーターフィールド値ｎＣＩに対応するサービングセルに対する探索空間のＰＤＣＣＨ候補
【０１６９】
【数３９】
2020509662.tif 000041
【０１７０】
に対応するＣＣＥは次のように与えられる:
【０１７１】
【数４０】
2020509662.tif 000042
【０１７２】
Ａ０＝３９８２７、Ａ１＝３９８２９、Ｄ＝６５５３７；ｉ＝０,．．．,Ｌ−１であり；ｎＣＩはＰＤＣＣＨがモニタリングされるサービングセルに対するキャリアインジケーターフィールドでＵＥが構成される場合のキャリアインジケーターフィールド値であり；そうではない場合、
【０１７３】
【数４１】
2020509662.tif 000043
【０１７４】
は制御リソースセットｐ内のＣＣＥアグリゲーションレベルＬに対して構成されたすべてのｎＣＩ値に対する、構成されたすべてのＤＣＩフォーマットのうちのいずれ又はＤＣＩフォーマットＡに対するゴッマンであることができるＰＤＣＣＨ候補の最大数
【０１７５】
【数４２】
2020509662.tif 000044
【０１７６】
であり；(ここで、
【０１７７】
【数４３】
2020509662.tif 000045
【０１７８】
はｎＣＩに対応するサービングセルに対するアグリゲーションレベルＬをモニタリングするようにＵＥが構成されるＰＤＣＣＨ候補の数)；ｎＲＮＴＩはそれぞれのＤＣＩフォーマットに用いられるＲＮＴＩ値である。
【０１７９】
【数４４】
2020509662.tif 000046
【０１８０】
は相違するＰＤＣＣＨモニタリングピリオドｋｐで互いに異なることができるから、
【０１８１】
【数４５】
2020509662.tif 000047
【０１８２】
値はＰＤＣＣＨモニタリングピリオドによって変わることができ、したがって、
【０１８３】
【数４６】
2020509662.tif 000048
【０１８４】
は
【０１８５】
【数４７】
2020509662.tif 000049
【０１８６】
で取り替えられることができる。したがって、
【０１８７】
【数４８】
2020509662.tif 000050
【０１８８】
はＰＤＣＣＨモニタリングピリオドｋｐで制御リソースセットｐ内のＣＣＥアグリゲーションレベルＬＤＰに対する構成されたすべてのｎＣＩ値に対する、すべての構成されたＤＣＩフォーマットのうちのいずれやＤＣＩフォーマット Ａに対することだけの、ＰＤＣＣＨ候補の最大数であれば良い。そうではなければ、
【０１８９】
【数４９】
2020509662.tif 000051
【０１９０】
は制御リソースセットｐ内のＣＣＥアグリゲーションレベルＬに対して構成されたすべてのｎＣＩ値に対する及びすべての入れ子ＰＤＣＣＨモニタリングピリオドに対するすべての構成されたＤＣＩフォーマットのうちの最大ＰＤＣＣＨ候補数であれば良い。
【０１９１】
与えられたＤＣＩフォーマット大きさ、キャリアインジケーターフィールド、及びＣ−ＲＮＴＩによってスクランブリングされたＣＲＣで与えられたサービングセルでＰＤＣＣＨ候補をモニタリングするように構成されたＵＥは(ＰＤＣＣＨ候補は与えられたＤＣＩフォーマット大きさに対するキャリアインジケーターフィールドの一つ以上の可能な値を有することができる)、与えられたＤＣＩフォーマット大きさを有するＰＤＣＣＨ候補が与えられたＤＣＩフォーマット大きさに対して可能なキャリアインジケーターフィールドの値のうちの任意のことに対応する任意のＰＤＣＣＨ ＵＥ特定探索空間内の与えられたサービングセルで送信されることができることで仮定することができる。
【０１９２】
ＰＤＣＣＨ送信方式はＰＤＳＣＨ送信方式と異なることができ、ＰＤＣＣＨ送信帯域幅はＰＤＳＣＨ送信帯域幅と異なることができるからＰＤＣＣＨ及びＰＤＳＣＨ復調のために同一なＤＭＲＳを用いることは一般的に不可能である。例えば、ＵＥに対するＰＤＣＣＨ送信は階層の空間多重化なしに第１帯域幅で行われることができる一方、ＵＥに対するＰＤＳＣＨ送信は階層の空間多重化を持って第２帯域幅で成ることができる。
【０１９３】
ＰＤＣＣＨ復調のための第１ＤＭＲＳ送信及びＰＤＳＣＨ復調のための第２ＤＭＲＳ送信に係るオーバーヘッドを減らすため、特に通常的に階層の空間多重化から利点のない小さなデータ送信ブロック大きさの送信において、ＵＥはＰＤＣＣＨ送信及びＰＤＳＣＨ送信のために同一な送信方式を仮定することができる。さらに、ＰＤＣＣＨ送信帯域幅はＰＤＳＣＨ送信帯域幅内に含まれることができる。
【０１９４】
図１３は、本発明の実施形態による復調のために同一なＤＭＲＳを用いる例示的なＰＤＣＣＨ送信及びＰＤＳＣＨ送信１３００を示す図面である。図１３に示されたＰＤＣＣＨ送信及びＰＤＳＣＨ送信１３００の実施形態はただ説明のためのことである。図１３に示されたコンポーネントのうちの一つ以上は言及された機能を行うように構成された特殊回路に具現されることができるか、このコンポーネントのうちの一つ以上は言及された機能を行うための命令を行う一つ以上のプロセッサによって具現されることができる。他の実施形態が本発明の範囲を逸脱せず用いられる。
【０１９５】
図１３に示されたように、ＰＤＣＣＨ送信は第１ＯＦＤＭシンボルを介して行われ、ＰＤＳＣＨ送信は第１及び第２ＯＦＤＭシンボルを介して成る(１３１０)。ＰＤＣＣＨ送信はＰＤＳＣＨ送信のための多数のＲＢのサブセットである多数のＲＢを介して行われる。例えば、ＰＤＣＣＨ送信のためのＲＢはＰＤＳＣＨ送信のためのＤ≧Ｃ ＲＢの中心Ｃ ＲＢであれば良い。第１ＯＦＤＭシンボルでのＰＤＣＣＨ ＲＢ１３２０及びＰＤＳＣＨ ＲＢはそれぞれ制御情報及びデータ情報の送信に用いられるサブ−キャリア以外にＤＭＲＳ送信に用いられるサブ−キャリアを含む。例えば、３個のサブ−キャリアごとに一つのサブ−キャリアがＤＭＲＳ送信に用いられることができる。第２ＯＦＤＭシンボル内のＰＤＳＣＨ ＲＢ１３４０はＤＭＲＳ送信のために用いられるサブ−キャリアを含まない。ＰＤＣＣＨ送信又はＰＤＳＣＨ送信の復調のために、ＵＥは第１シンボル内のＰＤＳＣＨ送信に用いられるＲＢ及びＰＤＣＣＨ送信に用いられるＲＢのいずれもＤＭＲＳサブ−キャリアをフィルターリングすることができる。
【０１９６】
これはさらにＵＥがＰＤＣＣＨ送信及びＰＤＳＣＨ送信を復調するためにただ一つのチャンネル推定のみを得ることが必要であるからＵＥ計算複雑性及び電力消耗を減少させる。第１ＯＦＤＭシンボル内のＲＢを通じるＤＭＲＳフィルタリングが有効なチャンネル推定をもたらすため、ＤＭＲＳは第１ＯＦＤＭシンボル内のすべてのＲＢにかけて同一なプリコーディングを用いる必要があり、同一なプリコーディングがさらにＰＤＣＣＨ送信及びＰＤＳＣＨ送信のために用いられる必要がある。例えば、ＰＤＣＣＨ送信及びＰＤＳＣＨ送信のいずれも同一な送信機ダイバーシティー方式に基づくことができる。例えば、ＰＤＣＣＨ送信及びＰＤＳＣＨ送信のいずれもビームフォーミング送信に対する同一なプリコーディングの使用に基づくことができる。
【０１９７】
ＤＭＲＳはチャンネル推定を向上させるために電力がブーストされることができるから、電力ブーストされたＤＭＲＳ間の相互干渉によってＤＭＲＳ送信電力増加からの有用性が概して無効化されることができるので、同一なスロットシンボルの同一なサブ−キャリア上に隣接セルではＤＭＲＳ送信を配置しないことが有利することができる。したがって、ＲＢでＤＭＲＳ送信のために用いられる位置(サブ−キャリア)は擬似ランダム(ｐｓｅｕｄｏ−ｒａｎｄｏｍ)や又は例えば、ｇＮＢによって用いられる同期信号シーケンスとの連関を介してｇＮＢによって指示されることができる。擬似ランダム決定はＤＭＲＳが送信されるセルのアイデンティティーに基づくことができる。
【０１９８】
例えば、１２個のサブ−キャリアからなるＲＢ内の４個の等間隔のサブ−キャリアに対するアンテナポートからのＤＭＲＳ送信において、ＲＢ内のＤＭＲＳ送信を有するサブ−キャリアは
【０１９９】
【数５０】
2020509662.tif 000052
【０２００】
として決定されることができ、ここでｋ＝０,１,２,３で
【０２０１】
【数５１】
2020509662.tif 000053
【０２０２】
である(
【０２０３】
【数５２】
2020509662.tif 000054
【０２０４】
はＵＥがセルとの初期同期化プロセスから獲得するセルＩＤである)。例えば、１２個のサブ−キャリアからなるＲＢ内の２個の等間隔のサブ−キャリアに対するアンテナポートからのＤＭＲＳ送信において、ＲＢ内のＤＭＲＳ送信を有するサブ−キャリアは
【０２０５】
【数５３】
2020509662.tif 000055
【０２０６】
として決定されることができ、ここでｋ＝０,１で
【０２０７】
【数５４】
2020509662.tif 000056
【０２０８】
である。ｇＮＢによる表示は１次同期信号又は２次同期信号のような同期信号を送信するのに用いられるシーケンスに基づくことができる。
分散ＰＤＣＣＨ送信及びローカリゼーションＰＤＣＣＨ送信が同一なＤＬ制御リソースセットで多重化されることができる場合、分散ＰＤＣＣＨ送信はプリコーダーサイクリングを用いる送信ダイバーシティー方式に基づくことができ、ここで、一部ＲＢで、プリコーダーはローカリゼーションＰＤＣＣＨ送信と連関されることもできる。このような場合、ＵＥはＰＲＢのＤＭＲＳが相違するスロット又は周波数隣接ＲＢで同一なプリコーダーを用いることで仮定することができなく、時間トラッキング又は周波数トラッキングのためにＤＭＲＳを用いることができない。
【０２０９】
ＵＥが時間トラッキング及び周波数トラッキングのためにＰＤＣＣＨ送信の復調に係ったＤＭＲＳを用いることによって前記の限界を回避するため、ＤＭＲＳが予め決定されたスロット又は予め決定されたＲＢで同一なプリコーディングを用いるということをＵＥに予め通知することができる(ＤＭＲＳ送信により)。予め決定されたスロット又は予め決定されたＲＢは例えば、毎５ｍｓごとにすべてのスロット又はＤＬ制御リソースセットのすべてのＲＢのようにシステム動作で定義されるか、システム情報によってシグナリングされても良い。例えば、予め決定されたスロット又は予め決定されたＲＢはｇＮＢが第１システム情報ブロックをスケジューリングするＰＤＣＣＨを送信するものなどであることで決定されることができる。予め決定されたＤＬ制御リソースセットのＲＢ及び予め決定されたスロットでのＤＭＲＳ送信が同一なプリコーディングを用いるという仮定に基づいて、ＵＥはＤＭＲＳを用いてチャンネル推定以外に時間トラッキング又は周波数トラッキングを行うことができる。
【０２１０】
プリコーダーサイクリングを用いるＰＤＣＣＨ送信ダイバーシティー方式の場合、Ｎｂｕｎｄｌｅ隣接ＲＢのバンドルごとにプリコーダー加重値が指定されることができる。例えば、
【０２１１】
【数５５】
2020509662.tif 000057
【０２１２】
及び２つの送信機アンテナに対して、第１ＲＢのＮｂｕｎｄｌｅでのプリコーダーは {１；１}になることができ、第２ＲＢのＮｂｕｎｄｌｅでのプリコーダーは {１；−１}になることができ、第３ＲＢのＮｂｕｎｄｌｅでのプリコーダーは {１；ｊ}になることができ、第４ＲＢのＮｂｕｎｄｌｅでのプリコーダーは {１；−ｊ}になることができる。それぞれのＲＢバンドルに適用されたプリコーダーが分かると、ＵＥはプリコーディングを除去してＮｔｏｔａｌＲＢを介して非−プリコーディングされたＤＭＲＳ受信を得ることができる。このような非−プリコーディングされたＤＭＲＳは相違する時間インスタンスで受信される時の広帯域チャンネル推定又は時間トラッキングのような他の目的のために用いられることができる。
【０２１３】
図１４は、ＵＥが本発明の実施形態によって予め決定されたスロットで及び予め決定されたＤＬ制御リソースセットのＲＢで同一なＤＭＲＳプリコーディングを仮定する例示的な動作１４００を示す図面である。図１４に示された動作１４００の実施形態はただ説明のためのことである。図１４に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０２１４】
図１４に示されたように、ｇＮＢはＤＬ制御リソースセットでＤＭＲＳを送信する(１４１０)。ＵＥはＤＭＲＳを受信し(１４２０)、そのスロットで固定されたＤＭＲＳプリコーディングを仮定することができるか否かを決定する(１４３０)。この決定は予め決定されたスロット周期に基づくか、或いはｇＮＢからのシステム情報によってシグナリングされたスロットパターン(例えば、時間周期的に繰り返されるビットマップを使用)に基づくことができる。ＲＢはＤＬ制御リソースセットでＤＭＲＳ送信を有するすべてのＲＢを含むことができるか、又は上位階層シグナリングを用いてｇＮＢによってシグナリングされることができる。
【０２１５】
例えば、共通探索空間に係るＲＢがＤＬ制御リソースセット内のすべてのＲＢがではない場合、ＲＢは共通探索空間でのＰＤＣＣＨ送信に用いられるものであっても良い。さらに、ＵＥが多数のＤＬ制御リソースセットから構成される場合、ＲＢはさらにスロットでＵＥグループ共通ＤＬ制御シグナリングの送信を含むことができる第１ＤＬ制御リソースセット内のことであれば良い。ＵＥがスロットで固定されたＤＭＲＳプリコーディングを仮定することができない場合、ＵＥは時間トラッキング又は周波数トラッキングのためにスロットで受信されるＤＭＲＳを用いることができない(１４４０)。ＵＥがスロットで固定されたＤＭＲＳプリコーディングを仮定することができる場合、ＵＥは時間トラッキング又は周波数トラッキングのためにスロットで受信されるＤＭＲＳを用いることができる(１４５０)。
【０２１６】
ＰＵＳＣＨ送信に対するＰＤＳＣＨ送信における多くの送信方式が存在することができる。送信方式が上位階層シグナリングによって構成される場合、ＵＥは送信方式に必要なフィールドのみを含むＤＣＩフォーマットをモニタリングすることができ、相違するＤＣＩフォーマットは相違する送信方式と連関されることができる。
【０２１７】
動作の単純性を提供するが、ＰＤＳＣＨ又はＰＵＳＣＨに対する送信方式の準−静的(ｓｅｍｉ−ｓｔａｔｉｃ)構成は、例えば、ＵＥが経験しているチャンネル媒体変化に基づいてｇＮＢがＵＥに対する送信方式に速やかに適応することができないから不利で、代りにＵＥは上位階層シグナリングによる再構成に依存すべきである。多数の送信方式のセットの間の動的適応がそれぞれの多くの大きさを有するそれぞれの多数のＤＣＩフォーマットのセットの使用に基づく場合、ＵＥはそれぞれのスロットで多数のＤＣＩフォーマットそれぞれをデコーディングし、それぞれのＰＤＳＣＨ送信又はＰＵＳＣＨ送信に用いられる送信方式を決定しなければならなく、これは例えば、相違する大きさを有する多数のＤＣＩフォーマットの数と同一なファクターほど、ＵＥがスロット当たり行わなければならないデコーディング動作の数を増加させる。代りに、ＵＥがスロットごとに単一ＤＣＩフォーマットをデコーディングするためにそれぞれの送信方式を示すフラッグを含む単一ＤＣＩフォーマットが用いられることができる。
【０２１８】
一送信方式を用いるＰＤＳＣＨ送信又はＰＵＳＣＨ送信のスケジューリングがＤＣＩフォーマットのすべてのフィールドを要しないか、又は減少されたビット数を有したフィールドを要する場合、減少されたデコーディング動作数に対するトレードオフは間歇的に不必要なオーバーヘッドである。単一ＤＣＩフォーマットに係ることができる送信方式は最大のビット数を要する送信方式より最大２０％少ないビット数のような、類似のビット数を要する送信方式であることができ、ＤＣＩフォーマットの大きさを決定することである。
【０２１９】
２個より多い送信方式のように、多数の送信方式を示すことができるＤＣＩフォーマットでフラッグを導入することに係るオーバーヘッドを減少させるために、フラッグは入れ子構造(ｎｅｓｔｅｄ ｓｔｒｕｃｔｕｒｅ)を有することができ、ＤＣＩフォーマットで最も多い数のビットを要する、第１送信方式で指称される、一送信方式でＰＤＳＣＨ送信又はＰＵＳＣＨ送信をスケジューリングするのに必要なビット数に比べてただ一つの追加ビットを含むことができる。
【０２２０】
このフラッグはＤＣＩフォーマットの開始部分に位置される。ＵＥは先ず二進フラッグの値を検査することができる。フラッグ値が第１値の場合、ＵＥは関連されたＰＤＳＣＨ又はＰＵＳＣＨ送信の送信方式が第１送信方式であることで決定することができる。フラッグ値が第２値の場合、ＵＥは第１送信方式に係るスケジューリングに用いられないＤＣＩフォーマットの追加ビット数を決定することができ、拡張されたフラッグの役目がすることができる。例えば、フラッグ値が第２値の場合、追加ビットの位置はフラッグ以後であれば良く、ＤＣＩフォーマットの最後(ＤＣＩフォーマットの最終ビット)であれば良い。例えば、第１送信方式に比べてＤＣＩフォーマットで第２目で多くの必要ビット数を有する第２送信方式に比べて２ビット少ないビットが存在する場合、２ビットの値はＤＣＩフォーマットが第２、第３、第４又は第５の任意の送信方式でそれぞれのＰＤＳＣＨ又はＰＵＳＣＨ送信をスケジューリングするか否かを示すのに用いられることができる。
【０２２１】
図１５は、本発明の実施形態によるＰＤＳＣＨ送信又はＰＵＳＣＨ送信のための多数の送信方式のうちの一つの送信方式を示すための二進フラッグを含むＤＣＩフォーマットに対する例示的な動作１５００を示す図面である。図１５に示された動作１５００の実施形態はただ説明のためのことである。図１５に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０２２２】
図１５に示されたように、ｇＮＢはＰＤＣＣＨを介して“フラッグ”フィールドを含むＤＣＩフォーマットをＵＥに送信する(１５１０)。ＵＥはＤＣＩフォーマットを検出して(１５２０)“フラッグ”フィールドの値が“１”であるか否かを決定する(１５３０)。否定の場合、ＵＥは第１それぞれの送信方式で関連するＰＤＳＣＨ送信又はＰＵＳＣＨ送信を受信する(１５４０)。肯定の場合、ＵＥは第１送信方式にスケジューリングするためにＤＣＩフォーマットに含まれるが任意の他の送信方式とのスケジューリングに使用しない追加ビットに対する値が“１”であるか否かを決定する(１５５０)。否定の場合、ＵＥはそれぞれの第２送信方式に係るＰＤＳＣＨ送信又はＰＵＳＣＨ送信を受信して(１５６０)；そうではない場合、ＵＥはそれぞれの第３送信方式に係るＰＤＳＣＨ送信又はＰＵＳＣＨ送信を受信する(１５７０)。
【０２２３】
ＵＥによってモニタリングされる第２ＤＣＩフォーマット(非−フォールバックＤＣＩフォーマット)より小さい大きさを有するＵＥによってモニタリングされる第１ＤＣＩフォーマット(フォールバックＤＣＩフォーマット)のような、ＵＥ特定探索空間で送信される予め決定されたＤＣＩフォーマットは、ＵＥに又はＵＥからの送信のためのパラメーターがｇＮＢによって再構成される時間ピリオド間のフォールバック動作を提供するのに用いられることができる。例えば、ＵＥに対するＰＤＳＣＨ送信をスケジューリングするＤＣＩフォーマットは、スロット内のシンボルを含むスロットオフセットを示すフィールド、又はＰＤＣＣＨによって伝達するデータ受信に応答してＵＥによるＰＵＣＣＨ送信用リソースを示すフィールドを含むことができる。
【０２２４】
ＵＥは上位階層によってスロットオフセットセット又はＰＵＣＣＨソースセットから構成されることができ、それぞれのフィールドはそれぞれのセットのうちの一つの値を示すことができる。一つ以上のこのような値のセットで値再構成に係る時間ピリオド間、又はこのような値のセットで値のＵＥ特定上位階層シグナリングによる構成以前に、ＵＥはＵＥグループ共通システム情報によって示される値を用いることができる。ＵＥはＵＥグループ共通上位階層シグナリング(システム情報)によってシグナリングされる値、又は関連されたＤＣＩフォーマットに基づいてＵＥ特定上位シグナリングによってシグナリングされる使用値のうちのいずれを用いるかを決定することができ、ＵＥはフォールバックＤＣＩフォーマットのような第１ＤＣＩフォーマットを検出し、ＵＥが非−フォールバックＤＣＩフォーマットのような第２ＤＣＩフォーマットを検出する場合、後者の値を用いる。
【０２２５】
さらに、ＤＣＩフォーマットは同一であれば良く、図１５で説明されたフラッグ値によって区別されることができる。例えば、フラッグ値はＨＡＲＱ−ＡＣＫ送信タイミングオフセット又はＨＡＲＱ−ＡＣＫ送信のためのＰＵＣＣＨリソース、ＵＥ 共通上位階層シグナリングによってＵＥでシグナリングされる、関連ＤＣＩフォーマットのための送信スロットに対するＰＤＳＣＨ又はＰＵＳＣＨ送信のためのスロットタイミングオフセットのような、パラメーター値の使用に対応することができる。したがって、関連するＰＤＳＣＨ送信又はＰＵＳＣＨ送信のための送信方式の差別化を提供すること以外に、ＤＣＩフォーマットのフラッグフィールドは、ＵＥ 共通上位階層シグナリングによって構成されるか、又はＵＥ共通上位階層シグナリングによって構成される値によってＤＣＩフォーマットの他のフィールドに対する値の解釈のための差別化を提供することができる。
【０２２６】
システム動作の柔軟性及びＰＤＣＣＨ送信に対する信頼性を向上させるため、ＵＥが共通探索空間でモニタリングする複数のＣＣＥアグリゲーションレベル及びＣＣＥアグリゲーションレベルごとに複数の候補がｇＮＢからのシステム情報によって構成されることができる。例えば、第１システム情報ブロックは、例えばランダムアクセス応答、ページングをスケジューリングするか又はＣＳＳ内の送信電力制御コマンドのようなＵＥグループ共通情報送信のために用いられる、ＰＤＣＣＨ送信のためのＣＣＥアグリゲーションレベルの数及びＣＣＥアグリゲーションレベルごとの候補数を示すことができる。第１システム情報ブロックは予め決定された一つ以上のＣＣＥアグリゲーションレベルセットのうちの一つＣＣＥアグリゲーションレベルにスケジューリングされることができ、又は第１情報ブロックに対する送信スケジューリングのためのアグリゲーションレベルがマスター情報ブロックに暗示的に又は明示的に表示されることができる。
【０２２７】
ＰＤＣＣＨ探索空間の設計で重要な目的はＰＤＣＣＨ候補をデコーディングするためにＵＥが行わなければならないチャンネル推定の数を減少させることであり、その理由はこれがそれぞれのスロットでＰＤＣＣＨ候補をデコーディングするために必要なＵＥモデムの電力消耗を直接減少させることができるからである。このような電力消耗は、ＵＥが不連続受信(ＤＲＸ)状態ではない場合、ＵＥがＤＬ受信又はＵＬ送信にスケジューリングされない時にもすべてのＤＬスロットでＰＤＣＣＨをデコーディングする必要があるから、全体ＵＥモデム電力消耗の相当な割合(例えば、約５０％)に該当することができる。ＰＤＣＣＨ探索空間のための入れ子S式構造(ｎｅｓｔｅｄ ｓｔｒｕｃｔｕｒｅ)は第１ＣＣＥアグリゲーションレベルを有するＰＤＣＣＨ候補をデコーディングするために獲得されたチャンネル推定が、一般的に最大のＣＣＥアグリゲーションレベルにあたることができる第１ＣＣＥアグリゲーションレベルより小さな、第２ＣＣＥアグリゲーションレベルを有するＰＤＣＣＨ候補をデコーディングするために用いられることができるチャンネル推定の数を減少させる一つの接近法である。
【０２２８】
図１６は、本発明の実施形態によるＰＤＣＣＨ候補１６００の例示的な重畳された構造を示す図面である。図１６に示されたＰＤＣＣＨ候補１６００の入れ子構造の実施形態はただ説明のためのことである。図１６に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０２２９】
図１６に示されたように、ＰＲＢセットで、又は全体システムＢＷを介してＵＥはＬ＝８個のＣＣＥのアグリゲーションレベルに対するＭ(８)＝２個の候補(１６１０、１６１５)、Ｌ＝４個のＣＣＥのアグリゲーションレベルに対するＭ(４)＝２個の候補１６２０、Ｌ＝２個のＣＣＥのアグリゲーションレベルに対するＭ(２)＝６個の候補(１６３０、１６３５)、及びＬ＝１個のＣＣＥのアグリゲーションレベルに対するＭ(１)＝６個の候補１６４０から構成される。Ｌ＝８個のＣＣＥを有するＭ(８)＝２個の候補に対するＣＣＥインデックスは数式１のように連続的であるか数式２で定義されたオフセットをもって非連続的あっても良い。より低いＣＣＥアグリゲーションレベルに対するＣＣＥインデックスはＬ＝８個のＣＣＥを有するＭ(８)＝２個の候補に対するＣＣＥインデックスのサブセットである。より低いＣＣＥアグリゲーションレベルに対するＣＣＥインデックスは図１６に示されたようにＬ＝８個のＣＣＥを有する Ｍ(８)＝２候補中の第１候補の第１ＣＣＥのインデックスから始める連続的なインデックスを有することができるか、又はＬ＝８個のＣＣＥを有するＭ (８)＝２個の候補それぞれに対するＣＣＥインデックスを占有するように均等に分割される。
【０２３０】
例えば、図１６のように、ＣＣＥインデックスに対して入れ子構造を用いる短所は、関連するＣＣＥが他のＵＥに対するＰＤＣＣＨ送信のために用いられるＣＣＥと少なくとも部分的に入れ子インデックスを有するから、ＵＥへのＰＤＣＣＨが送信不可能な確率が増加するということである。例えば、第１ＵＥへのＰＤＣＣＨ送信のためのＣＣＥと第２ＵＥへのＰＤＣＣＨ送信のためのＣＣＥが最大のＣＣＥアグリゲーションレベルを用いる候補に対して入れ子になった場合、より小さいＣＣＥアグリゲーションレベルを用いるＰＤＣＣＨ候補に対するそういう入れ子が存在する可能性があり、最大のＣＣＥアグリゲーションレベルを用いて第１ＵＥへのＰＤＣＣＨ送信が成る場合、第２ＵＥへのＰＤＣＣＨ送信に利用可能な小さいＣＣＥアグリゲーションレベルを有する候補がほとんどいないことがある。
【０２３１】
例えば、図１６を参照すれば、第１ＵＥへの第１ＰＤＣＣＨ送信はＬ＝４個のＣＣＥを有するＭ(４)＝２個の候補の中で第１候補のＣＣＥを用いる必要があって、Ｌ＝８個の第１ＰＤＣＣＨ候補に対するＣＣＥは第２ＵＥに対してＬ＝８個のＣＣＥを有する第１ＰＤＣＣＨ候補に対するＣＣＥと完全に入れ子になったので、第２ＵＥへのＰＤＣＣＨ送信は任意のＣＣＥアグリゲーションレベルに対して大部分の残り候補を用いることができなくなる。ブロッキング確率(ｂｌｏｃｋｉｎｇ ｐｒｏｂａｂｉｌｉｔｙ)の増加は、ＵＥがデータの送信又は受信を完了するのにより長い時間の間活性状態を維持する必要があるから、ＵＥ電力消耗に対する入れ子探索空間構造の潜在的利益を実質的に無効にすることができる。
【０２３２】
ＰＤＣＣＨ送信のためのＣＣＥは一つのＲＥＧが一つのＯＦＤＭシンボルに対して一つのＲＢと同一な多数のＲＥＧによって形成されることができる。ＣＣＥが与えられたコードレート及びＱＰＳＫ変調でＤＣＩフォーマット送信するための最小リソースユニットであることで仮定すれば、ＣＣＥに要求されるＲＥＧの数は基準ＤＣＩフォーマット大きさ及びＤＣＩフォーマットの送信に用いられることができるＲＢのＳＣ数に依存する(ＤＭＲＳ送信に用いられるＳＣは除く)。例えば、ＤＣＩフォーマット大きさが６０ビット(又は１６ビットのＣＲＣを含んで７６ビット)でコードレートが２／３の場合、ＤＣＩフォーマット送信には５７個のＳＣが必要である。ＰＤＣＣＨ送信に用いられるＲＢごとに２個のＤＭＲＳＳＣ及びＲＢごとに１２個のＳＣに対し、ＣＣＥにおいて約６個のＲＥＧ(又は６個のＲＢ)が必要である。ＰＤＣＣＨ送信に用いられるＲＢ当たり４個のＤＭＲＳＳＣ及びＲＢ当たり１２個のＳＣに対して、ＣＣＥにおいて約７個のＲＥＧ(又は７個のＲＢ)が必要である。ＰＤＣＣＨ送信は１、２又は３ＯＦＤＭシンボルのような可変個数のＯＦＤＭシンボルを介して成ることができる。
【０２３３】
シンボルの数は物理階層又は上位階層からのシグナリングによって構成されることができる。スペクトラム効率を改善してＰＤＣＣＨ送信のための設計を単純化するため、ＣＣＥをＲＥＧに又はＰＤＣＣＨをＣＣＥにマッピングするにおける設計ターゲットは同一なＰＲＢセット(又は制御リソースセット)での分散ＰＤＣＣＨ送信及びローカリゼーションＰＤＣＣＨ送信の多重化ができるようにするか、又はＰＤＣＣＨ送信が一つのＯＦＤＭシンボルにかけているか又は多数のＯＦＤＭシンボルにかけているか否かにかかわらずＰＤＣＣＨ送信に利用可能なＳＣの観点ですべてのＣＣＥが同等になることができるようにすることを含むことができる。
【０２３４】
したがって、分散ＰＤＣＣＨ送信及びローカリゼーションＰＤＣＣＨ送信のために入れ子ＰＤＣＣＨ探索空間構造を設計する必要性が存在する。
【０２３５】
減少されたＰＤＣＣＨブロッキング確率に入れ子ＰＤＣＣＨ探索空間構造を設計する必要性が存在する。
【０２３６】
多数のスロットシンボルを介して入れ子になったＰＤＣＣＨ探索空間に対するＣＣＥからＲＥＧへのマッピング及びＰＤＣＣＨからＣＣＥへのマッピングを定義するまた他の必要性が存在する。
【０２３７】
一実施形態で、入れ子ＰＤＣＣＨ探索空間のための設計及び入れ子ＰＤＣＣＨ探索空間で多様なＣＣＥアグリゲーションレベルのＰＤＣＣＨ候補に対するブロッキング確率を減少させることができる設計が考慮される。
【０２３８】
ＰＤＣＣＨ送信の場合、関連するブロッキング確率は通常的に相違するＣＣＥインデックスを用いて相違するＣＣＥアグリゲーションレベルに対するＰＤＣＣＨ候補から利益を得る。例えば、数式１のように定義されたＰＤＣＣＨ探索空間の場合、ＰＤＣＣＨ候補に対するＣＣＥインデックスはそれぞれのＣＣＥアグリゲーションレベル ＬだけでなくＣＣＥアグリゲーションレベル Ｌごとに対する候補の数
【０２３９】
【数５６】
2020509662.tif 000058
【０２４０】
にも依存する。
入れ子になった探索空間に対して、数式１によるＰＤＣＣＨ候補に対するＣＣＥインデックスの柔軟性は、ＣＣＥインデックスが相違するＣＣＥアグリゲーションレベルを有する多数のＰＤＣＣＨ候補の間で共通的な必要があるから実質的に減少される。さらに、数式１に基づく、同一なＣＣＥアグリゲーションレベルを有する相違するＰＤＣＣＨ候補に対するＣＣＥインデックスは決定的なことである。例えば、数式１によるＰＤＣＣＨ探索空間の場合、同一なＣＣＥアグリゲーションレベルを有するＰＤＣＣＨ候補に対するＣＣＥインデックスは決定的ファクター(ｄｅｔｅｒｍｉｎｉｓｔｉｃ ｆａｃｔｏｒ)
【０２４１】
【数５７】
2020509662.tif 000059
【０２４２】
によってオフセットされる。
したがって、互いに異なるＵＥに対してＰＤＣＣＨ候補に対するＣＣＥインデックスが入れ子になって入れ子探索空間構造が用いられる場合、任意のＣＣＥアグリゲーションレベルに対する多数のＰＤＣＣＨ候補が重畳される確率が実質的に増加し、そういうＵＥへのＰＤＣＣＨ送信に対するブロッキング確率は結果的に増加した。以下で、ＣＣＥアグリゲーションレベルはさらにＵＥがＰＤＣＣＨ受信のために構成されて表記法Ｌｐ(Ｌ代りに)が用いられる、制御リソースセットとも指称されるＰＲＢセットに依存することができることで仮定する。また、ＣＣＥアグリゲーションレベルＬｐはＬｐ＝２ｎ、ｎ＝０,１,２,．．．のような２の累乗であることで仮定する。
【０２４３】
第１具現例は制御リソースセットで最大のより小さいＣＣＥアグリゲーションレベルを有するＰＤＣＣＨ候補に対するＣＣＥインデックスが、制御リソースセットで最大のＣＣＥアグリゲーションレベルを有するＰＤＣＣＨ候補に対するＣＣＥインデックスに対して決定する。
【０２４４】
相違するＵＥに対するＰＤＣＣＨ送信のブロッキング確率を減少させるための制１メカニズムは、数式１のパラメーター Ｙｐ,ｋに対する決定がＵＥ ＲＮＴＩ以外にＰＤＣＣＨ候補のインデックスにも依存することによって最大のＣＣＥアグリゲーションレベルを有するＰＤＣＣＨ候補に対するＣＣＥインデックスをランダム化することである。すると、例えば、２つのＵＥに対して最大のＣＣＥアグリゲーションレベルを有するＰＤＣＣＨ候補に対するＣＣＥインデックスが入れ子になった場合、ＵＥ ＲＮＴＩによるそれぞれがＣＣＥインデックスのランダム化に起因してこのような最大のＣＣＥアグリゲーションレベルを有した追加のＰＤＣＣＨ候補に対する入れ子の確率が減少される。
例えば、数式１によって決定されたＣＣＥインデックス及び最大のＣＣＥアグリゲーションレベルを有する
【０２４５】
【数５８】
2020509662.tif 000060
【０２４６】
ＰＤＣＣＨ候補にあり、候補
【０２４７】
【数５９】
2020509662.tif 000061
【０２４８】
に対するＣＣＥインデックスは数式２のように決定されることができる:
【０２４９】
【数６０】
2020509662.tif 000062
【０２５０】
数式１と同一な表記法が適用され、
【０２５１】
【数６１】
2020509662.tif 000063
【０２５２】
は最も大きいＣＣＥアグリゲーションレベルを有する相違する候補に対するランダム化を提供する。例えば、
【０２５３】
【数６２】
2020509662.tif 000064
【０２５４】
であり、さらに
【０２５５】
【数６３】
2020509662.tif 000065
【０２５６】
に対してＡｐ，０＝３９８２７及びＡｐ，１＝３９８３１である。
相違するＵＥに対するＰＤＣＣＨ送信のブロッキング確率を減少させるための第２メカニズムは、連続的なＰＤＣＣＨ候補の最終(又は第１)ＣＣＥインデックス間にランダムオフセットを有することによってＰＤＣＣＨ候補に対するＣＣＥインデックスをランダム化することである。ランダムオフセットはＵＥ ＲＮＴＩの関数又はＵＥ ＲＮＴＩ及びＰＤＣＣＨ候補インデックスのすべての関数であることができる。
例えば、数式１によって決定するＣＣＥインデックス及び最大のＣＣＥアグリゲーションレベルを有する
【０２５７】
【数６４】
2020509662.tif 000066
【０２５８】
ＰＤＣＣＨ候補において、候補
【０２５９】
【数６５】
2020509662.tif 000067
【０２６０】
に対するＣＣＥインデックスは数式３Ａ又は数式３Ｂのように決定されることができる:
【０２６１】
【数６６】
2020509662.tif 000068
【０２６２】
ここで、数式１と同一な表記法が適用され、ｆ(ｍ)はＰＤＣＣＨ候補ｍ及びＵＥ ＲＮＴＩ ｎＲＮＴＩ≠０を因数として有する擬似ランダム関数である(例えば、ｆ（ｍ）＝ｍ・ｎＲＮＲＩ)。
【０２６３】
第１メカニズム(相違するＰＤＣＣＨ候補に対する相違するヘシング関数)及び第２メカニズム(連続的なＰＤＣＣＨ候補間のＵＥ特定オフセット)は結合されることもできる。
【０２６４】
数式２又は数式３Ａ／３Ｂでは、同一なＣＣＥアグリゲーションレベルを有する相違するＰＤＣＣＨ候補に対するＣＣＥインデックスがランダムし、数式１のように予め決定されたオフセットによって分離しないから、入れ子が発生することができる。同一なＣＣＥアグリゲーションレベルを有する相違するＰＤＣＣＨ候補に対するＣＣＥインデックスがスロットｋのＹｐ,ｋ,ｍ 値に対して少なくとも部分的に入れ子になったと、例えば、数式２に基づいてこれらが決定される時、そういう入れ子を避けるための調整が適用されることができる。
【０２６５】
例えば、互いに異なるＰＤＣＣＨ候補に対するＣＣＥインデックスが入れ子になったと、ＵＥは互いに異なるＰＤＣＣＨ候補に対するＣＣＥインデックスが入れ子にならない時の最後のスロットで決定されたＣＣＥインデックスを再使用することができる。例えば、相違するＰＤＣＣＨ候補に対するＣＣＥインデックスが入れ子になった場合、同一なＣＣＥアグリゲーションレベルに対して以前のＰＤＣＣＨ候補と入れ子にならないようにするために、最初のことの以後にそれぞれの適用可能なＰＤＣＣＨ候補に対するＣＣＥインデックスがそれぞれの最小値ほどシフトされることができる。さらに、ＣＣＥインデックスの入れ子が発生することができる。
【０２６６】
最大のＣＣＥアグリゲーションレベルを有するＰＤＣＣＨ候補に対する制御リソースセットｐでＣＣＥインデックスを決めた以後に、次の段階は制御リソースセットｐで最大のＣＣＥアグリゲーションレベルより小さいＣＣＥアグリゲーションレベルを有するＰＤＣＣＨ候補に対するＣＣＥインデックスを決定することである。
【０２６７】
【数６７】
2020509662.tif 000069
【０２６８】
であるケース１の一部実施形態で、条件
【０２６９】
【数６８】
2020509662.tif 000070
【０２７０】
がＣＣＥアグリゲーションレベルＬｐ＜Ｌｐ,ｍａｘに対して有効な場合、ＣＣＥアグリゲーションレベルＬｐを有するすべてのＰＤＣＣＨ候補に対するＣＣＥインデックスはＣＣＥアグリゲーションレベルＬｐ,ｍａｘを有するすべてのＰＤＣＣＨ候補に対するＣＣＥインデックスのサブセットであれば良い。
【０２７１】
ＣＣＥアグリゲーションレベルＬｐ＜Ｌｐ,ｍａｘを有するＰＤＣＣＨ候補に対するＣＣＥインデックスを決定するための制１接近法はＣＣＥアグリゲーションレベルＬｐ,ｍａｘを有するそれぞれの
【０２７２】
【数６９】
2020509662.tif 000071
【０２７３】
ＰＤＣＣＨ候補のＣＣＥインデックスのうちのＣＣＥアグリゲーションレベルＬｐ＜Ｌｐ,ｍａｘを有する総
【０２７４】
【数７０】
2020509662.tif 000072
【０２７５】
ＰＤＣＣＨ候補に対して実質的に同一な分布を考慮する。ＣＣＥアグリゲーションレベルＬｐを有する第１
【０２７６】
【数７１】
2020509662.tif 000073
【０２７７】
候補に対するＣＣＥインデックスはＣＣＥアグリゲーションレベルＬｐ,ｍａｘを有する第１ＰＤＣＣＨ候補に対するＣＣＥインデックスのサブセットである。
【０２７８】
【数７２】
2020509662.tif 000074
【０２７９】
である場合、ＣＣＥアグリゲーションレベルＬｐを有する第２
【０２８０】
【数７３】
2020509662.tif 000075
【０２８１】
ＰＤＣＣＨ候補に対するＣＣＥインデックスはＣＣＥアグリゲーションレベルＬｐ,ｍａｘを有する第２ＰＤＣＣＨ候補に対するＣＣＥインデックスのサブセットである。
【０２８２】
【数７４】
2020509662.tif 000076
【０２８３】
である場合、ＣＣＥアグリゲーションレベルＬｐを有する第３
【０２８４】
【数７５】
2020509662.tif 000077
【０２８５】
ＰＤＣＣＨ候補に対するＣＣＥインデックスはＣＣＥアグリゲーションレベルＬｐ,ｍａｘを有する第３ＰＤＣＣＨ候補に対するＣＣＥインデックスのサブセットであり、その他これと同様である。一般的に、
【０２８６】
【数７６】
2020509662.tif 000078
【０２８７】
である場合、ＣＣＥアグリゲーションレベルＬｐを有するｍ番目の
【０２８８】
【数７７】
2020509662.tif 000079
【０２８９】
ＰＤＣＣＨ候補に対するＣＣＥインデックスはＣＣＥアグリゲーションレベルＬｐ,ｍａｘを有するＰＤＣＣＨ候補に対するＣＣＥインデックスのサブセットである。
ＣＣＥアグリゲーションレベルＬｐに対する
【０２９０】
【数７８】
2020509662.tif 000080
【０２９１】
ＰＤＣＣＨ候補を決定した以後に、それぞれのＰＤＣＣＨ候補に対するＣＣＥインデックスの決定は数式１のように成ることができ、ここでＮＥＣＣＥ,ｐ,ｋはＬｐ,ｍａｘで取り替えられることができる。すると、
【０２９２】
【数７９】
2020509662.tif 000081
【０２９３】
ＰＤＣＣＨ候補に対するＣＣＥインデックスは数式４のように決定されることができる:
【０２９４】
【数８０】
2020509662.tif 000082
【０２９５】
数式４で、Ｙｐ,ｋの代りにＹｐ,ｋ,ｍを用いることもできる。
ＣＣＥアグリゲーションレベルＬｐ,ｍａｘを有するＰＤＣＣＨ候補に対するＣＣＥインデックスのランダム化は数式２又は数式３Ａ／３ＢのようにＣＣＥアグリゲーションレベルＬｐ＜Ｌｐ，ｍａｘを有するＰＤＣＣＨ候補に対するＣＣＥインデックスで拡張されることもでき、ここでは、ＰＤＣＣＨソースセットのすべてのＣＣＥインデックスＮＥＣＣＥ，ｐ，ｋを考慮する代りに、ＣＣＥアグリゲーションレベルＬｐ,ｍａｘを有するそれぞれのＰＤＣＣＨ候補に対するＣＣＥインデックスだけが考慮される。
【０２９６】
図１７は、本発明の実施形態による入れ子ＰＤＣＣＨ探索空間構造に対する第１具現例に基づいてＰＤＣＣＨ候補に対するＣＣＥを決定するための例示的なプロセス１７００を示す図面である。図１７に示されたＣＣＥを決定するためのプロセス１７００の実施形態はただ説明のためのことである。図１７に示されたコンポーネントのうちの一つ以上は言及された機能を行うように構成された特殊回路に具現されることができるか、このコンポーネントのうちの一つ以上は言及された機能を行うための命令を行う一つ以上のプロセッサによって具現されることができる。他の実施形態が本発明の範囲を逸脱せず用いられる。
【０２９７】
図１７に示されたように、ＵＥはＮＣＣＥ,ｐ,ｋ個のＣＣＥを有する制御リソースセットｐ、及び制御リソースセットｐでＣＣＥアグリゲーションレベルＬｐを有する
【０２９８】
【数８１】
2020509662.tif 000083
【０２９９】
個のＰＤＣＣＨ候補でｇＮＢによって構成される。また、ＮＣＣＥ,ｐ,ｋの可能な値に対する
【０３００】
【数８２】
2020509662.tif 000084
【０３０１】
及びＬｐの値はシステム動作の仕様で決定されるか所定の公式によってＵＥによって導出されることができる。ＵＥは
【０３０２】
【数８３】
2020509662.tif 000085
【０３０３】
としてＣＣＥアグリゲーションレベルＬｐ,ｍａｘを有する、ＰＤＣＣＨ候補
【０３０４】
【数８４】
2020509662.tif 000086
【０３０５】
に対するＣＣＥインデックスを決定し、ここで、ｆ(ｍ)はＰＤＣＣＨ候補ｍの関数で、０と設定されることもできる(１７１０)。ＵＥはＰＤＣＣＨ候補
【０３０６】
【数８５】
2020509662.tif 000087
【０３０７】
に対するＣＣＥインデックスのサブセットであるＣＣＥインデックスを有するＰＤＣＣＨ候補
【０３０８】
【数８６】
2020509662.tif 000088
【０３０９】
を決定する(１７２０)。Ｌｐ,ｍａｘを有するＰＤＣＣＨ候補ｍに対するＣＣＥのセットから、ＵＥは
【０３１０】
【数８７】
2020509662.tif 000089
【０３１１】
として、Ｌｐ＜Ｌｐ，ｍａｘを有する、ＰＤＣＣＨ候補
【０３１２】
【数８８】
2020509662.tif 000090
【０３１３】
に対するＣＣＥインデックスを決定する(１７３０)。
図１８は、本発明の実施形態による入れ子ＰＤＣＣＨ探索空間構造に対する第１具現例の第１接近法に基づくＰＤＣＣＨ候補に対するＣＣＥの例示的決定１８００を示す図面である。図１８に示されたＣＣＥの決定１８００の実施形態はただ説明のためのことである。図１８に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０３１４】
図１８に示されたように、ＵＥは１、２、４及び８個のＣＣＥに対応する４個のＣＣＥアグリゲーションレベルに対するＰＤＣＣＨ候補をデコーディングするように構成される。これは
【０３１５】
【数８９】
2020509662.tif 000091
【０３１６】
である。ＵＥは
【０３１７】
【数９０】
2020509662.tif 000092
【０３１８】
候補の第１ＰＤＣＣＨ候補１８１０及び第２ＰＤＣＣＨ候補１８１５に対するＣＣＥインデックスの第１セット及び第２セットをそれぞれ決定する(例えば、数式２乃至４が例示的な基準で適用されることができる)。ＰＤＣＣＨ候補
【０３１９】
【数９１】
2020509662.tif 000093
【０３２０】
はＣＣＥアグリゲーションレベルＬｐ,ｍａｘ１８２０、１８３０、及び１８４０を有する第１ＰＤＣＣＨ候補又はＣＣＥアグリゲーションレベルＬｐ,ｍａｘ１８２５、１８３５、及び１８４５を有する第２ＰＤＣＣＨ候補のＣＣＥインデックスの中でＣＣＥインデックスを用いるように同等に分布される(
【０３２１】
【数９２】
2020509662.tif 000094
【０３２２】
が偶数の場合)。
ＣＣＥアグリゲーションレベルＬｐ＜Ｌｐ,ｍａｘを有するＰＤＣＣＨ候補に対するＣＣＥインデックスを決定するための第２接近法はＣＣＥアグリゲーションレベルＬｐ,ｍａｘを有する
【０３２３】
【数９３】
2020509662.tif 000095
【０３２４】
ＰＤＣＣＨ候補それぞれに対するＣＣＥインデックスのうちのＣＣＥアグリゲーションレベルＬｐ＜Ｌｐ,ｍａｘを有する総
【０３２５】
【数９４】
2020509662.tif 000096
【０３２６】
ＰＤＣＣＨ候補に対する分布に対する構成を考慮する。この構成は上位階層シグナリングを介してｇＮＢによって提供されることができる。例えば、
【０３２７】
【数９５】
2020509662.tif 000097
【０３２８】
に対し、ＣＣＥアグリゲーションレベルＬｐ
【０３２９】
【数９６】
2020509662.tif 000098
【０３３０】
を有するＰＤＣＣＨ候補の２／３に対するＣＣＥインデックスがＣＣＥアグリゲーションレベルＬｐ,ｍａｘを有する第１ＰＤＣＣＨ候補に対するＣＣＥインデックスのサブセットで、ＣＣＥアグリゲーションレベルＬｐを有する
【０３３１】
【数９７】
2020509662.tif 000099
【０３３２】
ＰＤＣＣＨ候補の１／３に対するインデックスがＣＣＥアグリゲーションレベルＬｐ,ｍａｘを有する第２ＰＤＣＣＨ候補に対するＣＣＥインデックスのサブセットであるを一構成が示すことができる。
【０３３３】
第２接近法はｇＮＢが制御リソースセットｐ内のＣＣＥの総個数ＮＥＣＣＥ,ｐ,ｋが充分に大きくない場合、増加されたブロッキング確率を引き起こすことができ、さらにＣＣＥアグリゲーションレベルＬｐ,ｍａｘを有する相違するＰＤＣＣＨ候補に対するＣＣＥの入れ子を引き起こすことができるＲＮＴＩを有するＵＥに対するブロッキング確率に対する追加的な制御を有することができるようにする。
相違するＣＣＥアグリゲーションレベルを有するＰＤＣＣＨ候補に対するＣＣＥインデックスの前記第１具現例による決定はすべてＬｐ＜Ｌｐ，ｍａｘに対して
【０３３４】
【数９８】
2020509662.tif 000100
【０３３５】
であることで考慮する。ＰＤＣＣＨ候補の入れ子構造に対するＣＣＥインデックスの決定を単純化するため、入れ子ＰＤＣＣＨ構造が第１具現例によって用いられる時に
【０３３６】
【数９９】
2020509662.tif 000101
【０３３７】
であることに仮定されることができ、ＵＥはその条件を満足しないそれぞれのＣＣＥアグリゲーションレベルに対するＰＤＣＣＨ候補の数に対する構成を無視するか
【０３３８】
【数１００】
2020509662.tif 000102
【０３３９】
となるようにＬｐ,ｍａｘに対する最小個数の追加の仮想候補を仮定することができる。ＵＥは相違するアグリゲーションレベルに対するＰＤＣＣＨ候補のＣＣＥに対して入れ子構造を仮定するか可否に対して上位階層によって個別的に構成されることができ、それによってＰＤＣＣＨ候補のＣＣＥインデックスに対する探索空間数式を決定することができる。ＵＥ共通探索空間に対するＣＣＥ構造はシステム動作の仕様で従来の構造(探索空間)又は入れ子構造を有するように定義されることができる。
少なくとも一つのＬｐ＜Ｌｐ，ｍａｘに対して
【０３４０】
【数１０１】
2020509662.tif 000103
【０３４１】
であるケース２の一実施形態で、システム動作が少なくとも一つのＣＣＥアグリゲーションレベルＬｐ，ｍａｘ１＜Ｌｐ，ｍａｘ(例えば、Ｌｐ，ｍａｘ＝８及びＬｐ，ｍａｘ１＝４)に対する
【０３４２】
【数１０２】
2020509662.tif 000104
【０３４３】
を許容する場合、ＣＣＥアグリゲーションレベルＬｐ，ｍａｘ１を有するＰＤＣＣＨ候補の数
【０３４４】
【数１０３】
2020509662.tif 000105
【０３４５】
に対するＣＣＥインデックスはＣＣＥアグリゲーションレベルＬｐ,ｍａｘを有するＰＤＣＣＨ候補に対するＣＣＥインデックスとは独立的に決定することができ、ＣＣＥアグリゲーションレベルＬｐ，ｍａｘ１を有する
【０３４６】
【数１０４】
2020509662.tif 000106
【０３４７】
ＰＤＣＣＨ候補に対するＣＣＥインデックスが
【０３４８】
【数１０５】
2020509662.tif 000107
【０３４９】
である場合のように決定されることができるうちに後者のＣＣＥインデックスのサブセットではない。
一実施形態で、
【０３５０】
【数１０６】
2020509662.tif 000108
【０３５１】
ＰＤＣＣＨ候補に対するＣＣＥインデックスの決定はＬｐ，ｍａｘをＬｐ，ｍａｘ１で取り替えて
【０３５２】
【数１０７】
2020509662.tif 000109
【０３５３】
を
【０３５４】
【数１０８】
2020509662.tif 000110
【０３５５】
で取り替えることによって
【０３５６】
【数１０９】
2020509662.tif 000111
【０３５７】
ＰＤＣＣＨ候補に対するＣＣＥインデックスの決定のための数式２、３Ａ又は３Ｂのうちの一つと同じであれば良い。
一実施形態で、
【０３５８】
【数１１０】
2020509662.tif 000112
【０３５９】
ＰＤＣＣＨ候補中のＣＣＥインデックスに対する潜在的入れ子を防止するため、
【０３６０】
【数１１１】
2020509662.tif 000113
【０３６１】
ＰＤＣＣＨ候補に対するＣＣＥインデックスが
【０３６２】
【数１１２】
2020509662.tif 000114
【０３６３】
ＰＤＣＣＨ候補に対するＣＣＥインデックスと相違するように決定されるから、
【０３６４】
【数１１３】
2020509662.tif 000115
【０３６５】
ＰＤＣＣＨ候補に対するＣＣＥインデックスの決定は、例えば、数式１のようにすべての
【０３６６】
【数１１４】
2020509662.tif 000116
【０３６７】
ＰＤＣＣＨ候補を考慮し、他の
【０３６８】
【数１１５】
2020509662.tif 000117
【０３６９】
ＰＤＣＣＨ候補に対するＣＣＥインデックスと入れ子されない第１
【０３７０】
【数１１６】
2020509662.tif 000118
【０３７１】
ＰＤＣＣＨ候補に対するＣＣＥインデックスを選択することによって成ることができる。
Ｌｐ，ｍａｘ１＝４及びＬｐ，ｍａｘ２＝２のようなＬｐ，ｍａｘ２＜Ｌｐ，ｍａｘ１(及び
【０３７２】
【数１１７】
2020509662.tif 000119
【０３７３】
)を有する少なくとも一つのＣＣＥアグリゲーションレベルＬｐ，ｍａｘ２に対しても
【０３７４】
【数１１８】
2020509662.tif 000120
である場合、２つのケースが考慮されることができる。第１ケースは
【０３７５】
【数１１９】
2020509662.tif 000121
【０３７６】
であることを考慮する。一実施形態で、
【０３７７】
【数１２０】
2020509662.tif 000122
【０３７８】
個のＰＤＣＣＨ候補に対するＣＣＥインデックスは例えば数式４のように決定されることができる一方、
【０３７９】
【数１２１】
2020509662.tif 000123
【０３８０】
はＬｐ，ｍａｘをＬｐ，ｍａｘ１で取り替えて
【０３８１】
【数１２２】
2020509662.tif 000124
【０３８２】
ＰＤＣＣＨ候補に対応するＣＣＥのセットを考慮した後の数式４のようにさらに決定されることができる。一実施形態で、ＣＣＥアグリゲーションレベルＬｐ，ｍａｘ２を有するＰＤＣＣＨ候補に対するＣＣＥインデックスの決定は最大のＣＣＥアグリゲーションレベルがＬｐ，ｍａｘ１であり(Ｌｍａｘ，ｐでない)Ｌｐ，ｍａｘをＬｐ，ｍａｘ１で取り替えることによってすべての
【０３８３】
【数１２３】
2020509662.tif 000125
【０３８４】
ＰＤＣＣＨ候補に対して数式４が適用されることができることで考慮する。
これはＣＣＥインデックスの決定のための入れ子構造をもたらし、ここで制御リソースセットｐで最大のＣＣＥアグリゲーションレベルを有するＰＤＣＣＨ候補に対するＣＣＥインデックスが先ず制御リソースセットｐ内のすべてのＣＣＥインデックスのセットから決定され、制御リソースセットｐ内の２番目で最大のＣＣＥアグリゲーションレベルを有するＰＤＣＣＨ候補に対するＣＣＥインデックスは
【０３８５】
【数１２４】
2020509662.tif 000126
【０３８６】
である場合、最大のＣＣＥアグリゲーションレベルを有するＰＤＣＣＨ候補に対するＣＣＥインデックスのセットだけから決定され、そうではない場合、
【０３８７】
【数１２５】
2020509662.tif 000127
【０３８８】
ＰＤＣＣＨ候補に対する最大のＣＣＥアグリゲーションレベルを有するＰＤＣＣＨ候補に対するＣＣＥインデックスのセットから及び
【０３８９】
【数１２６】
2020509662.tif 000128
【０３９０】
に対する制御リソースセットｐ内のすべてのＣＣＥインデックスのセットから決定され(前述されたことと同一なＣＣＥアグリゲーションレベルを有するＰＤＣＣＨ候補に対するＣＣＥインデックスの入れ子を回避するための可能な調整とともに)、制御リソースセットｐ内の三番目で最大のＣＣＥアグリゲーションレベルを有するＰＤＣＣＨ候補に対するＣＣＥインデックスは
【０３９１】
【数１２７】
2020509662.tif 000129
【０３９２】
である場合、第１番目で最大のＣＣＥアグリゲーションレベルを有するＰＤＣＣＨ候補に対するＣＣＥインデックスのセットだけから決定され又は、そうではない場合、
【０３９３】
【数１２８】
2020509662.tif 000130
【０３９４】
ＰＤＣＣＨ候補に対する二番目で最大のＣＣＥアグリゲーションレベルを有するＰＤＣＣＨ候補に対するＣＣＥインデックスのセットから及び
【０３９５】
【数１２９】
2020509662.tif 000131
【０３９６】
に対する制御リソースセットｐ内のすべてのＣＣＥインデックスのセットから決定され、その他これと同様である。
第２ケースにおいて、
【０３９７】
【数１３０】
2020509662.tif 000132
【０３９８】
の場合、ＣＣＥアグリゲーションレベルＬｐ，ｍａｘ２を有する
【０３９９】
【数１３１】
2020509662.tif 000133
【０４００】
個のＰＤＣＣＨ候補に対するＣＣＥインデックスは例えば、数式４のようにＬｐ，ｍａｘ１をＬｐ，ｍａｘ１で取り替えることによって決定されることができる。残りＰＤＣＣＨ候補
【０４０１】
【数１３２】
2020509662.tif 000134
【０４０２】
に対するＣＣＥインデックスはＬｐ，ｍａｘ１の代わりにＬｐ，ｍａｘ２を用いることによって
【０４０３】
【数１３３】
2020509662.tif 000135
【０４０４】
ＰＤＣＣＨ候補に対して決定されることができる。
第２具現例はＰＤＣＣＨ候補に対するＣＣＥインデックスが最も多い数のＣＣＥを要するＰＤＣＣＨ候補に対するＣＣＥインデックスに対して決定することで考慮する。
ＵＥは先ず制御リソースセットｐ内のＣＣＥアグリゲーションレベルＬｐを有する構成されたＰＤＣＣＨ候補の数
【０４０５】
【数１３４】
2020509662.tif 000136
【０４０６】
に対する
【０４０７】
【数１３５】
2020509662.tif 000137
【０４０８】
のプロダクト値に対する最大値を決定する。
【０４０９】
【数１３６】
2020509662.tif 000138
【０４１０】
に対して最大値になる当該
【０４１１】
【数１３７】
2020509662.tif 000139
【０４１２】
及びＬｐ値はそれぞれ
【０４１３】
【数１３８】
2020509662.tif 000140
【０４１４】
で表示される。
【０４１５】
【数１３９】
2020509662.tif 000141
【０４１６】
の値は相違する制御リソースセットごとに異なることができる。いくつかのＬｐ値に対して同一な最大値
【０４１７】
【数１４０】
2020509662.tif 000142
【０４１８】
があれば、選択されたＬｐ値は最小又は最大のような多くのＬｐ値のうちの一つとなることができる。
その後に、ＵＥは例えば、数式１又は数式２によって
【０４１９】
【数１４１】
2020509662.tif 000143
【０４２０】
ＰＤＣＣＨ候補に対するＣＣＥインデックスを決定する。結果的にＣＣＥの数は
【０４２１】
【数１４２】
2020509662.tif 000144
【０４２２】
である。例えば、数式１を参照すれば、ＰＤＣＣＨ候補
【０４２３】
【数１４３】
2020509662.tif 000145
【０４２４】
に対するＣＣＥは数式５のように決定されることができる:
【０４２５】
【数１４４】
2020509662.tif 000146
【０４２６】
その後に、ＵＥは、例えば数式１を用いるか、数式２を用いてＮＣＣＥ,ｐ,ｋをＮＣＣＥ,ｐ,ｋ，ｎｅｓｔで取り替えることによって、ＰＤＣＣＨ候補
【０４２７】
【数１４５】
2020509662.tif 000147
【０４２８】
に対するＣＣＥを決定する。例えば、数式１を参照すれば、ＰＤＣＣＨ候補に対するＣＣＥは数式６に与えられたように決定することができる:
【０４２９】
【数１４６】
2020509662.tif 000148
【０４３０】
図１９は、本発明の実施形態による第２具現例に基づいてＰＤＣＣＨ候補に対するＣＣＥの例示的な決定１９００を示す図面である。図１９に示されたＣＣＥの決定１９００の実施形態はただ説明のためのことである。図１９に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
図１９に示されたように、ＵＥはＮＣＣＥ,ｐ,ｋ個のＣＣＥを有する制御リソースセットｐ及び制御リソースセットｐ内のＣＣＥアグリゲーションレベルＬｐを有する
【０４３１】
【数１４７】
2020509662.tif 000149
【０４３２】
個のＰＤＣＣＨ候補でｇＮＢによって構成される。予め決定されたＮＣＣＥ,ｐ,ｋ値に対する
【０４３３】
【数１４８】
2020509662.tif 000150
【０４３４】
及びＬｐの値はシステム動作の仕様で決定されるか所定の公式によってＵＥによって導出されることができる。
【０４３５】
【数１４９】
2020509662.tif 000151
【０４３６】
及びＬｐの値に基づいて、ＵＥはＣＣＥアグリゲーション
【０４３７】
【数１５０】
2020509662.tif 000152
【０４３８】
を決定する(１９１０)。それぞれの
【０４３９】
【数１５１】
2020509662.tif 000153
【０４４０】
ＰＤＣＣＨ候補に対して、ＵＥは制御リソースセットｐ内のすべてのＮＣＣＥ,ｐ,ｋＣＣＥのセットを考慮し、数式１又は数式２のうちの一つのような公式によってそれぞれのＣＣＥインデックスを決定する(１９２０)。
それぞれの
【０４４１】
【数１５２】
2020509662.tif 000154
【０４４２】
ＰＤＣＣＨ候補に対して、ＵＥは使用可能なＣＣＥインデックスのセットとして
【０４４３】
【数１５３】
2020509662.tif 000155
【０４４４】
ＰＤＣＣＨ候補に対するＣＣＥインデックスのセットを考慮することによって、すなわち、ＮＣＣＥ,ｐ,ｋを
【０４４５】
【数１５４】
2020509662.tif 000156
【０４４６】
で取り替えることによって、例えば、数式１又は数式２のうちの一つのような公式によってそれぞれのＣＣＥインデックスを決定する(１９３０)。
図２０は、本発明の実施形態による第２具現例に基づいたＰＤＣＣＨ候補の例示的なＣＣＥインデックス２０００を示す図面である。図２０に示されたＣＣＥインデックス２０００の実施形態はただ説明のためのことである。図２０に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。
他の実施形態が本発明の範囲を逸脱せず用いられる。
図２０に示されたように、ＵＥはＣＣＥアグリゲーションレベルＬｐ＝１に対する
【０４４７】
【数１５５】
2020509662.tif 000157
【０４４８】
ＰＤＣＣＨ候補１９１０、ＣＣＥアグリゲーションレベルＬｐ＝２に対する
【０４４９】
【数１５６】
2020509662.tif 000158
【０４５０】
ＰＤＣＣＨ候補１９２０、ＣＣＥアグリゲーションレベルＬｐ＝４に対する
【０４５１】
【数１５７】
2020509662.tif 000159
【０４５２】
ＰＤＣＣＨ候補１９３０、及びＣＣＥアグリゲーションレベルＬｐ＝８に対する
【０４５３】
【数１５８】
2020509662.tif 000160
【０４５４】
ＰＤＣＣＨ候補１９４０を有する。
【０４５５】
【数１５９】
2020509662.tif 000161
【０４５６】
である。ＵＥはスロットｋで制御リソースセットｐ内のすべてのＮＣＣＥ，ｐ，ｋＣＣＥを考慮してＣＣＥアグリゲーションレベルＬｐ＝４に対する
【０４５７】
【数１６０】
2020509662.tif 000162
【０４５８】
ＰＤＣＣＨ候補に対するＣＣＥインデックスを決定する(１９５０)。ＣＣＥインデックスはＮＣＣＥ，ｐ，ｋ，ｎｅｓｔＣＣＥのセットを形成する(１９６０)。ＵＥは制御リソースセットｐ及びスロットｋ内のＮＣＣＥ，ｐ，ｋ，ｎｅｓｔＣＣＥセットにあるＣＣＥインデックスからそれぞれＣＣＥアグリゲーションレベルＬｐ＝１、Ｌｐ＝２、及びＬｐ＝８に対して
【０４５９】
【数１６１】
2020509662.tif 000163
【０４６０】
及びＰＤＣＣＨ候補に対するＣＣＥインデックスを決定する。
数式１のパラメーターＹｐ,ｋに対する決定をＵＥ ＲＮＴＩに追加してＰＤＣＣＨ候補のインデックスに依存させることによって、ＰＤＣＣＨ候補に対するＣＣＥインデックスがさらに第１具現例に対して説明されたようにランダム化されることができる。例えば、ＣＣＥインデックスはＬｐ≠Ｌｐ，ｎｅｓｔに対応するＣＣＥインデックスに対して、ＮＣＣＥ，ｐ，ｋの代わりにＮＣＣＥ，ｐ，ｋ，ｎｅｓｔを用いることによって数式２によって決定されるか数式３Ａ／３Ｂ(一般的に、Ｌｐ,ｍａｘをＬｐ，ｎｅｓｔ又はＤＬｐで取り替え)によって決定することができる。
【０４６１】
さらに、第１具現例及び第２具現例のいずれにも適用されることができる追加条件は同一なＣＣＥアグリゲーションレベルを有するＰＤＣＣＨ候補に対して相違するＣＣＥインデックスを用いることだけではなく、可能な場合、相違するＣＣＥアグリゲーションレベルを有するＰＤＣＣＨ候補に対して相違するＣＣＥインデックスを用いることである。これは利用可能なＣＣＥインデックスセットからＰＤＣＣＨ候補に割り当てられたＣＣＥインデックスを除去して繰り返し的な方式で続くことによって達成されることができる。例えば、最大のＣＣＥアグリゲーションレベル及び利用可能なＣＣＥインデックスの総セット｛ＳＣＣＥ，ｐ，ｋ｝を有するＰＤＣＣＨ候補から開始し、ＣＣＥアグリゲーションレベルのＰＤＣＣＨ候補に対するセット｛ＳＣＣＥ，ｐ，ｋ，ｎｅｓｔ｝が得られることができる。例えば、ＣＣＥアグリゲーションレベルは第１具現例によってＬｐ，ｍａｘであれば良いか、又は第２具現例によって
【０４６２】
【数１６２】
2020509662.tif 000164
【０４６３】
であれば良い。
｛ＳＣＣＥ，ｐ，ｋ，ｎｅｓｔ｝ＣＣＥインデックスのセットの中で、Ｌｐ，ｎｅｓｔと相違する場合、ＣＣＥアグリゲーションレベルＬｐ，ｍａｘを有するＰＤＣＣＨ候補に対するＣＣＥのインデックスが先ず決定された後、｛ＳＣＣＥ，ｐ，ｋ，ｎｅｓｔ｝から除去されることによって第２ＣＣＥインデックスのセット｛ＳＣＣＥ，ｐ，ｋ，ｎｅｓｔ，１｝を決定することができる。｛ＳＣＣＥ，ｐ，ｋ，ｎｅｓｔ，１｝ＣＣＥのセットの中で、Ｌｐ，ｎｅｓｔと相違する場合、二番目で最も大きいＣＣＥアグリゲーションレベルＬｐ，ｍａｘ１を有するＰＤＣＣＨ候補に対するＣＣＥのインデックスが次に決定された後、｛ＳＣＣＥ，ｐ，ｋ，ｎｅｓｔ，１｝から除去されることによって第２ＣＣＥインデックスのセット｛ＳＣＣＥ，ｐ，ｋ，ｎｅｓｔ，２｝を決定することができ、その他これと同様である。本プロセスはすべてのＣＣＥアグリゲーションレベルのすべてのＰＤＣＣＨ候補に対するＣＣＥインデックスが割り当てられるまで続くか、又は使用可能なＣＣＥインデックスセットが入れ子なしにＣＣＥアグリゲーションレベルのＰＤＣＣＨ候補に割り当てるに十分なＣＣＥインデックスを含まないまで続くことができる。後者の場合、本プロセスはＣＣＥインデックスの第１セット｛ＳＣＣＥ，ｐ，ｋ，ｎｅｓｔ｝を用いてさらに初期化されることができる。
【０４６４】
本発明の第２実施形態は入れ子ＰＤＣＣＨ探索空間を考慮してＣＣＥをＲＥＧにマッピングしてＰＤＣＣＨをＣＣＥにマッピングすることを考慮する。
【０４６５】
ＵＥがスロット内のＤＬ制御リソースセットの第１ＯＦＤＭシンボル又はすべてのＯＦＤＭシンボルのような可変個数のＯＦＤＭシンボル、又は第１ＯＦＤＭシンボル又は第２ＯＦＤＭシンボルのような相違するＯＦＤＭシンボルにマッピングするＰＤＣＣＨ候補に構成される場合、ＰＤＣＣＨ候補をマッピングするのに用いられることができるＣＣＥの数はマッピングに用いられるそれぞれのＯＦＤＭシンボルの数に依存することができる。例えば、２個のＯＦＤＭシンボルにかけてＰＤＣＣＨ候補をマッピングするために利用可能なＣＣＥの数は一つのＯＦＤＭシンボルに対してＰＤＣＣＨ候補をマッピングするのに利用可能なＣＣＥの数より２倍さらに大きくなることができる。
【０４６６】
これは一つの制御リソースセット内に複数の制御リソースサブセットを効果的に生成し、ここで制御リソースサブセットは連関されたＯＦＤＭシンボルの数又はインデックスによって識別されることができ、すべての制御リソースサブセットは制御リソースセットと同一なＢＷにかけている。すべてのＰＤＣＣＨ候補が制御リソースセットのすべてのＯＦＤＭシンボルにマッピングされる場合(これは制御リソースセットがただ一つのＯＦＤＭシンボルのみを含む場合であることができる)、本明細書の前述した実施形態で説明されたように入れ子探索空間が得られることができる。
【０４６７】
図２１は、本発明の実施形態による制御リソースセット内の例示的な制御リソースサブセット２１００を示す図面である。図２１に示された制御リソースサブセット２１００の実施形態はただ説明のためのことである。図２１に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０４６８】
図２１に示されたように、ＵＥは２個のＯＦＤＭシンボルにかけている制御リソースセットに対してＰＲＢのセット(２１１０Ａ及び２１１０Ｂ)から構成される。ＰＲＢのセットは周波数が隣接した又は隣接しないＰＲＢを含むことができる。第１制御リソースサブセットは第１ＯＦＤＭシンボル２１２０内のすべてのＰＲＢを含み、第２制御リソースサブセットは第２ＯＦＤＭシンボル２１３０内のすべてのＰＲＢを含み、第３制御リソースサブセットは制御リソースセットと同一で、第１及び第２ＯＦＤＭシンボルを含む。
【０４６９】
図２１の制御リソースサブセットの例示的な具現のために、第１制御リソースサブセット内のＣＣＥの数はＮＣＣＥ，ｐ，ｋ，１で表示され、第２制御リソースサブセット内のＣＣＥの数はＮＣＣＥ，ｐ，ｋ，２で表示され、制御リソースセット内のＣＣＥの数はＮＣＣＥ，ｐ，ｋで表示される。例えば、ＮＣＣＥ，ｐ，ｋ，１＝ＮＣＣＥ，ｐ，ｋ，２＝ＮＣＣＥ，ｐ，ｋ／２である。
【０４７０】
相違するＰＤＣＣＨ候補が相違するＯＦＤＭシンボルの数を含む相違するＯＦＤＭシンボルインデックスにマッピングされる場合、入れ子探索空間構造は次のように決定することができる。ＮＰ個のＯＦＤＭシンボルを含むＤＬ制御リソースセットｐに対して、ＣＣＥらがｊ個のＯＦＤＭシンボルにマッピングされる場合、ＣＣＥアグリゲーションレベルＬｐをＬｐ，ｊで示し、ｊ個のＯＦＤＭシンボル(１≦ｊ≦Ｎｐ)にマッピングされるＣＣＥアグリゲーションレベルＬｐに対するＰＤＣＣＨ候補の数を
【０４７１】
【数１６３】
2020509662.tif 000165
【０４７２】
で示す。入れ子探索空間構造を定義するために、ｊ個のＯＦＤＭシンボルにかけたＰＤＣＣＨ候補に対するＣＣＥの均等な分配及び
【０４７３】
【数１６４】
2020509662.tif 000166
【０４７４】
が仮定される。例えば、Ｌｐ,１＝４、Ｌｐ,２＝２、Ｌｐ,３＝２及びＬｐ,４＝１である。代案的には、整数値の
【０４７５】
【数１６５】
2020509662.tif 000167
【０４７６】
だけが考慮されることができ、Ｌｐ＝２ｌ，ｌが負数ではない整数の場合Ｌｐ，３は定義されない。
ＵＥは先ず１≦ｊ≦Ｎｐである
【０４７７】
【数１６６】
2020509662.tif 000168
【０４７８】
のプロダクト値に対する最大値を決定し、
【０４７９】
【数１６７】
2020509662.tif 000169
【０４８０】
を設定する。
【０４８１】
【数１６８】
2020509662.tif 000170
【０４８２】
に対する複数の値が存在する場合、選択される値は最も小さい値
【０４８３】
【数１６９】
2020509662.tif 000171
【０４８４】
又は最も小さい値ｊｎｅｓｔを有することであっても良い。一般的にｊｎｅｓｔは
【０４８５】
【数１７０】
2020509662.tif 000172
【０４８６】
を有する１≦ｊ≦Ｎｐの最も小さい値であることで予想されることができ、すなわち、
【０４８７】
【数１７１】
2020509662.tif 000173
【０４８８】
である。
ＵＥは例えば、数式１又は数式２によって、
【０４８９】
【数１７２】
2020509662.tif 000174
【０４９０】
ＰＤＣＣＨ候補に対するＣＣＥインデックスを決定する。ＯＦＤＭシンボルごとに同一な個数のＣＣＥが存在する場合、
【０４９１】
【数１７３】
2020509662.tif 000175
【０４９２】
ＰＤＣＣＨ候補に対するＣＣＥインデックスはスロットｋ内のＤＬ制御リソースセットｐの第１ＯＦＤＭシンボルにあるＣＣＥインデックスに対して決定することができ、ＮＣＣＥ，ｐ，ｋ，１、残りｊｎｅｓｔＯＦＤＭシンボル内のＣＣＥは第１ＯＦＤＭシンボルと同一なインデックスを有することができる。さらに、ＣＣＥインデクシングはすべてのシンボルにかけてはなくシンボルごとに可能することができる。
ＣＣＥインデックスの結果、セットには
【０４９３】
【数１７４】
2020509662.tif 000176
【０４９４】
個のＣＣＥが含まれる。例えば、数式１を参照すれば、スロットｋ内のＤＬ制御リソースセットｐの第１ＯＦＤＭシンボルで、ＰＤＣＣＨ候補
【０４９５】
【数１７５】
2020509662.tif 000177
【０４９６】
に対するＣＣＥインデックスセットは数式７のように決定することができる:
【０４９７】
【数１７６】
2020509662.tif 000178
【０４９８】
その後に、ＵＥは数式１又は数式２を用いてスロットｋ内のＤＬ制御リソースセットｐの第１ＯＦＤＭシンボルにあるＮＣＣＥ，ｐ，ｋ，１ＣＣＥインデックスセットを
【０４９９】
【数１７７】
2020509662.tif 000179
【０５００】
ＣＣＥインデックスセットで取り替えることによって、
【０５０１】
【数１７８】
2020509662.tif 000180
【０５０２】
ＰＤＣＣＨ候補に対するＣＣＥインデックスを決定する。例えば、数式１を参照すれば、
【０５０３】
【数１７９】
2020509662.tif 000181
【０５０４】
ＰＤＣＣＨ候補に対するＣＣＥインデックス、
【０５０５】
【数１８０】
2020509662.tif 000182
【０５０６】
は式８のように決定することができる:
【０５０７】
【数１８１】
2020509662.tif 000183
【０５０８】
図２２は、本発明の実施形態による入れ子構造で一つ又は２つのＯＦＤＭシンボルにかけているＰＤＣＣＨ候補の例示的なＣＣＥインデックス２２００を示す図面である。図２２に示されたＣＣＥインデックス２２００の実施形態はただ説明のためのことである。図２２に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０５０９】
図２２に示されたように、ＵＥは２つのシンボルにかけているＤＬ制御リソースセットｐで構成される。Ｌｐ＝１及びＬｐ＝２に対するすべてのＰＤＣＣＨ候補は一つのＯＦＤＭシンボルにかけており、Ｌｐ＝４及びＬｐ＝８に対するＰＤＣＣＨ候補は２個のＯＦＤＭシンボルにかけている。ＵＥは次のＰＤＣＣＨ候補、即、第１ＯＦＤＭシンボル上の
【０５１０】
【数１８２】
2020509662.tif 000184
【０５１１】
第２ＯＦＤＭシンボル上の
【０５１２】
【数１８３】
2020509662.tif 000185
【０５１３】
第１ＯＦＤＭシンボル上の
【０５１４】
【数１８４】
2020509662.tif 000186
【０５１５】
及び第２ＯＦＤＭシンボル上の、
【０５１６】
【数１８５】
2020509662.tif 000187
【０５１７】
から構成される。
【０５１８】
【数１８６】
2020509662.tif 000188
【０５１９】
であるから、ＵＥは例えば、数式７によって第１ＯＦＤＭシンボル２２１０で
【０５２０】
【数１８７】
2020509662.tif 000189
【０５２１】
ＣＣＥセットを決定する。例えば、第１ＯＦＤＭシンボルでＣＣＥアグリゲーションレベルＬｐ＝２を有する第１、第２、第３、第４、第５及び第６ＰＤＣＣＨ候補はＣＣＥ(１、７)、(２、８)、(３、９)、(４、１０)、(５、１１)、及び(６、１２)をそれぞれ用いることができる。
【０５２２】
図２２のＣＣＥ１乃至１２の実際インデックスはＤＬ制御リソースセットで相違することができるがこれらはＮＣＣＥ，ｐ，ｋ，１＝１２ ＣＣＥセット内のインデックスであることに留意する。残りＰＤＣＣＨ候補に対して、ＣＣＥインデックスは、例えば、数式８を用いてＮＣＣＥ，ｐ，ｋ，１＝１２のセットから決定されることができ、ＣＣＥ１、４、７及び１０は第１ＯＦＤＭシンボル上のそれぞれの
【０５２３】
【数１８８】
2020509662.tif 000190
【０５２４】
ＰＤＣＣＨ候補に用いられることができ、ＣＣＥ２及び８は第２ＯＦＤＭシンボル上のそれぞれの
【０５２５】
【数１８９】
2020509662.tif 000191
【０５２６】
ＰＤＣＣＨ候補に用いられることができ、ＣＣＥ(２、８)及び(５、１１)は第２シンボル上のそれぞれの
【０５２７】
【数１９０】
2020509662.tif 000192
【０５２８】
ＰＤＣＣＨ候補に用いられることができ、両方のシンボル上のＣＣＥ(３、９)及び(６、１２)はそれぞれの
【０５２９】
【数１９１】
2020509662.tif 000193
【０５３０】
ＰＤＣＣＨ候補に用いられることができ、さらに、両方のシンボル上のＣＣＥ(１、７)、(３、９)、(４、１０)及び(６、１２)は
【０５３１】
【数１９２】
2020509662.tif 000194
【０５３２】
ＰＤＣＣＨ候補に用いられることができる。
入れ子ＰＤＣＣＨ探索空間構造は主に、ＣＣＥに対する一つ以上のＲＥＧのブロックが周波数で分散することができ、ＰＤＣＣＨ候補がＣＣＥインデックスのセットを共有することができる分散ＰＤＣＣＨ送信に適用できる。ＰＤＣＣＨ候補に対するＲＥＧ(及びＣＣＥ)が周波数で連続的に存在するローカリゼーションＰＤＣＣＨ送信において、入れ子探索空間構造はＵＥが良好なチャンネル状態を経験するＣＣＥを選択する可能性を増加させるため、ＰＤＣＣＨ 候補に対するＣＣＥらが周波数分散する場合に成就するのがさらに難しい。例えば、一つのＯＦＤＭシンボルにかけているＤＬ制御リソースセット及びＣＣＥアグリゲーションレベルＬｐ＝１を有する
【０５３３】
【数１９３】
2020509662.tif 000195
【０５３４】
ＰＤＣＣＨ候補、そしてＣＣＥアグリゲーションレベルＬｐ＝２を有する
【０５３５】
【数１９４】
2020509662.tif 000196
【０５３６】
ＰＤＣＣＨ候補の場合、
【０５３７】
【数１９５】
2020509662.tif 000197
【０５３８】
ＰＤＣＣＨ候補に対するすべての
【０５３９】
【数１９６】
2020509662.tif 000198
【０５４０】
ＣＣＥインデックスが
【０５４１】
【数１９７】
2020509662.tif 000199
【０５４２】
ＰＤＣＣＨ候補に対する
【０５４３】
【数１９８】
2020509662.tif 000200
【０５４４】
ＣＣＥインデックスのサブセットであることができるが、Ｌｐ＝１を有する２個のＰＤＣＣＨ候補に対するＣＣＥがＬｐ＝１を有する２個の他のＰＤＣＣＨ候補のＣＣＥに隣接することが要求され、これはＵＥが良好なチャンネル状態を経験するようになるＰＤＣＣＨ送信のためのＣＣＥを選択する可能性を減少させる。
【０５４５】
ローカリゼーションＰＤＣＣＨ送信に対する入れ子探索空間設計の限界は分散ＰＤＣＣＨ送信にだけ入れ子探索空間の使用を制限してローカリゼーションＰＤＣＣＨ送信のために、例えば数式１のような非制限的な探索空間設計を用いることで解決することができる。それにもかかわらず、ＵＥがスロットごとに計算する必要があるチャンネル推定減少を享受するためには、ローカリゼーションＰＤＣＣＨ送信にも入れ子探索空間設計を適用することもできる。
【０５４６】
第１接近法で、ローカリゼーションＰＤＣＣＨ送信における、入れ子探索空間設計はＰＤＣＣＨ候補に対する ＣＣＥの入れ子割り当てを有することができ、ここで最も少ない数の候補を有するＣＣＥアグリゲーションレベルに対するＣＣＥインデックスが第２に少ない数の候補を有するＣＣＥアグリゲーションレベルに対するＣＣＥインデックスと入れ子になり、第２に少ない数の候補を有するＣＣＥアグリゲーションレベルに対するＣＣＥインデックスは第３に少ない数の候補を有するＣＣＥアグリゲーションレベルに対するＣＣＥインデックスと入れ子になり、その他と同様である。
【０５４７】
第２接近法で、ＣＣＥインデックスは分散送信に対して決定されることができ、一部ＰＤＣＣＨ候補は周波数ドメインで連続的なＣＣＥを有することができる。
【０５４８】
ＤＬ制御リソースセットが多数のＯＦＤＭシンボルを含む場合、ＰＤＣＣＨ候補に対する周波数スパンを制限してＵＥがチャンネル推定を獲得する必要があるＲＢの数を減少させるために４個のＣＣＥ又は８個のＣＣＥのようなより大きいＣＣＥアグリゲーションレベルに対するＰＤＣＣＨ候補を多数のＯＦＤＭシンボルにかけて成るように制限することができる。一つのＣＣＥのようなより小さいＣＣＥアグリゲーションレベルに対するＰＤＣＣＨ候補は一つのＯＦＤＭシンボル上でばかり又は多数のＯＦＤＭシンボル上にそれぞれのＲＥＧを有することができる。
【０５４９】
また、分散ＰＤＣＣＨ候補の送信が一つのＯＦＤＭ(特に、より小さいＣＣＥアグリゲーションレベルに対して)にかけたことであるかＤＬ制御リソースセットのすべてのＯＦＤＭシンボル(特に、より大きいＣＣＥアグリゲーションレベルに対して)にかけたことであることができるが、ＣＣＥアグリゲーションレベルにかかわらずすべてのＯＦＤＭシンボルにかけるようにローカリゼーションＰＤＣＣＨ候補の送信を構成することが可能できる。
【０５５０】
図２３は、本発明の実施形態による昇順のＰＤＣＣＨ候補に基づくＰＤＣＣＨ候補に対するＣＣＥインデックスのネスティド割り当て２３００を示す図面である。図２３に示されたＣＣＥインデックスのネスティド割り当て２３００の実施形態はただ説明のためのことである。図２３に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
図２３に示されたように、ＵＥは一つのシンボルにかけているＤＬ制御リソースセットｐで構成される。ＣＣＥアグリゲーションレベルＬｐ＝１を有する
【０５５１】
【数１９９】
2020509662.tif 000201
【０５５２】
ＰＤＣＣＨ候補、ＣＣＥアグリゲーションレベルＬｐ＝２を有する
【０５５３】
【数２００】
2020509662.tif 000202
【０５５４】
ＰＤＣＣＨ候補、ＣＣＥアグリゲーションレベルＬｐ＝４を有する
【０５５５】
【数２０１】
2020509662.tif 000203
【０５５６】
ＰＤＣＣＨ候補及びＣＣＥアグリゲーションレベルＬｐ＝８を有する
【０５５７】
【数２０２】
2020509662.tif 000204
【０５５８】
ＰＤＣＣＨ候補が存在する。ＵＥは例えば、数式１によって最も多い数のＰＤＣＣＨ候補
【０５５９】
【数２０３】
2020509662.tif 000205
【０５６０】
を有するＣＣＥアグリゲーションレベルに対するＣＣＥインデックスを先ず決定することができる(２３１０)。ＵＥは
【０５６１】
【数２０４】
2020509662.tif 000206
【０５６２】
ＰＤＣＣＨ候補に対するＣＣＥのセットを用い、例えば、Ｌｐ＝１である数式１を用いて
【０５６３】
【数２０５】
2020509662.tif 000207
【０５６４】
ＰＤＣＣＨ候補に対するＣＣＥインデックスを決定することができ、これによってそれぞれの
【０５６５】
【数２０６】
2020509662.tif 000208
【０５６６】
ＰＤＣＣＨ候補に対する一つのＣＣＥインデックスを獲得することができ、それぞれのＰＤＣＣＨ候補に対する他のＣＣＥインデックスをそれぞれの次の(以前の)ＣＣＥインデックスとして決定することができる(２３２０)。
ＵＥは
【０５６７】
【数２０７】
2020509662.tif 000209
【０５６８】
ＰＤＣＣＨ候補に対するＣＣＥのセットを用いて、例えば、Ｌｐ＝１である数式１を用いて
【０５６９】
【数２０８】
2020509662.tif 000210
【０５７０】
ＰＤＣＣＨ候補に対するＣＣＥインデックスを決定することができ、これにより
【０５７１】
【数２０９】
2020509662.tif 000211
【０５７２】
ＰＤＣＣＨ候補に対する一つのＣＣＥインデックスを獲得することができ、それぞれの
【０５７３】
【数２１０】
2020509662.tif 000212
【０５７４】
ＰＤＣＣＨ候補に対する他の３個のＣＣＥインデックスをそれぞれの以前３個の(又は次の３個の)ＣＣＥインデックスで決定することができる(２３３０及び２３３５)。ＵＥは
【０５７５】
【数２１１】
2020509662.tif 000213
【０５７６】
ＰＤＣＣＨ候補に対するＣＣＥのセットを用いて、例えば、Ｌｐ＝１である数式１を用いて
【０５７７】
【数２１２】
2020509662.tif 000214
【０５７８】
ＰＤＣＣＨ候補に対するＣＣＥインデックスを決定することができ、これにより
【０５７９】
【数２１３】
2020509662.tif 000215
【０５８０】
ＰＤＣＣＨ候補に対する一つのＣＣＥインデックスを獲得することができ、他の７個のＣＣＥインデックスを次の７個の(又は以前７個の)ＣＣＥインデックスで決定することができる(２３４０)。十分な数の次の(又は以前の)ＣＣＥインデックスがない場合、以前の(又は次の)ＣＣＥインデックスが用いられることができる。
【０５８１】
図２４は、本発明の実施形態による多数のＰＤＣＣＨ候補に対するＣＣＥインデックスの制限に基づくＰＤＣＣＨ候補に対するＣＣＥインデックスの入れ子割り当て２４００を示す図面である。図２４に示されたＣＣＥインデックスの入れ子割り当て２４００の実施形態はただ説明のためのことである。図２４に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
図２４に示されたように、ＵＥは一つのシンボルにかけているＤＬ制御リソースセットｐで構成される。ＣＣＥアグリゲーションレベルＬｐ＝１を有する
【０５８２】
【数２１４】
2020509662.tif 000216
【０５８３】
ＰＤＣＣＨ候補、ＣＣＥアグリゲーションレベルＬｐ＝２を有する
【０５８４】
【数２１５】
2020509662.tif 000217
【０５８５】
ＰＤＣＣＨ候補、ＣＣＥアグリゲーションレベルＬｐ＝４を有する
【０５８６】
【数２１６】
2020509662.tif 000218
【０５８７】
ＰＤＣＣＨ候補及びＣＣＥアグリゲーションレベルＬｐ＝８を有する
【０５８８】
【数２１７】
2020509662.tif 000219
【０５８９】
ＰＤＣＣＨ候補が存在する。ＵＥは先ず数式１によって決定されたＣＣＥアグリゲーションレベルに対するＣＣＥインデックスを
【０５９０】
【数２１８】
2020509662.tif 000220
【０５９１】
で決定されることができる(２４１０、２４１５)。ＵＥは
【０５９２】
【数２１９】
2020509662.tif 000221
【０５９３】
ＰＤＣＣＨ候補に対するＣＣＥのセットを用いることによって、例えば、Ｌｐ＝１である数式１を用いて
【０５９４】
【数２２０】
2020509662.tif 000222
【０５９５】
ＰＤＣＣＨ候補に対するＣＣＥインデックスを決定することができ、これにより
【０５９６】
【数２２１】
2020509662.tif 000223
【０５９７】
それぞれのＰＤＣＣＨ候補に対する一つのＣＣＥインデックスを獲得することができる(２４２０)。
ＵＥは
【０５９８】
【数２２２】
2020509662.tif 000224
【０５９９】
ＰＤＣＣＨ候補に対するＣＣＥのセットを用いることによって、例えば、Ｌｐ＝２である数式１を用いて
【０６００】
【数２２３】
2020509662.tif 000225
【０６０１】
ＰＤＣＣＨ候補に対するＣＣＥインデックスを決定することができ、これにより
【０６０２】
【数２２４】
2020509662.tif 000226
【０６０３】
ＰＤＣＣＨ候補に対する２個のＣＣＥインデックスを獲得することができ、それぞれの
【０６０４】
【数２２５】
2020509662.tif 000227
【０６０５】
ＰＤＣＣＨ候補に対する他の２個のＣＣＥインデックスをそれぞれの以前２個の(又は次の２個の)ＣＣＥインデックスで決定することができる(２４３０)。ＵＥは
【０６０６】
【数２２６】
2020509662.tif 000228
【０６０７】
ＰＤＣＣＨ候補に対するＣＣＥのセットを用いることで、例えば、Ｌｐ＝２である数式１を用いて
【０６０８】
【数２２７】
2020509662.tif 000229
【０６０９】
ＰＤＣＣＨ候補に対するＣＣＥインデックスを決定することができ、これにより
【０６１０】
【数２２８】
2020509662.tif 000230
【０６１１】
候補に対する２個のＣＣＥインデックスを獲得することができ、他の６個のＣＣＥインデックスを次６個の(又は以前６個の)ＣＣＥインデックスで決定することができる(２４４０)。十分な数の次の(又は以前の)ＣＣＥインデックスがない場合、以前の(又はそれぞれの)ＣＣＥインデックスが用いられることができる。
ＵＬ ＤＭＲＳ又はＳＲＳ送信はＺＣシーケンス、ＣＡＺＡＣシーケンス又は擬似ノイズ(ＰＮ)シーケンスの送信を基づくことができる。例えば、
【０６１２】
【数２２９】
2020509662.tif 000231
【０６１３】
ＲＢのＵＬシステムＢＷの場合、ＺＣシーケンス
【０６１４】
【数２３０】
2020509662.tif 000232
【０６１５】
は
【０６１６】
【数２３１】
2020509662.tif 000233
【０６１７】
によって基本シーケンス
【０６１８】
【数２３２】
2020509662.tif 000234
【０６１９】
のサイクリックシフト(ＣＳ)によって定義されることができ、ここで、
【０６２０】
【数２３３】
2020509662.tif 000235
【０６２１】
はシーケンス長さで、
【０６２２】
【数２３４】
2020509662.tif 000236
【０６２３】
であり、
【０６２４】
【数２３５】
2020509662.tif 000237
【０６２５】
であり、ｑ番目のルートＺＣシーケンスは
【０６２６】
【数２３６】
2020509662.tif 000238
【０６２７】
によって与えられたｑと
【０６２８】
【数２３７】
2020509662.tif 000239
【０６２９】
によって与えられた
【０６３０】
【数２３８】
2020509662.tif 000240
【０６３１】
を有する
【０６３２】
【数２３９】
2020509662.tif 000241
【０６３３】
によって定義される。ＺＣシーケンスの長さ
【０６３４】
【数２４０】
2020509662.tif 000242
【０６３５】
は
【０６３６】
【数２４１】
2020509662.tif 000243
【０６３７】
を満足する最大の少数で与えられる。
互いに異なる値のαを用いて単一基本シーケンスから多重ＲＳシーケンスを定義することができる。ＵＬ ＤＭＲＳ又はＳＲＳ送信はスロットシンボルで非連続のＳＣが送信に用いられるコウムスペクトラムを有することができる。ＳＲＳ送信は送信コーム、サイクリックシフト、ＢＷ、システムＢＷでの開始位置、送信アンテナポートの数、第１送信のためのタイミングオフセット又は送信シンボルの数のようなそれぞれのパラメーターのセットによって識別される。
【０６３８】
ＣＳＩ−ＲＳは１個、２個、４個、８個、１２個又は１６個のアンテナポートのような多数のアンテナポートを介して送信されることができる。８個より多いアンテナポートを用いるＣＳＩ−ＲＳの場合、同一なスロット内の
【０６３９】
【数２４２】
2020509662.tif 000244
【０６４０】
ＣＳＩ−ＲＳ構成が集成されて総
【０６４１】
【数２４３】
2020509662.tif 000245
【０６４２】
アンテナポートを得ることができる。このようなアグリゲーション内の各ＣＳＩ−ＲＳ構成は
【０６４３】
【数２４４】
2020509662.tif 000246
【０６４４】
アンテナポートに該当する。スロットでＣＳＩ−ＲＳをＲＥにマッピングすることはＬＴＥ仕様に説明されている。
多数のＣＳＩ−ＲＳ構成は一つのセルで用いられることができる。ＵＥは、ＵＥがＣＳＩ報告及びＺＰ ＣＳＩ−ＲＳに対する０以上の構成のために用いることができるＮＺＰ ＣＳＩ−ＲＳのための最大３つの構成を含むＣＳＩ−ＲＳの多数のセットから構成されることができる。ＮＺＰ ＣＳＩ−ＲＳ構成は上位階層によって提供される。スロットのＺＰ ＣＳＩ−ＲＳ構成は導出されたビットマップによって提供されることができる。
【０６４５】
ＵＥは次のパラメーターを含むことができる一つ以上のＣＳＩ−ＲＳリソース構成から構成されることができる。一実施形態で、一つ以上のＣＳＩ−ＲＳリソース構成はＣＳＩ−ＲＳリソース構成アイデンティティーを含む。他の例で、一つ以上のＣＳＩ−ＲＳリソース構成は多数のＣＳＩ−ＲＳフォトを含む。例えば、許容可能な値及びアンテナポートマッピングはＬＴＥ仕様に記述されたことと同様であっても良い。また、他の例で、一つ以上ＣＳＩ−ＲＳリソース構成はＬＴＥ仕様に記述されたようなＣＳＩ−ＲＳ構成を含む。また、他の例で、一つ以上のＣＳＩ−ＲＳリソース構成は各ＣＳＩプロセスに対するＣＳＩフィードバックＰｃに対する基準ＰＤＳＣＨ送信電力に対するＵＥ仮定を含む。ＣＣＳＩ,０及びＣＣＳＩ,１がＣＳＩプロセスに対して上位階層によって構成されることによってＣＳＩが設定される時、ＰｃはＣＳＩプロセスの各ＣＳＩスロットセットに対して構成される。また、他の例で、一つ以上のＣＳＩ−ＲＳリソース構成は擬似−ランダムシーケンス生成器パラメーター、ｎＩＤを含む。また、他の例で、ＵＥが上位階層パラメーターｅＭＩＭＯ−Ｔｙｐｅから構成されてｅＭＩＭＯ−ＴｙｐｅがＬＴＥ遠慮に記述されたようにＣＳＩプロセスに対して“ＣＬＡＳＳ Ａ”と設定された場合、一つ以上のＣＳＩ−ＲＳリソース構成はＣＤＭタイプパラメーターを含む。
【０６４６】
ＵＥは干渉測定(ＣＳＩ−ＩＭ)のための一つ以上のＣＳＩリソース構成から構成されることができる。ＵＥは通常的にＺＰ ＣＳＩ−ＲＳリソース構成のうちの一つと完全に重ならないＣＳＩ−ＩＭリソース構成を受信することで予想されない。
【０６４７】
ＣＱＩの計算に基づいて、ＵＥはＵＥが予め決定された値、例えば、１０％を超過しないＢＬＥＲで受信することができる変調方式及び送信ブロック大きさに対応する１乃至１５の間のＣＱＩインデックスを導出することができる。これが可能ではない場合、ＵＥは０のＣＱＩインデックスを報告する。ＣＱＩインデックスの解釈は表１に示しＭ他のマッピングテーブルも存在することができる。
【０６４８】
【表１】
2020509662.tif 000247
【０６４９】
ネットワークは相違する送信又は受信ＢＷ能力を有するＵＥをサポートすることができる。例えば、ネットワークは２００ＭＨｚの利用可能なシステムＤＬ ＢＷ又はＵＬ ＢＷを有することができる一方、特定カテゴリーのＵＥは２０ＭＨｚのようにシステムＤＬ ＢＷ又はＵＬＢＷより小さいＢＷだけで受信又は送信するように構成されるか、構成されることができる。ＵＥの送信ＢＷ又は受信ＢＷがそれぞれシステムのＤＬ ＢＷ又はＵＬ ＢＷより小さいことにもかかわらず、ｇＮＢはそれぞれのシステムＢＷの任意の部分でＵＥからの受信又は送信をスケジューリングすることができる。
【０６５０】
ｇＮＢはＤＬシステムＢＷのＵＥ狭帯域(ｎａｒｒｏｗｂａｎｄｓ；ＮＢｓ)又はＵＬシステム ＢＷを構成することができ、ここで、各ＮＢのＢＷは受信ＢＷ又は送信ＢＷに対するＵＥ能力を超過せず、それぞれのＮＢでＵＥへの送信又はＵＥからの送信をスケジューリングする。ＮＢは同一な大きさ、又は相違する大きさを有することができる。例えば、すべてのＮＢは他のＮＢと同一であるかより小さい大きさを有することができる最後のＮＢを除いて同一な大きさを有することができる。
【０６５１】
狭帯域という用語は参照用で用いられサブ−帯域又はＢＷ部分のような任意の他の用語はシステムＢＷの分割ユニットを小さいＢＷで示すために代わりに用いられることができる。さらに、ＮＢは入れ子にならないか部分的に入れ子になったことができる。
【０６５２】
ＤＬ ＤＣＩフォーマット又はＵＬ ＤＣＩフォーマットスケジューリングで、ＵＥに又はＵＥからのそれぞれの送信はＮＢを示す第１フィールド及び第ＮＢ内のリソースを示す２フィールドを含むことができる。また、ＮＢ及びＮＢ内のＰＲＢ割り当ての全てが単一フィールドによって指示されることができる。ｇＮＢがシステムスペクトラム効率を向上させながらＵＥからの受信又は送信をスケジューリングするためにＮＢのセットのうちのＮＢを選択するためには、ｇＮＢはＮＢのセットからＮＢに対してＵＥからＣＳＩと共に提供される必要がある。ＵＥはＮＢに対するＣＳＩ報告を送信するかＮＢでＳＲＳをｇＮＢに送信することによってＮＢのセットからＮＢに対するｇＮＢでＣＳＩ報告を提供することができる。ＵＥは上位階層シグナリング又は物理階層(Ｌ１)シグナリングによってｇＮＢによって構成されたリソースのＰＵＣＣＨ又はＰＵＳＣＨでＣＳＩ報告を送信することができる。
【０６５３】
ＵＥはＮＢで送信されるＣＳＩ−ＲＳを測定することでＮＢに対するＣＳＩ報告を得ることができる。これはＵＥがＣＳＩ−ＲＳを受信するためにＵＥの無線周波数(ｒａｄｉｏ ｆｒｅｑｕｅｎｃｙ；ＲＦ)受信機をＮＢでチューニングし直す(ｒｅｔｕｎｉｎｇ)ことを要する。ＣＳＩ−ＲＳ受信のためのＮＢがＮＢと相違することができるので、ＵＥはＰＤＣＣＨを受信するように構成され、これは２回のチューニングし直し動作を要する；一つはＣＳＩ−ＲＳ送信のＮＢに対するＰＤＣＣＨ受信のために構成されたＮＢからのことで、他の一つはＰＤＣＣＨ送信のＮＢに対するＣＳＩ−ＲＳ送信のＮＢからことである。ＵＥ受信機に対するＲＦチューニングし直し動作はＵＥがシグナリングを受信することができない時間周期を要するから、ＵＥのスケジューリング機会を制限してＵＥに対して達成可能なデータレートを制限することができる。したがって、ＵＥがチューニングし直し動作によってＤＬ制御チャンネルを受信することができない時間を減少させることが有利である。
【０６５４】
ＵＥがサポートすることができる最大ＳＲＳ送信ＢＷより大きいＢＷを介してＵＥからＳＲＳ送信のために、ＵＥはそれぞれの相違する時間インスタンスの間のＢＷの相違するＮＢでＳＲＳを送信することができる。さらに、多数のアンテナから同時に受信するためのＵＥ能力は多数のアンテナから同時に送信するためのＵＥ能力より大きくなることができる。ＴＤＤシステムの場合、逆方向ＤＬ ＢＷ及びＵＬ ＢＷによって、ＵＥからのＳＲＳ送信はＵＥへのＤＬ送信のためにＣＳＩを提供することができるので、すべてのＵＥアンテナからのＳＲＳ送信ができるようにすることが有利である。
【０６５５】
したがって、相違する狭帯域(ｎａｒｒｏｗｂａｎｄ)での相違する時間インスタンスでＣＳＩ−ＲＳ送信をトリガーするｇＮＢが必要である。
【０６５６】
相違する狭帯域での相違する時間インストンスドルでＣＳＩ−ＲＳを測定するＵＥに対するまた他の必要性がある。
【０６５７】
相違する狭帯域に対するＣＳＩ報告を提供するＵＥに対するまた他の必要性がある。
【０６５８】
ＣＳＩ報告の送信のためのリソースでＵＥを構成するまた他の必要性がある。ＵＥスケジューリングに対するＲＦチューニングし直しの影響を減少させるまた他の必要性がある。
【０６５９】
最後に、ＵＥが相違する狭帯域でＳＲＳを送信することができるようにするまた他の必要性がある。
【０６６０】
一実施形態で、多数のＮＢ上のＣＳＩ−ＲＳ送信をトリガーするための設計が考慮される。ＮＢでのＣＳＩ−ＲＳ送信はプリコーディングされるかプリコーディングされないことがある前者の場合、プリコーディングはさらにＵＥに構成されることができ、すべてのＮＢに対して同一であるか(すべてのＮＢに対する単一構成)又は相違するＮＢに対して相違することができる(ＮＢ当たり分離した構成)。ＣＳＩ−ＲＳ送信には０−電力ＣＳＩ−ＲＳ及び０ではない電力 ＣＳＩ−ＲＳが含まれることができる。
【０６６１】
ＵＥがＮＢの構成されたセットからＮＢでＣＳＩ−ＲＳを受信するため、ＵＥはＮＢのセットからＵＥのＲＦ受信機コンポーネントを各ＮＢにチューニングし直す必要がある。ＮＢのセット内のＮＢが同一な周波数帯域にいるのか相違する周波数帯域にいるか否かに依存し、そしてスロット長続き時間及びＵＥチューニングし直し能力に依存し、関連ＲＦチューニングし直し遅延は一つ又はいくつかのシンボルから一つ以上のスロットに変わることができる。ＵＥがＵＥの受信機ＲＦをチューニングし直す間、ＵＥはｇＮＢから他のシグナリングを受信することができない。したがって、スロットでＣＳＩ−ＲＳ送信はＵＥがＮＢでＰＤＣＣＨ受信を介してＤＬ又はＵＬ送信をスケジューリングすることができるようにしながらチューニングし直し遅延を説明する必要があり、ここでＵＥはＰＤＣＣＨを受信するように構成される。
【０６６２】
チューニングし直し遅延がＵＥが第１ＮＢでＰＤＣＣＨを受信するように構成された最後のスロットシンボルと第２ＮＢでＣＳＩ−ＲＳ送信の第１スロットシンボルの間の時間間隔より小さな場合、ＵＥはＵＥが第１ＮＢ及び第１スロット又は第２スロットでＰＤＳＣＨのような他のシグナリングを受信しない時に第１ＮＢでＰＤＣＣＨを受信した以後第２ＮＢでＣＳＩ−ＲＳを受信することができる。
【０６６３】
チューニングし直し遅延が第２ＮＢでＣＳＩ−ＲＳを受信するための最後のスロットシンボルと第１ＮＢでＰＤＣＣＨを受信するための制１スロットシンボルの間の時間間隔より小さい時、ＵＥは第２ＮＢでＣＳＩ−ＲＳを受信した以後にＰＤＣＣＨを受信するために第１ＮＢにチューニングし直すことができる。ＵＥが第１ＮＢでＰＤＳＣＨを受信するようにＵＥをスケジューリングするＰＤＣＣＨを検出してさらにＵＥが第２ＮＢでＣＳＩ−ＲＳを受信するように構成され、ＰＤＳＣＨ受信の終了とＣＳＩ−ＲＳ受信の開始間の時間が第１ＮＢから第２ＮＢへのチューニングし直し遅延より小さい時、ＵＥはＣＳＩ−ＲＳの受信をドロップ(ｄｒｏｐ)できる。
【０６６４】
単一デュプレクサを有するＴＤＤシステム及びＵＥに対して、ＵＥがランダムアクセスチャンネル、又はＰＵＳＣＨ、又は第１ＮＢでＨＡＲＱ−ＡＣＫを伝達することと同様なＰＵＣＣＨを送信するように構成され、ＵＥがさらに第２ＮＢでＣＳＩ−ＲＳを受信するように構成され、チューニングし直し遅延がＵＬシグナリングの終了とＣＳＩ−ＲＳ受信の開始の間の時間より大きい時、ＵＥはＣＳＩ−ＲＳの受信をドロップすることができる。ＴＤＤシステム及び単一デュプレクサを有するＵＥの場合、ＵＥがＮＢでＳＲＳを送信するように構成され、ＵＥがさらに相違するＮＢでＣＳＩ−ＲＳを受信するように構成され、チューニングし直し遅延がＵＥがＳＲＳを送信するかＣＳＩ−ＲＳを受信することができないようにする遅延である時、ＵＥはＣＳＩ−ＲＳの受信を優先させて、ＳＲＳの送信をドロップすることができる。ＵＥはＵＥがＣＳＩ−ＲＳ受信をドロップしたＮＢに対する最終有効ＣＳＩ測定を報告することができる。
【０６６５】
一実施形態で、一つ以上のＮＢのセットでのＣＳＩ−ＲＳ送信は半永久的や周期的なことがある。ＵＥはＮＢのセットから各ＮＢでＣＳＩ−ＲＳ送信のためのＮＢ及びパラメーターのセットで上位階層によって構成される。ＮＢのセット内の各ＮＢは例えば、システムＢＷで昇順によって決定するそれぞれのインデックスを有する。ＣＳＩ−ＲＳ送信はさらにＮＢでＣＳＩ−ＲＳ送信を除いてＮＢインデックスの昇順によって発生することができ、ここでＵＥは以後さらに論議されるように、ＰＤＣＣＨを受信するように構成され、ここでＣＳＩ−ＲＳ送信が先に発生することができる。ＣＳＩ−ＲＳ送信パラメーターはすべてのＮＢに対して同一なことがあって、以後により説明されるようにＣＳＩ−ＲＳ送信のためのスロットシンボルの位置を除いてはすべてのＮＢに対して共同で構成されることができるか、各ＮＢに対して個別的に構成されることができる。
【０６６６】
ＣＳＩ−ＲＳ送信パラメーターは以前に説明したとおりＣＳＩ−ＲＳリソース構成アイデンティティー、多数のＣＳＩ−ＲＳポート、ＣＳＩ−ＲＳ構成、各ＣＳＩ プロセスに対する基準 Ｐｃ 電力、擬似−ランダムシーケンス生成器パラメーター、ｎＩＤ 及びＣＤＭタイプパラメーター中の一つ以上を含むことができる。ＣＳＩ−ＲＳ送信パラメーターはさらに各ＮＢでのＣＳＩ−ＲＳ送信のための基準スロット及び周期、スロットでＣＳＩ−ＲＳ送信のための多数のシンボル、又はＣＳＩプロセスアイデンティティーを含むことができる。
【０６６７】
図２５は、本発明の実施形態によってＣＳＩ−ＲＳ送信を受信した後のＵＥがＰＤＣＣＨ受信のために構成されたということをＵＥがＮＢにチューニングし直す多数のＮＢでの例示的なＣＳＩ−ＲＳ送信２５００を示す図面である。図２５に示されたＣＳＩ−ＲＳ送信２５００の実施形態はただ説明のためのことである。図２５に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０６６８】
図２５に示されたように、ＵＥは４個のＮＢ及びＰＤＣＣＨ受信のための４個のＮＢから第１ＮＢのリソースを含むＮＢのセットから構成される。第１スロットで、ＵＥは第１ＮＢ２５１０でＰＤＣＣＨを受信して第１ＮＢ２５１５からＣＳＩ−ＲＳ送信を受信する。第２スロットで、ＵＥは第１ＮＢ２５２０でＰＤＣＣＨを受信し、第２ＮＢにチューニングし直してＣＳＩ−ＲＳ送信２５２５を受信し、第１ＮＢにさらにチューニングし直して第３スロットでＰＤＣＣＨを受信する。第３スロットで、ＵＥは第１ＮＢ２５３０でＰＤＣＣＨを受信し、第３ＮＢにチューニングし直してＣＳＩ−ＲＳ送信２５３５を受信し、第１ＮＢにさらにチューニングし直して第４スロットでＰＤＣＣＨを受信する。
【０６６９】
第４スロットで、ＵＥは第１ＮＢ２５４０でＰＤＣＣＨを受信し、第４ＮＢにチューニングし直してＣＳＩ−ＲＳ送信２５４５を受信し、第１ＮＢにさらにチューニングし直して第５スロットでＰＤＣＣＨを受信する。ＵＥがＰＤＣＣＨを受信する現在の活性ＮＢではないＮＢへのスロットでチューニングし直しはスロット内の現在の活性ＮＢでスケジューリングされた受信を有しないＵＥに対して条件が付けされる。図２５はＵＥに対するＣＳＩ−ＲＳ送信が各ＮＢで同一な与えることに発生するとみなすが、相違する周期性がさらに可能であり、ここで、例えば第１ＮＲでのＣＳＩ−ＲＳ送信の周期性はＮＢのセットからの他のＮＢより小さい。
【０６７０】
ＮＢにチューニングし直すＵＥ代りに、ＵＥはＰＤＣＣＨ受信のために構成され、ＵＥは次 ＣＳＩ−ＲＳ送信のＮＢをチューニングし直すように構成されることができる。例えば、スロットが１４個のシンボルを含み、チューニングし直し遅延は一つのシンボルで、スロットのＰＤＣＣＨ受信に対する最後のシンボルが第３シンボルである時、ＵＥはＮＢにチューニングし直す前にすべてのＮＢでＣＳＩ−ＲＳを受信することができ、ここでＵＥはＰＤＣＣＨを受信するように構成される。
【０６７１】
ＵＥがＣＳＩ−ＲＳ送信を受信するために新しいＮＢにチューニングし直すか又はＰＤＣＣＨを受信するために構成されたＮＢにチューニングし直すか否かはＵＥがＮＢの間でチューニングし直すのに必要な時間(チューニングし直し遅延)、ＣＳＩ−ＲＳ送信を用いるＮＢのセットでの多数のＮＢ、又はスロット長続き時間、又はＰＤＣＣＨ送信のための最大長続き時間に依存することができる。
【０６７２】
図２５及び図２６の動作に対する中間動作はＵＥが時間、スロット長続き時間、及びＤＬ制御チャンネルの送信のための最大長続き時間をチューニングし直すことによってＵＥがＰＤＣＣＨ受信のために構成されたＮＢにチューニングし直す前にＮＢのセットのサブセットでＣＳＩ−ＲＳ送信を受信して引き継いでそれぞれのＣＳＩ−ＲＳ送信の受信のためのＮＢのセットの互いに異なるサブセットにチューニングし直す場合にも可能である。
【０６７３】
図２６は、本発明の実施形態によってＰＤＣＣＨ受信のために構成されたＮＢにチューニングし直す前にＣＳＩ−ＲＳ送信を受信するように構成された各ＮＢでＵＥがチューニングし直す多数のＮＢでの例示的なＣＳＩ−ＲＳ送信２６００を示す図面である。図２６に示されたＣＳＩ−ＲＳ送信２６００の実施形態はただ説明のためのことである。図２６に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０６７４】
図２６に示されたように、ＵＥは３個のＮＢ及びＰＤＣＣＨ受信のための３個のＮＢからの第１ＮＢ内のリソースを含むＮＢのセットで構成される。第１スロットで、ＵＥは第１ＮＢでＰＤＣＣＨ２６１０及び第１ＣＳＩ−ＲＳ送信２６２０を受信する。ＵＥは次いで第２ＮＢにチューニングし直してＣＳＩ−ＲＳ送信２６３０を受信した後、第３ＮＢにチューニングし直して第３ＣＳＩ−ＲＳ送信２６４０を受信する。３個のＮＢでＣＳＩ−ＲＳ送信を受信した以後に、ＵＥは第１ＮＢにチューニングし直して第２スロット２６５０でＰＤＣＣＨを受信する。
【０６７５】
他の例で、ＮＢのセットからのＮＢでのＣＳＩ−ＲＳ送信は非周期的でありＰＤＣＣＨによって伝達するＤＣＩフォーマットによってトリガーされることができる。ＤＣＩフォーマットはＵＥへのＰＤＳＣＨ送信をスケジューリングするＤＬ ＤＣＩフォーマットであることができるか一つ以上のＵＥに対するコンテンツを持つ別途のＤＣＩフォーマットであれば良い。
【０６７６】
ＮＢのセットから一つ以上のＮＢでＣＳＩ−ＲＳ送信をトリガーリングするＤＣＩフォーマットが一つ以上のスロットでＵＥへのＰＤＳＣＨ送信をスケジューリングするＤＬ ＤＣＩフォーマットである時、ＤＬ ＤＣＩフォーマットはＣＳＩ−ＲＳ送信のためのＮＢのセットからの一つ以上のＮＢを示すフィールドを含むことができる。ＤＬ ＤＣＩフォーマットがＵＥに対するＰＤＳＣＨ送信をスケジューリングするによって、ＰＤＳＣＨ送信のＮＢがまたトリガーされたＣＳＩ−ＲＳ送信を有するＮＢである時、ＰＤＳＣＨを受信することができるためには、第１ＣＳＩ−ＲＳ送信がＮＢで発生することができ、ＮＢでＵＥはＰＤＣＣＨを受信するように構成されて後続ＣＳＩ−ＲＳ送信はＮＢインデックスの昇順(又は降順)によって残りＮＢにある。
【０６７７】
ＵＥがＰＤＣＣＨを受信するように構成されるＮＢがトリガーされたＣＳＩ_ＲＳ送信を有するＮＢではない時、ＵＥは一つ以上のスロットでＰＤＳＣＨを受信することができ、次いで一つ以上のスロット以後にトリガーされたＣＳＩ−ＲＳ送信を有するＮＢにチューニングし直す。ＮＢでのＣＳＩ−ＲＳ送信は、ＣＳＩ−ＲＳ送信がトリガーされる時、スケジューリングされたＤＬデータチャンネル送信のＮＢを含む昇順ＮＢインデックスによることであっても良い。チューニングし直し遅延によって、ＵＥはさらにチューニングし直し前の次のスロットでＮＢでＰＤＣＣＨを受信することができ、ＵＥが一つ以上の次のスロットで第１ＮＢでＵＥへのＰＤＳＣＨ送信をスケジューリングする次のスロットで他のＤＬ ＤＣＩフォーマットを検出する時、ＵＥは一つ以上の次のスロットで第１ＮＢ以外のＮＢでトリガーされたＣＳＩ−ＲＳ送信を無視することができる。
【０６７８】
ＵＥが構成されるＮＢのセットのうちの一つ以上のＮＢでＣＳＩ−ＲＳ送信をトリガーリングするＤＬ ＤＣＩフォーマットのフィールドはＮＢの表示を含むことができる。例えば、２個の二進要素(ビット)を有するフィールドは“００”値を用いてＣＳＩ−ＲＳ送信がないことを示すことができ、“０１”“１０”及び“１１”値をそれぞれ用いてＮＢのセットのうちの第１、第２又は第３構成されたサブセットでのＣＳＩ−ＲＳ送信を示すことができる。それぞれのＮＢでのＣＳＩ−ＲＳ送信のためのパラメーターは同一であるか相違することができる。前述したように、ＣＳＩ−ＲＳ受信のためのＮＢを示され、ＣＳＩ−ＲＳ受信をトリガーリングしてＣＳＩ−ＲＳ構成を示すためのフィールドを用いるために別途のフィールドを用いることもできる。
【０６７９】
例えば、ＣＳＩ−ＲＳリソース構成アイデンティティー、多数のＣＳＩ−ＲＳフォト、ＣＳＩ−ＲＳ構成、各ＣＳＩプロセッサに対する基準Ｐｃ電力、擬似−ランダムシーケンス生成器パラメーター、ｎＩＤ、ＣＤＭタイプパラメーター、スロット内の多数のシンボル又はＣＳＩプロセスアイデンティティーはすべてのＮＢに対して同一であれば良い。各ＮＢでＣＳＩ−ＲＳ送信のためのスロットシンボルの位置は同一であるか相違することができる。例えば、ＣＳＩ−ＲＳ送信がそれぞれ相違するＮＢ内の相違するスロットにある時、それぞれのスロットシンボルは同一であれば良い。例えば、少なくとも一部ＮＢでＣＳＩ−ＲＳ送信が同一なスロットにある時、それぞれのスロットシンボルは相異し、連続的なＣＳＩ−ＲＳ送信に対するシンボルの個数のそれぞれのオフセットは連関されたトリガーＣＳＩ−ＲＳ送信を有するＵＥに対するチューニングし直し遅延から決定することができるか、又はシステム情報のようなＵＥ−共通上位階層シグナリングによって又はＵＥ特定上位階層シグナリングによってｇＮＢによってシグナリングされることができる。
【０６８０】
ＵＥへのＤＬデータチャンネル送信をスケジューリングしてＮＢのセットからの一つ以上のＮＢでのＣＳＩ−ＲＳ送信のＵＥによって受信をトリガーするＤＬ ＤＣＩフォーマットはさらに一つ以上のＮＢに対するＣＳＩ報告を伝達するＵＥからのＰＵＣＣＨ送信をトリガーすることができる。ＰＵＣＣＨ送信のためのリソースはＤＬ ＤＣＩフォーマットで明示的に指示されることができるか上位階層シグナリングによってＵＥに構成されることができる。
【０６８１】
第１例で、ＤＬ ＤＣＩフォーマットはＣＳＩ報告のためのＰＵＣＣＨリソース割り当てフィールドを含むことができる。ＵＥは上位階層によって４個のＰＵＣＣＨリソースから構成されることができ、ＣＳＩ報告のためのＰＵＣＣＨリソース割り当てフィールドは４個の構成されたリソースのうちの一つを示す２ビットを含むことができる。
【０６８２】
第２例で、ＤＬ ＤＣＩフォーマットはＤＬデータチャンネルに対するＵＥによる受信結果に係るＨＡＲＱ−ＡＣＫ報告のためのＰＵＣＣＨリソース割り当てフィールドを含むことができる。例えば、ＵＥは上位階層によって４個のＰＵＣＣＨリソースから構成されることができ、ＨＡＲＱ−ＡＣＫ報告のためのＰＵＣＣＨリソース割り当てフィールドは４個の構成されたリソースのうちの一つを示す２ビットを含むことができる。そんな後、ＣＳＩ報告のためのＰＵＣＣＨリソースはＨＡＲＱ−ＡＣＫ報告のためのＰＵＣＣＨリソースから導出されることができる。ＵＥはさらに上位階層によってＣＳＩ報告のための４個のＰＵＣＣＨリソースから構成されることができ、例えば、第３ＰＵＣＣＨリソースがＨＡＲＱ−ＡＣＫ報告のために表示される時、ＵＥはさらにＣＳＩ報告のために第３ＰＵＣＣＨリソースを用いる。したがって、ＨＡＲＱ−ＡＣＫ報告及びＣＳＩ報告のためのＰＵＣＣＨリソースは相違するが共同で表示される。
【０６８３】
同一な接近法がＨＡＲＱ−ＡＣＫ報告及びＣＳＩ報告の送信タイミングに適用されることができる。例えば、ＨＡＲＱ−ＡＣＫ報告を伝達する第１ＰＵＣＣＨ及びＣＳＩ報告を伝達する第２ＰＵＣＣＨのＵＥからの同時送信を避けるため、ＵＥがＣＳＩ報告を送信するスロット以後に、ＵＥは次のスロット又は予め決定されたスロットでＣＳＩ報告を送信することができる。ＵＥはさらに同一なスロットのそれぞれ相違するシンボルで連続的なＰＵＣＣＨを送信するように構成されることができる。ＤＬ ＤＣＩフォーマットはさらにＵＥがＨＡＲＱ−ＡＣＫ報告のためにＰＵＣＣＨ送信電力を調整するためのＴＰＣコマンドを含むことができ、ＰＵＣＣＨ送信のための同一な閉鎖−ループ電力制御プロセスを仮定すれば、ＵＥはさらにＣＳＩ報告のためのＰＵＣＣＨ送信電力を調整するためにＴＰＣコマンドを適用する。
【０６８４】
ＵＥに対するＮＢのセットからのＮＢ内のＣＳＩ−ＲＳ送信をトリガーするＤＣＩフォーマットがＤＬ ＤＣＩフォーマットではない時、ＤＣＩフォーマットはＵＥがデコーディングするＤＬ ＤＣＩフォーマット又はＵＥがＴＰＣコマンドを獲得することのように他の目的にデコーディングするＤＣＩフォーマットの大きさと同一な大きさを有することができる。ＤＣＩフォーマットのＣＲＣはＣＳＩ−ＲＳ−ＲＮＴＩのようなＣＳＩ−ＲＳ送信のトリガーリングに特定のＲＮＴＩでスクランブリングされることができる。ＣＲＩ−ＲＳ−ＲＮＴＩを有するＤＣＩフォーマットは簡潔性のためにＤＣＩフォーマットＴに指称される。ＤＣＩフォーマットＴを用いて、ｇＮＢは同一なＣＳＩ−ＲＳ−ＲＮＴＩで構成されたＵＥのグループで各ＵＥに対し、構成されたＮＢのセットから相違するＮＢで、さらに可能に相違するセルで、ＣＳＩ−ＲＳ送信をトリガーすることができる。
【０６８５】
ＵＥはＵＥがパラメーターＩｎｄｅｘ−ＣＳＩ−ＲＳを介して構成されたＮＢのセットからＮＢのサブセットでＣＳＩ−ＲＳ送信を示すＣＳＩ−ＲＳトリガーフィールドを得ることができるＤＣＩフォーマットＴ内の位置を構成することができる。例えば、ＤＬ ＤＣＩフォーマットに対して説明されたように、ＣＳＩ−ＲＳトリガーフィールドは２ビットを有するか、増加された細分性のためにＤＬ ＤＣＩフォーマットより多数のビットを有することができ、ここで“００”の値はＣＳＩ−ＲＳ送信を示さないこともあり、残り値はそれぞれ構成されたサブセット(ＮＢのセット内のすべてのＮＢを含み)からＣＳＩ−ＲＳ送信を示すことができる。
【０６８６】
例えば、ＮＢのセットに多数のＮＢが存在するかＵＥが多数のＮＢ及び多数のセル又は多数のスロットセットのいずれもＣＳＩ−ＲＳ送信をトリガーすることができる時、増加された細分性が流用することができる。代案で、ＤＣＩフォーマットＴは同一なＵＥに対するそれぞれの相違するセル上のＮＢのセットに対する個別的なＣＳＩ−ＲＳトリガーフィールドを含むことができる。また、ＣＳＩ−ＲＳトリガーフィールドがＣＳＩ−ＲＳ送信をトリガーする時、ＮＢのセット内のすべてのＮＢのためにそのようにすることもできる。そんな後、ＣＳＩ−ＲＳトリガーフィールドはセルだ各ＵＥに対して単一ビットを含むことができ、ここで“０”の値はＣＳＩ−ＲＳトリガーリングを示せず、“１”の値はＮＢのセット内のすべてのＮＢでＣＳＩ−ＲＳトリガーリングを示す。
【０６８７】
ＤＣＩフォーマットＴはさらに構成されたＮＢのセットからのＮＢでトリガーされたＣＳＩ−ＲＳ送信に係る測定及びＰＵＣＣＨ送信のためのＴＰＣコマンドを伝達するフィールドに応答し、ＵＥからＣＳＩ報告を伝達するＰＵＣＣＨの送信のためのＰＵＣＣＨリソースを示すフィールドを含むことができる。ＰＵＣＣＨリソースフィールドは構成されたＰＵＣＣＨリソースのセットからのＰＵＣＣＨリソースに対するインデックスであれば良い。
【０６８８】
例えば、ＰＵＣＣＨリソースフィールドが２ビットを含む時、ＰＵＣＣＨリソースフィールドは４個の構成されたＰＵＣＣＨリソースの中で一つを示すことができる。ＰＵＣＣＨリソースフィールドの位置又はＴＰＣコマンドフィールドの位置はＣＳＩ−ＲＳトリガーフィールドの構成された位置にリンクされることができ、例えば、ＰＵＣＣＨリソースフィールドは次の位置にあり得て、ＴＰＣコマンドフィールドは次の位置(又はその逆又は以前位置)以後の位置にあり得る。
【０６８９】
ＤＣＩフォーマットＴはさらに第１位置に係るＣＳＩ報告を伝達するＰＵＣＣＨの送信のための単一ＰＵＣＣＨリソースを示すことができ、ここで、ＤＣＩフォーマットＴのＣＳＩ−ＲＳトリガーフィールドは“００”値を有せず、他のＣＳＩ報告を伝達するＰＵＣＣＨ送信のためのＰＵＣＣＨリソースは表示されたＰＵＣＣＨリソースに対して決定することができる。
【０６９０】
例えば、“００”と相違する値を有するＣＳＩ−ＲＳ送信トリガーフィールドに対するＤＣＩフォーマットＴの第１位置を有するＵＥは表示された第１ＰＵＣＣＨリソースを用い、ＣＳＩ報告を伝達するＰＵＣＣＨを送信することができ、“００”と相違する値を有するＣＳＩ−ＲＳ送信トリガーフィールドに対するＤＣＩフォーマットＴの第２位置を有するＵＥは第１ＰＵＣＣＨリソースの以後に第２ＰＵＣＣＨリソースを用いることができ、“００”と相違する値を有するＣＳＩ−ＲＳ送信トリガーフィールドに対するＤＣＩフォーマットＴの第３位置を有するＵＥは第２ＰＵＣＣＨリソース次に第３ＰＵＣＣＨリソースを用いることができ、その他これと同様である。
【０６９１】
したがって、ＰＵＣＣＨリソースｎＰＵＣＣＨがＤＣＩフォーマット Ｔで表示される場合、“００”ではないｎＣＳＩ−ＲＳ番目ＣＳＩ−ＲＳ送信トリガー値を有するＵＥはＰＵＣＣＨリソースｎＰＵＣＣＨ＋ｎＣＳＩ−ＲＳ−１を用いてＣＳＩ−ＲＳ報告を送信するか、又は“００”ではない第１ＣＳＩ−ＲＳ送信トリガー値にインデックス“０”(インデックス“１”の代わり)を割り当てることによって、“００”ではないｎＣＳＩ−ＲＳ番目のＣＳＩ−ＲＳ送信トリガー値を有するＵＥはＰＵＣＣＨリソースｎＰＵＣＣＨ＋ｎＣＳＩ−ＲＳを用いてＣＳＩ−ＲＳ報告を送信することができる。ＵＥからのＣＳＩ報告はトリガーされたＣＳＩ−ＲＳ送信と結合されたそれぞれのＮＢに対するＣＳＩ報告であることができるか、又はＵＥはトリガーされたＣＳＩ−ＲＳ送信を有するＮＢから予め決定された数のＮＢを選択してそれぞれのＣＳＩ報告を提供することができる。
【０６９２】
ＤＬ ＤＣＩフォーマット又はＤＣＩフォーマットＴはさらにＵＥがＣＳＩ報告を伝達するＰＵＣＣＨの送信のための電力を調整するためのＴＰＣコマンドフィールドを含むことができる。ＴＰＣコマンドフィールドはＣＳＩ−ＲＳ送信トリガーフィールドのそばにあり得るか(前又は後)各ＵＥに対して相違する構成位置にあり得る。ＵＥは一つ以上のＣＳＩ−ＲＳ−ＲＮＴＩから構成されることができ、ここでＤＣＩフォーマットＴのコンテンツはＣＳＩ−ＲＳ−ＲＮＴＩによって解釈される。例えば、第１ＣＳＩ−ＲＳ−ＲＮＴＩは第１ＮＢのセット又は第１セルのグループに対応することができる一方に、第２ＣＳＩ−ＲＳ−ＲＮＴＩは第２ＮＢのセット又は第２セルのグループに対応することができる。
【０６９３】
図２７は、本発明の実施形態による一つ以上のＵＥに対するＮＢのセットからＮＢのサブセットでＣＳＩ−ＲＳ送信をトリガーするＣＳＩ−ＲＳ−ＲＮＴＩによってスクランブリングされたＣＲＣを有するＤＣＩフォーマットの例示的なコンテンツ２７００を示す図面である。図２７に示されたＤＣＩフォーマットのコンテンツ２７００の実施形態はただ説明のためのことである。図２７に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０６９４】
図２７に示されたように、ｇＮＢはＮＢのセット、ＤＣＩフォーマットのＣＲＣをスクランブリングするＣＳＩ−ＲＳ−ＲＮＴＩ、及びＮＢのセット２７１０からのＮＢのサブセットでＣＳＩ−ＲＳ送信をトリガーするＣＳＩ−ＲＳトリガーフィールドに対するＤＣＩフォーマットの位置をＵＥに設定する。ＮＢのセットは同一な構成されたＣＳＩ−ＲＳ−ＲＮＴＩを有する相違するＵＥに対してＵＥごとに個別的に構成される。ｇＮＢはＣＳＩ−ＲＳ送信２７２０をトリガーするためのＮＢのサブセットそれぞれ及びするが以上のＵＥのグループから同一なＣＳＩ−ＲＳ−ＲＮＴＩを有するＵＥを決定する。ｇＮＢがＵＥ２７３０に対するＣＳＩ−ＲＳ送信をトリガーするか否か及びＣＳＩ−ＲＳ送信がトリガーされる時のトリガーされたＣＳＩ−ＲＳ送信を有するＮＢのサブセットによって、ｇＮＢはＣＳＩ−ＲＳトリガーフィールドの値を設定する。
【０６９５】
ＣＳＩ−ＲＳトリガーフィールドは“００”値がＵＥに対する任意のＣＳＩ−ＲＳ送信をトリガーせず“０１”“１０”又は“１１”の値がＮＢのセットにすべてのＮＢを含むことができる第１、第２及び第３サブセットでＣＳＩ−ＲＳ送信をトリガーするか、或いはＤＣＩフォーマットの各フィールドによって表示されるＮＢで第１、第２又は第３構成を有するＣＳＩ−ＲＳ送信をトリガーする２ビットを含むことができる。ｇＮＢはＣＳＩ−ＲＳ−ＲＮＴＩによってスクランブリングされたＣＲＣを有するＤＣＩフォーマットを送信する(２７４０)。ＵＥはＮＢのセットに対する構成、ＤＣＩフォーマットのＣＲＣをスクランブリングするＣＳＩ−ＲＳ−ＲＮＴＩに対する構成、ＮＢのサブセットでＣＳＩ−ＲＳ送信をトリガーすることができるＣＳＩ−ＲＳトリガーフィールドのＤＣＩフォーマット内の位置に対する構成をｇＮＢから受信する(２７５０)。
【０６９６】
ＵＥはＣＳＩ−ＲＳ−ＲＮＴＩによってスクランブリングされるＣＲＣを有するＤＣＩフォーマットを検出する(２７６０)。ＵＥはＣＳＩ−ＲＳトリガーフィールドに対する値を獲得する(２７７０)。ＣＳＩ−ＲＳトリガーフィールドの値が“００”の場合、ＵＥはＣＳＩ−ＲＳを受信せず、ＣＳＩ−ＲＳトリガーフィールドの値が“０１”“１０”又は“１１”の場合、ＵＥはＮＢの第１、第２、又は第３サブセットでＣＳＩ−ＲＳ送信をそれぞれ受信するか、或いは第１、第２又は第３構成によってＣＳＩ−ＲＳを受信する(２７８０)。
【０６９７】
図２８は、本発明の実施形態による一つ以上のＵＥに対するＮＢのセットのうちのＮＢのサブセットでＣＳＩ−ＲＳ送信をトリガーしてＣＳＩ報告の送信のためのＰＵＣＣＨリソース及びＴＰＣコマンドを提供するＣＳＩ−ＲＳ−ＲＮＴＩによってスクランブリングされるＣＲＣを有するＤＣＩフォーマットの例示的なコンテンツ２８００を示す図面である。図２８に示されたＤＣＩフォーマットのコンテンツ２８００の実施形態はただ説明のためのことである。図２８に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０６９８】
図２８に示されたように、ｇＮＢはＮＢのセット、ＤＣＩフォーマットのＣＲＣをスクランブリングするＣＳＩ−ＲＳ−ＲＮＴＩ、及びＮＢのセットからのＮＢのサブセットでＣＳＩ−ＲＳ送信をトリガーするＣＳＩ−ＲＳトリガーフィールドに対するＤＣＩフォーマットの位置、及びＣＳＩ報告２８１０を含むＰＵＣＣＨ送信の電力を調整するためのＴＰＣコマンドをＵＥに構成する。ＮＢのセットは相違するＵＥに対して相違することができる。ｇＮＢは、同一なＣＳＩ−ＲＳ−ＲＮＴＩから構成された一つ以上のＵＥのグループと、ＣＳＩ−ＲＳ送信２８２０をトリガーするＮＢの各サブセットからＵＥを決定する。
【０６９９】
ｇＮＢがＵＥに対するＣＳＩ−ＲＳ送信をトリガーするか否か及びＣＳＩ−ＲＳ送信がトリガーされる時のトリガーされたＣＳＩ−ＲＳ送信を有するＮＢのサブセットによって、ｇＮＢはＣＳＩ−ＲＳトリガーフィールドの値を設定し、ＵＥがＣＳＩ−ＲＳ送信をトリガーしないでＣＳＩ報告２８３０を伝達するＰＵＣＣＨを送信しない時にもＵＥはＤＣＩフォーマットのＴＰＣコマンドを処理することができる。
【０７００】
ＣＳＩ−ＲＳトリガーフィールドは“００”値が ＵＥに対する任意のＣＳＩ−ＲＳ送信をトリガーせず“０１”“１０”又は“１１”値がＮＲのセットにすべてのＮＢを含むことができる第１、第２、及び第３ＮＢのサブセットでそれぞれＣＳＩ−ＲＳ送信をトリガーする２ビットを含むことができる。追加的又は代案的に、ＣＳＩ−ＲＳトリガーフィールドはＣＳＩ−ＲＳ構成を示すことができる。ＴＰＣコマンドは例えば、−３ｄＢ、−１ｄＢ、１ｄＢ及び３ｄＢの電力調整に対する“００”“０１”“１０”又は“１１”マッピング値を有する２ビットを含むことができる。ｇＮＢはＣＳＩ−ＲＳ−ＲＮＴＩによってスクランブリングされるＣＲＣを有するＤＣＩフォーマットを送信する(２８４０)。
【０７０１】
ＵＥはｇＮＢからＮＢのセット、ＤＣＩフォーマットのＣＲＣをスクランブリングするＣＳＩ−ＲＳ−ＲＮＴＩ、及びＮＢのサブセットでＣＳＩ−ＲＳ送信をトリガーすることができるＣＳＩ−ＲＳトリガーフィールドのＤＣＩフォーマットの位置、及びＣＳＩ報告を伝達するＰＵＣＣＨの電力を調整するためのＴＰＣフィールドに対する構成を受信する(２８５０)。ＵＥはＣＳＩ−ＲＳ−ＲＮＴＩによってスクランブリングされるＣＲＣでＤＣＩフォーマットを検出する(２８６０)。ＵＥはＣＳＩ−ＲＳトリガーフィールド及びＴＰＣコマンドフィールドに対する値を得る(２８７０)。
【０７０２】
ＣＳＩ−ＲＳトリガーフィールドの値が“００”の場合、ＵＥはＣＳＩ−ＲＳを受信せずＣＳＩ−ＲＳトリガーフィールドの値が“０１”“１０”又は“１１”の場合、ＵＥは第１、第２及び第３ＮＢのサブセットでＣＳＩ−ＲＳ送信を受信するか、又は第１、第２又は第３ＣＳＩ−ＲＳ構成によってＣＳＩ−ＲＳ送信を受信する。ＤＣＩフォーマットはさらにＣＳＩ報告を伝達するＰＵＣＣＨを送信するためにＤＣＩフォーマットで“００”ではない値の第１ＣＳＩ−ＲＳトリガーを有するＵＥによって用いられるＰＵＣＣＨリソースｎＰＵＣＣＨ、及びＤＣＩフォーマットで“００”ではないＣＳＩ−ＲＳトリガーを有するＵＥによって用いられるｎＣＳＩ−ＲＳ＋１、ＴＰＣコマンドフィールド値に基づいて調整される電力でＣＳＩ報告を伝達するＰＵＣＣＨを送信するために用いられるＰＵＣＣＨリソースｎＰＵＣＣＨ＋ｎＣＳＩ−ＲＳを示すＰＵＣＣＨリソースフィールドを含む。
【０７０３】
図２９は、本発明の実施形態によってＣＳＩ−ＲＳ送信をトリガーリングするＤＣＩフォーマットに表示されたＰＵＣＣＨリソースに基づいてＣＳＩ報告を伝達するＰＵＣＣＨをＵＥが送信する例示的なＰＵＣＣＨリソース決定２９００を示す図面である。図２９に示されたＰＵＣＣＨリソース決定２９００の実施形態はただ説明のためのことである。図２９に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０７０４】
図２９を参照すれば、ＣＳＩ−ＲＳ−ＲＮＴＩでスクランブリングされるＣＲＣを有するＤＣＩフォーマットの検出に応答してＣＳＩ報告を伝達するＰＵＣＣＨ送信を有する第４ＵＥ、ＵＥ#３(２９１０)は“００”以外の値を有するＵＥに対するＲＳトリガーフィールドを含み、基準ＰＵＣＣＨリソースｎＰＵＣＣＨは、ＵＥの位置以前位置に“００”以外の値を有する２個のＣＳＩ−ＲＳトリガーフィールドが存在することで決定する(２９２０及び２９３０)。ＤＣＩフォーマットのＵＥ#３に対するＣＳＩ−ＲＳトリガーフィールドの位置以前に“００”以外の値を有するＣＳＩ−ＲＳトリガーフィールドの決定に基づいて、ＵＥ#３はＵＥ#３に対するＣＳＩ ＲＳトリガー値を有するＣＳＩ−ＲＳ送信からの測定に応答してＣＳＩ報告を伝達するＰＵＣＣＨ送信のためにＰＵＣＣＨリソースｎＰＵＣＣＨ＋２を決定する。
【０７０５】
ｇＮＢは構成されたＮＮＢ≧ＭＮＢ ＮＢセットからＭＮＢ ＮＢに対するＣＳＩを報告するようにＵＥを構成することができるか又はＭＮＢの値がシステム動作で定義されることができる。ＵＥはＮＮＢ ＮＢのセットからＭＮＢ ＮＢを選択することができる。例えば、それぞれのＮＮＢ ＮＢ内のＮＮＢの測定されたＣＱＩ値から、ＵＥはＭＮＢ≦ＮＮＢ最大のＣＱＩ値を選択してＣＳＩ報告でそれぞれのＭＮＢ ＮＢを示すことができる。
【０７０６】
ＵＥはさらにＮＢに対するＣＳＩ報告を含むｇＮＢによって構成されることができ、ここでＵＥはＰＤＣＣＨを受信するように構成されるかそのＣＳＩ報告の含みがシステム動作で特定されることができる。構成されたＮＢのセットは、ＵＥがＰＤＣＣＨを受信するように構成されてＵＥがそれＮＢに対して個別ＣＳＩ報告を提供することができるＮＢを除くこともできる。例えば、ＵＥはＮＢに対してより大きい周期を有するＣＳＩ報告を提供することができ、ここでＵＥは他のＮＢよりＰＤＣＣＨを受信するように構成される。
【０７０７】
ＵＥがＭＮＢ＞１ ＮＢに対してＣＳＩを報告する場合、ＵＥは最大のＣＱＩ値ＣＱＩｍａｘ（ｊ０）及びそれぞれのＮＢインデックスＪ０を報告することができ、
【０７０８】
【数２４５】
2020509662.tif 000248
【０７０９】
を有する(ここで、
【０７１０】
【数２４６】
2020509662.tif 000249
【０７１１】
)差動ＣＱＩオフセット値ＤＣＱＩ(ｊ)を報告することができる。例えば、２ビットに表現されるＤＣＱＩ(ｊ)値において、２ビット差動ＣＱＩ値からオフセット値でのマッピングは表２の同一であっても良い。ＮＮＢ構成されたＮＢ及びＣＳＩ報告があるＭＮＢＮＢの場合、例えば、ＬＴＥ仕様と同じ組み合せインデックスを用いてＭＮＢＮＢに対するインデックスを得ることができる。
ＭＮＢ ＮＢの位置を示すビット数は
【０７１２】
【数２４７】
2020509662.tif 000250
【０７１３】
である。ＮＢのインデックスはＣＳＩ報告で優先的に配置されることができ、それぞれのＣＳＩ値又はＮＢインデックス及びＣＳＩ報告の対は、例えば、最大のＣＱＩ値を有するＮＢから開始して昇順インデックス手順で他のＮＢに対して続いて配置されることができる。
【０７１４】
【表２】
2020509662.tif 000251
【０７１５】
ＵＥがＰＤＣＣＨを受信するように構成されたＮＢは構成されたＮＢのセット内のスロットを横切ってホッピングすることができる。例えば、ＵＥがＰＤＣＣＨを受信するように構成されるＮＢはＮＢインデックスの昇順によってスロットを横切って構成されたＮＢのセットでＮＢを循環することができるか、ＬＴＥ仕様で記述されたようにＳＲＳ送信ＢＷホッピングパターン(ｈｏｐｐｉｎｇ ｐａｔｔｅｒｎ)のような周波数ダイバーシティーを最大化するホッピングパターンを有することができる。
【０７１６】
すると、ＵＥは同一なＮＢでＰＤＣＣＨ及びＣＳＩ−ＲＳ送信を受信しながら第１ＮＢからのチューニングし直しに係る遅延の影響を減少させることができ、ＵＥは第２ＮＢでＰＤＣＣＨを受信してＣＳＩ−ＲＳ送信を受信した後、さらに第１ＮＢでＰＤＣＣＨを受信するように構成される。これは相違するＮＢの間のチューニングし直し時間が比較的長く、ＵＥが単一スロットですべての個別ＮＢに対するＣＳＩ−ＲＳ送信を受信することができない場合に特に有用することができる。
【０７１７】
ＵＥがスロットでＰＤＳＣＨ又は他のＤＬシグナリングの受信で構成されない場合、ＵＥはＰＤＳＣＨをデコーディングするシンボル及びＰＤＳＣＨの潜在的なスケジューリングを決定し、ＰＤＣＣＨ及び可能にはＣＳＩ−ＲＳの受信のために相違するＮＢにチューニングし直すための処理遅延に係る一つ以上の追加シンボル以後のスロットで残りの長続き期間を用いることができる。
【０７１８】
ＵＥがスロットでＰＤＳＣＨ又は他のＤＬシグナリングの受信から構成されてＵＥが次のスロットの手始め以前にＮＢホッピングパターンによって次のＮＢにチューニングし直すことに十分な時間を有しなければ、以後に論議されるように、ＵＥは次のＮＢへのチューニングし直しをスキップして以後にスロットでＮＢホッピングパターンを再設定することができるか、或いはＵＥは次のＮＢにチューニングし直すことができるがチューニングし直しによってＰＤＣＣＨの受信を逃すことができる。スロットでＰＤＣＣＨを受信することができない影響を緩和するため、ｇＮＢはＰＤＳＣＨがＮＢホッピングパターンによって相違するスロットの相違するＮＢ内で送信されるＵＥに対するＰＤＳＣＨの多重−スロット送信をスケジューリングすることができる。その後に、ＵＥがスロット内のＰＤＣＣＨ送信のために構成された長続き期間より大きくない時間内にチューニングし直すことができる場合、ＵＥは相違するスロット内の相違するＮＢにチューニングし直した後にＰＤＳＣＨを受信することができる。
【０７１９】
図３０は、本発明の実施形態によってＵＥがＰＤＣＣＨを受信するように構成されたＮＢのホッピングパターン３０００を示す図面である。図３０に示されたホッピングパターン３０００の実施形態はただ説明のためのことである。図３０に示されたコンポーネントのうちの一つ以上は言及された機能を行うように構成された特殊回路で具現されることができるか、このコンポーネントのうちの一つ以上は言及された機能を行うための命令を行う一つ以上のプロセッサによって具現されることができる。他の実施形態が本発明の範囲を逸脱せず用いられる。
【０７２０】
図３０に示されたように、ＵＥは４個のＮＢ、すなわち、ＮＢ０、ＮＢ１、ＮＢ２及びＮＢ３を含むＮＢのセット、及びＰＤＣＣＨの受信のためのＮＢの第１シンボルのリソースから構成される(３００５)。第１スロットで、ＵＥはＮＢ１(３０１０)でＰＤＣＣＨを受信し、さらにＵＥチューニングし直し期間より大きい第１スロットの端までの第１時間距離を有するスロットシンボルでＣＳＩ−ＲＳ送信を受信することができる。ＵＥは第１スロットの端に対するチューニングし直し期間と同一な時間期間の間任意のＤＬシグナリングを受信しないように構成される。
【０７２１】
第１時間距離の間、ＵＥは第２スロットでＰＤＣＣＨの受信のためにＮＢ３にチューニングし直しされることができる。第２スロットで、ＵＥはＮＢ３３０２０でＰＤＣＣＨを受信し、さらにＵＥチューニングし直し期間より大きい第２スロットの終りまでの第２時間距離を有するスロットシンボルでＣＳＩ−ＲＳ送信を受信することができる。ＵＥは第２スロットの端に対するチューニングし直し期間と同一な時間期間の間の他のＤＬシグナリングを受信しないように構成される。第２時間距離の間、ＵＥは第３スロットでＰＤＣＣＨの受信のためにＮＢ０にチューニングし直すことができる。第３スロットで、ＵＥはＮＢ０３０３０でＰＤＣＣＨを受信してさらにＵＥチューニングし直し期間より大きい第３スロットの端までの第３時間距離を有するスロットシンボルでＣＳＩ−ＲＳ送信を受信することができる。
【０７２２】
ＵＥは第３スロットの端に対するチューニングし直し期間と同一な時間期間の間の任意のＤＬシグナリングを受信しないように構成される。第３時間距離間、ＵＥは第４スロットでＰＤＣＣＨの受信のためにＮＢ２にチューニングし直すことができる。第４スロットで、ＵＥはＮＢ２３０４０でＰＤＣＣＨを受信してさらにＵＥチューニングし直し期間より大きい第４スロットの終りまでの第４時間距離を有するスロットシンボルでＣＳＩ−ＲＳ送信を受信することができる。ＵＥは第４スロットの端に対するチューニングし直し期間と同一な時間期間の間の任意のＤＬシグナリングを受信しないように構成される。第４時間距離間、ＵＥは第５スロットでＰＤＣＣＨの受信のためにＮＢ１にチューニングし直すことができる。第５スロットで、ＵＥはＮＢ１３０５０でＰＤＣＣＨを受信し、さらにスロットシンボルでＣＳＩ−ＲＳ送信を受信することができ、ＰＤＳＣＨのようなＤＬシグナリングをＵＥチューニングし直し期間より大きくない第５スロットの端までの第５時間距離に受信するように構成される。ＵＥは第５スロットでＤＬシグナリングを受信するうちに第６スロットでＰＤＣＣＨの受信のためにＮＢ３にチューニングし直すに十分な時間を有せずＵＥ動作に対する２種接近法が存在する。
【０７２３】
第１接近法はＵＥがＣＳＩ−ＲＳ送信の可能な受信のために第６スロットでＮＢ３にチューニングし直し、ＵＥはＰＤＣＣＨ３０６０を受信することができない。第２接近法はＵＥが第６スロットでＰＤＣＣＨを受信するために第６スロットでＮＢ１にチューニングされた状態を維持することである。第１接近法は例えば、ＵＥが第５スロットでのＤＬデータチャンネル受信をスケジューリングする第５スロット内のＤＬ ＤＣＩフォーマットを検出することができなく、第６スロットでＮＢ３にチューニングし直す場合、発生することができるエラーケースを回避する。
【０７２４】
第２接近法は潜在的なエラーケースを処理するためにｇＮＢに依存する。２つの接近法のいずれもＵＥに対する持続的なスケジューリングができ、第１接近法は多重−スロットスケジューリングを適用することによってＵＥがスロットでＤＬ制御チャンネルの送信のための時間期間内にチューニングし直すことに依存し、第２接近法はＵＥに対して単一−スロット又は多重−スロットスケジューリングを適用することによる。ＵＥは第７スロット３０７０でＮＢホッピングパターンを再開する。ＵＥ動作はシステム動作で指定されることができるか２個の接近法のうちの一つによってＵＥによってｇＮＢによって構成されることができる。
【０７２５】
多数のＮＢを通じるＳＲＳ送信は多数のＮＢを通じるＣＳＩ−ＲＳ送信と類似の原理に付くことができ、次の説明は完全性のために要約される。ＮＢでのＳＲＳ送信はプリコーディングされるか、プリコーディングされないこともある。前者の場合、プリコーディングはさらにＵＥに対して構成されることができ、すべてのＮＢに対して同一であるか(単一構成)相違するＮＢに対して異なることができる(相違する構成)。ＳＲＳ送信はゼロ−電力ＳＲＳ及び非−ゼロ−電力ＳＲＳを含むことができる。
【０７２６】
ＵＥがＮＢのセットからＮＢでＳＲＳを送信するため、ＵＥはＮＢのセットのうちのそれぞれのＮＢでＵＥのＲＦ送信コンポーネントをチューニングし直す必要がある。ＵＥがＮＢでランダムアクセスチャンネル又はＰＵＳＣＨ又はＰＵＣＣＨのようなＵＬシグナリングを送信するように構成され、さらにＵＥが異なるＮＢでＳＲＳを送信するように構成されてＲＦチューニングし直し遅延にＵＥがＵＬシグナリング及びＳＲＳを送信することができないから、ＵＥはＳＲＳ送信をドロップすることができる。
【０７２７】
ＴＤＤシステム及び単一デュプレクサを有するＵＥの場合、チューニングし直し遅延がＵＥが第１ＮＢでＰＤＣＣＨを受信するように構成された最後のスロットシンボルと第２ＮＢでＳＲＳを送信する第１スロットシンボルの間の時間間隔より小さい場合、ＵＥは第１ＮＢでＰＤＣＣＨを受信した以後に第２ＮＢでＳＲＳを送信することができる。チューニングし直し遅延が第２ＮＢでＳＲＳを送信するための最後のスロットシンボルと第１ＮＢでＰＤＣＣＨを受信するための制１スロットシンボルの間の時間間隔より小さい場合、ＵＥは第１ＮＢをチューニングし直すことで第２ＮＢでＳＲＳを送信した以後にＰＤＣＣＨを受信することができる。
【０７２８】
ＵＥがＮＢでＰＤＳＣＨ又はＰＵＳＣＨを受信するようにＵＥをスケジューリングするＰＤＣＣＨ内のＤＣＩフォーマットを検出し、さらにＵＥが相違するＮＢでＳＲＳを送信するように構成される場合、ＵＥはＳＲＳの送信をドロップすることができる。ＴＤＤシステム及び単一デュプレクサを有するＵＥの場合、チューニングし直し遅延がＰＤＳＣＨ受信又はＰＵＳＣＨ送信の最後のシンボルとＳＲＳ送信の第１シンボルの間の時間より大きい場合(又はその反対)、ＵＥはＳＲＳ送信をドロップすることができる。
【０７２９】
一実施形態で、一つ以上のＮＢのセットでのＳＲＳ送信は半永久的であるか周期的であっても良い。ＵＥはセットＮＢのそれぞれのＮＢでＳＲＳ送信のためのＮＢ及びパラメーターの上位階層によって構成される。ＳＲＳ送信パラメーターは、以下でさらに論議されるように、ＳＲＳ送信のためのスロットシンボルの位置を除いてすべてのＮＢに対して同一であっても良く、すべてのＮＢに対して共同から構成されることができるか、或いは一部がＮＢごとに相違することができ、それぞれのＮＢに対して個別的に構成されることができる。ＳＲＳ送信パラメーターはコーム(ｃｏｍｂ)の数、それぞれのＮＢでＳＲＳ送信のためのスロットシンボル(デュレーション)の数、送信コーム、開始ＰＲＢ、周期、ＢＷ、サイクリックシフト、プリコーディング又はアンテナポートの数のうちの一つ以上を含むことができる。
【０７３０】
他の例で、ＮＢのセット内のＳＲＳ送信は非周期的でＰＤＣＣＨによって伝達するＤＣＩフォーマットによってトリガーされることができる。ＤＣＩフォーマットはＵＥへのＰＤＳＣＨ送信をスケジューリングするＤＬ ＤＣＩフォーマット、又はＵＥからのＰＵＳＣＨ送信をスケジューリングするＵＬ ＤＣＩフォーマット、又は一つ以上のＵＥからのＳＲＳ送信をトリガーするコンテンツを有する別途のＤＣＩフォーマットであることができる。
【０７３１】
ＮＢのセットの一つ以上のＮＢでＳＲＳ 送信をトリガーするＤＣＩフォーマットがＵＬ ＤＣＩフォーマット又はＤＬ ＤＣＩフォーマットの場合、ＤＣＩフォーマットはＵＥからのそれぞれのＳＲＳ送信のために構成されたＮＢのセットからのＮＢを示すフィールドを含むことができ、又はＣＳＩ−ＲＳ送信のトリガーに対して記述されたことと類似の方式でＳＲＳ送信構成を示すフィールドを含むことができる。ＵＥからのＰＵＳＣＨ送信をスケジューリングしてＵＥからＮＢのセットのうちのＮＢでＳＲＳ送信をトリガーするＵＬ ＤＣＩフォーマットにおいて、ＰＵＳＣＨ送信のＮＢがさらにトリガーされたＳＲＳ送信を有するＮＢの場合、ＵＥは、ＰＵＳＣＨを送信することができるために、ＰＵＳＣＨ送信のＮＢで第１のＳＲＳ送信が発生してＮＢインデックスの昇順(又は降順)によって後続ＳＲＳ送信が残りのＮＢからなることで予想することができる。
【０７３２】
ＰＵＳＣＨ送信のＮＢがトリガーされたＳＲＳ送信を有するＮＢではない場合、ＵＥは一つ以上のスロットでＰＵＳＣＨを送信することができ、後続的に一つ以上のスロット以後にトリガーされたＳＲＳ送信を有するＮＢにチューニングし直す。さらに、ＮＢでのＳＲＳ送信はＳＲＳ送信がトリガーされる時、ＰＵＳＣＨ送信のＮＢを含む昇順ＮＢインデックスによることができる。
【０７３３】
ＵＥが構成されるＮＢのセットのうちの一つ以上のＮＢでＳＲＳ送信をトリガーするＵＬ ＤＣＩフォーマットのフィールドはＮＢの表示を含むことができる。例えば、２ビットを有するフィールドは“００”値を用いてＳＲＳ送信されないことを示され、“０１”“ １”及び“１１”値を用いてＮＢのセットから構成された第１、第２又は第３ＮＢのサブセットでのＳＲＳ送信を示すか、又はＳＲＳ送信のための第１、第２、又は第３構成を示すことができる。各ＮＢでのＳＲＳ送信のためのパラメーターは同じであるか、異なることができる。
【０７３４】
それぞれのＮＢでのＳＲＳ送信のためのスロットシンボルの位置は同じであるか、異なることができる。例えば、ＳＲＳ送信がそれぞれ異なるＮＢ内の相違するスロットからなる場合、それぞれのスロットシンボルは同一なことがある。例えば、少なくともいくつかのＮＢでのＳＲＳ送信が同一なスロットで成る場合、それぞれのスロットシンボルは相違し、連続的なＳＲＳ送信に対する多数のシンボルでのそれぞれのオフセットは関連トリガーされたＳＲＳ送信を有するＵＥに対するチューニングし直し遅延から決定することができるか、又はｇＮＢによってシグナリングされたりシステム情報のようなＵＥ共通上位階層シグナリング又はＵＥ特定上位階層シグナリングによることができる。
【０７３５】
ＮＢでのＳＲＳ送信はさらに多重スロットシンボルを介して成ることもでき、ここでは、例えば、ＳＲＳ送信が第１シンボル内の第１アンテナポートから及び第２シンボル内の第２アンテナポートから、又は同一なアンテナポートからのような相違するシンボル内の相違するアンテナポートからなり、これによってｇＮＢはＳＲＳ送信からチャンネル媒体に対するより正確な推定値を得ることができるようになる。
【０７３６】
ＵＥに対するＮＢのセットのうちのＮＢでＳＲＳ送信をトリガーするＤＣＩフォーマットがＵＬ ＤＣＩフォーマット又はＤＬ ＤＣＩフォーマットではない場合、ＤＣＩフォーマットはＵＬ ＤＣＩフォーマット又はＵＥがデコーディングするＤＬ ＤＣＩフォーマットと同一な大きさを有することができるか、ＵＥがＴＰＣコマンドを得るためだ同じ他の目的にデコーディングするＤＣＩフォーマットの大きさを有することができる。ＤＣＩフォーマットのＣＲＣはＳＲＳ−ＲＮＴＩのようなＳＲＳ送信のトリガーに特定のＲＮＴＩでスクランブリングされることができる。ＳＲＳ−ＲＮＴＩを有するＤＣＩフォーマットは簡潔性のためにＤＣＩフォーマットＸと指称する。
【０７３７】
ＤＣＩフォーマットＸを用い、ｇＮＢは構成されたＮＢのセットのうちの相違するＮＢで、及び可能には相違するセルで、同一なＳＲＳ−ＲＮＴＩから構成されたＵＥのグループの各ＵＥに対してＳＲＳ送信をトリガーすることができる。ＵＥは構成されたＮＢセットのうちのＮＢのサブセットでのＳＲＳ送信を示すか、或いはＳＲＳ送信構成を示すＳＲＳトリガーフィールドを得ることができるインデックスパラメーターＩｎｄｅｘ−ＳＲＳを介してＤＣＩフォーマットＸ内の位置が構成されることができる。ＳＲＳトリガーフィールドはＵＬ ＤＣＩフォーマット又はＤＬ ＤＣＩフォーマットに対して記述されたように動作することができるか、ＣＳＩ−ＲＳトリガーと類似に増加された細分性を有することができる。
【０７３８】
さらに、ＳＲＳトリガーフィールドがＳＲＳ送信をトリガーする場合、ＮＢ セット内のすべてのＮＢのためにそのようにすることができる。また、ＳＲＳトリガーフィールドはセルごとに各ＵＥに対して単一ビットを含むことができ、ここで、“０”の値はＳＲＳトリガーされないことを示し、“１”の値はＮＢのセット内のすべてのＮＢでのＳＲＳトリガーを示す。また、ＤＬ ＤＣＩフォーマット又はＤＣＩフォーマットＸはＵＥがＳＲＳ送信電力を調整するためのＴＰＣフィールドを含むことができる。ＴＰＣコマンドフィールドはＳＲＳ送信トリガーフィールドの次にあり得るか各ＵＥに対して構成された相違する位置にあり得る。ＵＥはＤＣＩフォーマットＸのコンテンツがＳＲＳ−ＲＮＴＩによって解釈されるよう一つより多いＳＲＳ−ＲＮＴＩから構成されることができる。例えば、第１ＳＲＳ−ＲＮＴＩはＮＢの第１セット又はセルの第１グループに対応することができ、第２ＳＲＳ−ＲＮＴＩはＮＢの第２セット又はセルの第２グループに対応することができる。
【０７３９】
ＤＣＩフォーマットＴ及びＤＣＩフォーマットＸの機能はＵＬ ＤＣＩフォーマット又はＵＥがデコーディングするＤＬ ＤＣＩフォーマットと同一な大きさを有することができるか、又はＵＥがＴＰＣコマンドを獲得することと同じ他の目的のためにデコーディングするＤＣＩフォーマットの大きさと同じであっても良いＤＣＩフォーマットＹを用いて組み合せされることができる。ＵＥはＣＳＩ−ＲＳ送信及びＳＲＳ送信のいずれをもトリガーするためのＲＳ−ＲＮＴＩ及びＣＳＩ−ＲＳトリガーフィールド、その後のＳＲＳトリガーフィールド、及びその後のＴＰＣコマンドフィールド(又はこれら３個のフィールドに対する任意の他の手順で)に対するそれぞれの一つ以上のセルに対する一つ以上の各位置から構成されることができ、ここでＣＳＩ−ＲＳ受信のためのセルはＳＲＳ送信のためのセルと異なることができ、セルインデックスとトリガー位置の間のリンクは個別的に構成される。また、ＤＣＩフォーマットＹは図２９で説明されたように、“００”以外のＣＳＩ−ＲＳトリガー値に応答してＰＵＣＣＨ送信するための基準ＰＵＣＣＨリソースを含むことができる。
【０７４０】
本開示が例示的な実施形態で説明されたが、多様な変更及び修正が当業者に提案されることができる。本開示は添付された請求項の範囲内にいるそういう変更及び修正を含むことに意図される。
【０７４１】
本願の説明のうちのいずれも任意の特定要素、段階、又は機能が必須要素であることを示すことで読解されてはいけなく、これは請求範囲に含まれなければならない。本発明の範囲は請求範囲によってだけ規定される。また、正確な単語“〜のための手段”後に分詞構文が後に付けないと、本請求項のいずれか項も３５ Ｕ．Ｓ．Ｃ．§１１２(ｆ)を適用することで意図されない。
【符号の説明】
【０７４２】
１００  無線ネットワーク
１０１−１０３  ｅＮＢ
１１１−１１６  ＵＥ
１２０、１２５  カバレッジ領域
１３０  ネットワーク
２０５ａ−２０５ｎ  アンテナ
２１０ａ−２１０ｎ  ＲＦ送受信部
２１５  送信(ＴＸ)処理回路
２２０  受信(ＲＸ)処理回路
２２５  コントローラー／プロセッサ
２３０  メモリー
２３５  バックホール又はネットワークインターフェース
３０５  アンテナ
３１０  無線周波数(ＲＦ)送受信機
３１５  ＴＸ処理回路
３２０  マイクロフォン
３２５  受信(ＲＸ)処理回路
３３０  スピーカー
３４０  プロセッサ
３４５  Ｉ／Ｏインターフェース
３５０  タッチスクリーン
３５５  ディスプレー
３６０  メモリー
３６１  ＯＳ
３６２  アプリケーション
【図１】
2020509662.tif 000267
【図２】
2020509662.tif 000268
【図３】
2020509662.tif 000269
【図４】
2020509662.tif 000270
【図５】
2020509662.tif 000271
【図６】
2020509662.tif 000272
【図７】
2020509662.tif 000273
【図８】
2020509662.tif 000274
【図９】
2020509662.tif 000275
【図１０】
2020509662.tif 000276
【図１１】
2020509662.tif 000277
【図１２】
2020509662.tif 000278
【図１３】
2020509662.tif 000279
【図１４】
2020509662.tif 000280
【図１５】
2020509662.tif 000281
【図１６】
2020509662.tif 000282
【図１７】
2020509662.tif 000283
【図１８】
2020509662.tif 000284
【図１９】
2020509662.tif 000285
【図２０】
2020509662.tif 000286
【図２１】
2020509662.tif 000287
【図２２】
2020509662.tif 000288
【図２３】
2020509662.tif 000289
【図２４】
2020509662.tif 000290
【図２５】
2020509662.tif 000291
【図２６】
2020509662.tif 000292
【図２７】
2020509662.tif 000293
【図２８】
2020509662.tif 000294
【図２９】
2020509662.tif 000295
【図３０】
2020509662.tif 000296
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
端末の方法において、
リソース要素グループ（ｒｅｓｏｕｒｃｅ  ｅｌｅｍｅｎｔ  ｇｒｏｕｐ：ＲＥＧ）バンドルの大きさを含む設定情報を無線リソース制御（ｒａｄｉｏ  ｒｅｓｏｕｒｃｅ  ｃｏｎｔｒｏｌ：ＲＲＣ）階層を介して受信する段階と、
制御チャンネル要素（ｃｏｎｔｒｏｌ  ｃｈａｎｎｅｌ  ｅｌｅｍｅｎｔ：ＣＣＥ）を構成する前記ＲＥＧバンドルの大きさを確認する段階と、
前記ＲＥＧバンドルの大きさに基づいて制御情報をデコーディングする段階と、を含むことを特徴とする方法。
【請求項２】
前記設定情報は、インターリビングに関連する情報を含み、
前記制御情報は、前記インターリビングに関連する情報に基づいてデコーディングされることを特徴とする、請求項１に記載の方法。
【請求項３】
前記ＲＥＧバンドルの大きさは、２又は６を含み、
前記ＲＥＧバンドル内では同一のプリコーダーが用いられることを特徴とする、請求項１に記載の方法。
【請求項４】
前記設定情報は、探索空間をモニタリングするための周期及びオフセット値を含み、
前記デコーディング段階は、前記周期及びオフセット値に基づいて前記探索空間をモニタリングする段階をさらに含むことを特徴とする、請求項１に記載の方法。
【請求項５】
基地局の方法において、
リソース要素グループ（ｒｅｓｏｕｒｃｅ  ｅｌｅｍｅｎｔ  ｇｒｏｕｐ：ＲＥＧ）バンドルの大きさを含む設定情報を無線リソース制御（ｒａｄｉｏ  ｒｅｓｏｕｒｃｅ  ｃｏｎｔｒｏｌ：ＲＲＣ）階層を介して送信する段階と、
制御チャンネル要素（ｃｏｎｔｒｏｌ  ｃｈａｎｎｅｌ  ｅｌｅｍｅｎｔ：ＣＣＥ）を構成する前記ＲＥＧバンドルの大きさに基づいて制御情報を送信する段階と、を含み、
前記制御情報は、前記ＲＥＧバンドルの大きさに基づいてデコーディングされることを特徴とする方法。
【請求項６】
前記設定情報は、インターリビングに関連する情報を含み、
前記制御情報は、前記インターリビングに関連する情報に基づいて送信されることを特徴とする、請求項５に記載の方法。
【請求項７】
前記ＲＥＧバンドルの大きさは、２又は６を含み、
前記ＲＥＧバンドル内では同一のプリコーダーが用いられることを特徴とする、請求項５に記載の方法。
【請求項８】
前記設定情報は、探索空間をモニタリングするための周期及びオフセット値を含むことを特徴とする、請求項５に記載の方法。
【請求項９】
端末において、
送受信部と、
リソース要素グループ（ｒｅｓｏｕｒｃｅ  ｅｌｅｍｅｎｔ  ｇｒｏｕｐ：ＲＥＧ）バンドルの大きさを含む設定情報を無線リソース制御（ｒａｄｉｏ  ｒｅｓｏｕｒｃｅ  ｃｏｎｔｒｏｌ：ＲＲＣ）階層を介して受信し、
制御チャンネル要素（ｃｏｎｔｒｏｌ  ｃｈａｎｎｅｌ  ｅｌｅｍｅｎｔ：ＣＣＥ）を構成する前記ＲＥＧバンドルの大きさを確認し、
前記ＲＥＧバンドルの大きさに基づいて制御情報をデコーディングする制御部と、を含むことを特徴とする端末。
【請求項１０】
前記設定情報は、インターリビングに関連する情報を含み、
前記制御情報は、前記インターリビングに関連する情報に基づいてデコーディングされることを特徴とする、請求項９に記載の端末。
【請求項１１】
前記ＲＥＧバンドルの大きさは、２又は６を含み、
前記ＲＥＧバンドル内では同一のプリコーダーが用いられることを特徴とする、請求項９に記載の端末。
【請求項１２】
前記設定情報は、探索空間をモニタリングするための周期及びオフセット値を含み、
前記制御部は、前記周期及びオフセット値に基づいて前記探索空間をモニタリングすることを特徴とする、請求項９に記載の端末。
【請求項１３】
基地局において、
送受信部と、
リソース要素グループ（ｒｅｓｏｕｒｃｅ  ｅｌｅｍｅｎｔ  ｇｒｏｕｐ：ＲＥＧ）バンドルの大きさを含む設定情報を無線リソース制御（ｒａｄｉｏ  ｒｅｓｏｕｒｃｅ  ｃｏｎｔｒｏｌ：ＲＲＣ）階層を介して送信し、
制御チャンネル要素（ｃｏｎｔｒｏｌ  ｃｈａｎｎｅｌ  ｅｌｅｍｅｎｔ：ＣＣＥ）を構成する前記ＲＥＧバンドルの大きさに基づいて制御情報を送信する制御部と、を含み、
前記制御情報は、前記ＲＥＧバンドルの大きさに基づいてデコーディングされることを特徴とする基地局。
【請求項１４】
前記設定情報は、インターリビングに関連する情報を含み、
前記制御情報は、前記インターリビングに関連する情報に基づいて送信されることを特徴とする、請求項１３に記載の基地局。
【請求項１５】
前記ＲＥＧバンドルの大きさは、２又は６を含み、
前記ＲＥＧバンドル内では同一のプリコーダーが用いられ、
前記設定情報は、探索空間をモニタリングするための周期及びオフセット値を含むことを特徴とする、請求項１３に記載の基地局。
【国際調査報告】
2020509662.tif 000297
2020509662.tif 000298
2020509662.tif 000299